(57)【特許請求の範囲】
【請求項１】
ユーザ機器（ＵＥ）における方法であって、
無線リソース制御（ＲＲＣ）再開要求メッセージを送信するステップと、
前記ＲＲＣ再開要求メッセージに応答して、中断の指示を含むＲＲＣ接続解除メッセージを受信するステップと、
中断の指示を含む前記ＲＲＣ接続解除メッセージの受信に応答して、前記ＵＥの格納されたアクセス層（ＡＳ）コンテキストにおける情報を新しい情報と交換するステップとを含み、前記ＵＥの前記格納されたＡＳコンテキストにおける前記情報を交換するステップが、
格納されたセキュリティコンテキスト情報を前記ＲＲＣ接続解除メッセージに含まれるセキュリティコンテキスト情報と交換するステップ、
格納された非アクティブ無線ネットワーク一時識別子（Ｉ−ＲＮＴＩ）を前記ＲＲＣ接続解除メッセージに含まれるＩ−ＲＮＴＩと交換するステップ、
格納されたセル識別情報を、前記ＵＥが前記ＲＲＣ再開要求メッセージを送出し前記ＲＲＣ接続解除メッセージを受信したセルのセル識別情報と交換するステップ、
格納された物理セル識別情報を、前記ＵＥが前記ＲＲＣ再開要求メッセージを送出し前記ＲＲＣ接続解除メッセージを受信した前記セルの物理セル識別情報と交換するステップ、および、
格納されたセル無線ネットワーク一時識別子（Ｃ−ＲＮＴＩ）を、前記ＵＥが前記ＲＲＣ再開要求メッセージを送出し前記ＲＲＣ接続解除メッセージを受信した前記セルに対して前記ＵＥが取得したＣ−ＲＮＴＩと交換するステップを含む、方法。
【請求項２】
前記セキュリティコンテキスト情報がネクストホップチェーンカウントを含む、請求項１に記載の方法。
【請求項３】
前記ＵＥの更新されたＡＳコンテキストを提供するため、前記ＵＥの前記格納されたＡＳコンテキストにおける前記情報を交換した後、前記ＵＥの前記更新されたＡＳコンテキストを使用して、後に続くＲＲＣ再開要求を送出するステップを更に含む、請求項１に記載の方法。
【請求項４】
前記ＵＥの前記更新されたＡＳコンテキストを使用して、前記後に続くＲＲＣ再開要求を送出するステップが、前記更新されたＡＳコンテキストを使用して、前記後に続くＲＲＣ再開要求に含まれるセキュリティ整合性トークンを計算するステップを含む、請求項３に記載の方法。
【請求項５】
ユーザ機器（ＵＥ）であって、
無線インターフェースと、
前記無線インターフェースと関連付けられた処理回路構成とを備え、前記処理回路構成が前記ＵＥに、
無線リソース制御（ＲＲＣ）再開要求メッセージを送信させ、
前記ＲＲＣ再開要求メッセージに応答して、中断の指示を含むＲＲＣ接続解除メッセージを受信させ、
前記中断の指示を含む前記ＲＲＣ接続解除メッセージの受信に応答して、前記ＵＥの格納されたアクセス層（ＡＳ）コンテキストにおける情報を新しい情報と交換させるように構成され、前記ＵＥの前記格納されたＡＳコンテキストにおける前記情報を交換するために、前記処理回路構成が前記ＵＥに、
格納されたセキュリティコンテキスト情報を前記ＲＲＣ接続解除メッセージに含まれるセキュリティコンテキスト情報と交換させ、
格納された非アクティブ無線ネットワーク一時識別子（Ｉ−ＲＮＴＩ）を前記ＲＲＣ接続解除メッセージに含まれるＩ−ＲＮＴＩと交換させ、
格納されたセル識別情報を、前記ＵＥが前記ＲＲＣ再開要求メッセージを送出し前記ＲＲＣ接続解除メッセージを受信したセルのセル識別情報と交換させ、
格納された物理セル識別情報を、前記ＵＥが前記ＲＲＣ再開要求メッセージを送出し前記ＲＲＣ接続解除メッセージを受信した前記セルの物理セル識別情報と交換させ、かつ、
格納されたセル無線ネットワーク一時識別子（Ｃ−ＲＮＴＩ）を、前記ＵＥが前記ＲＲＣ再開要求メッセージを送出し前記ＲＲＣ接続解除メッセージを受信した前記セルに対して前記ＵＥが取得したＣ−ＲＮＴＩと交換させるように構成された、ＵＥ。
【請求項６】
前記セキュリティコンテキスト情報がネクストホップチェーンカウントを含む、請求項５に記載のＵＥ。
【請求項７】
ユーザ機器（ＵＥ）からの無線リソース制御（ＲＲＣ）再開要求に応答して前記ＵＥを再中断する際に、前記ＵＥに対して格納されたＵＥアクセス層（ＡＳ）コンテキストを更新する、ネットワークノードであって、
処理回路構成を備え、該処理回路構成が前記ネットワークノードに、
ＵＥからＲＲＣ再開要求メッセージを受信させ、
前記ＲＲＣ再開要求メッセージの受信に応答して、前記ＵＥに中断の指示を含むＲＲＣ接続解除メッセージを送信させ、
前記中断の指示を含む前記ＲＲＣ接続解除メッセージの送信に応答して、前記ＵＥの格納されたＡＳコンテキストにおける情報を新しい情報と交換させるように構成され、前記ＵＥの前記格納されたＡＳコンテキストにおける前記情報を交換するために、前記処理回路構成が前記ネットワークノードに、
格納されたセキュリティコンテキスト情報を前記ＲＲＣ接続解除メッセージに含まれるセキュリティコンテキスト情報と交換させ、
格納された非アクティブ無線ネットワーク一時識別子（Ｉ−ＲＮＴＩ）を前記ＲＲＣ接続解除メッセージに含まれるＩ−ＲＮＴＩと交換させ、
格納されたセル識別情報を、前記ＵＥが前記ＲＲＣ再開要求メッセージを送出し前記ＲＲＣ接続解除メッセージを受信したセルのセル識別情報と交換させ、
格納された物理セル識別情報を、前記ＵＥが前記ＲＲＣ再開要求メッセージを送出し前記ＲＲＣ接続解除メッセージを受信した前記セルの物理セル識別情報と交換させ、かつ、
格納されたセル無線ネットワーク一時識別子（Ｃ−ＲＮＴＩ）を、前記ＵＥが前記ＲＲＣ再開要求メッセージを送出し前記ＲＲＣ接続解除メッセージを受信した前記セルに対して前記ＵＥが取得したＣ−ＲＮＴＩと交換させるように構成された、ネットワークノード。
【請求項８】
前記セキュリティコンテキスト情報がネクストホップチェーンカウントを含む、請求項７に記載のネットワークノード。
【請求項９】
ユーザ機器（ＵＥ）からの無線リソース制御（ＲＲＣ）再開要求に応答して前記ＵＥを再中断する際に、前記ＵＥに対して格納されたＵＥアクセス層（ＡＳ）コンテキストを更新する、ネットワークノードを操作する方法であって、
ＵＥからＲＲＣ再開要求メッセージを受信するステップと、
前記ＲＲＣ再開要求メッセージの受信に応答して、前記ＵＥに中断の指示を含むＲＲＣ接続解除メッセージを送信するステップと、
前記中断の指示を含む前記ＲＲＣ接続解除メッセージの受信に応答して、前記ＵＥの格納されたＡＳコンテキストにおける情報を新しい情報と交換するステップとを含み、前記ＵＥの前記格納されたＡＳコンテキストにおける前記情報を交換するステップが、
格納されたセキュリティコンテキスト情報を前記ＲＲＣ接続解除メッセージに含まれるセキュリティコンテキスト情報と交換するステップ、
格納された不活性無線ネットワーク一時識別子（Ｉ−ＲＮＴ）を前記ＲＲＣ接続解除メッセージに含まれるＩ−ＲＮＴＩと交換するステップ、
格納されたセル識別情報を、前記ＵＥが前記ＲＲＣ再開要求メッセージを送出し前記ＲＲＣ接続解除メッセージを受信したセルのセル識別情報と交換するステップ、
格納された物理的セル識別情報を、前記ＵＥが前記ＲＲＣ再開要求メッセージを送出し前記ＲＲＣ接続解除メッセージを受信した前記セルの物理的セル識別情報と交換するステップ、および、
格納されたセル無線ネットワーク一時識別子（Ｃ−ＲＮＴＩ）を、前記ＵＥが前記ＲＲＣ再開要求メッセージを送出し前記ＲＲＣ接続解除メッセージを受信した前記セルに対して前記ＵＥが取得したＣ−ＲＮＴＩと交換するステップを含む、方法。
【請求項１０】
前記セキュリティコンテキスト情報がネクストホップチェーンカウントを含む、請求項９に記載の方法。
【発明の詳細な説明】
【技術分野】
【０００１】
関連出願
本出願は、２０１８年４月１６日付けの仮特許出願第６２／６５７，９７４号の利益を主張し、その開示の全体を参照により本明細書に援用する。
【０００２】
本開示は、無線通信システムにおける接続再開／中断に関する。
【背景技術】
【０００３】
ロングタームエボリューション（ＬＴＥ）において、リリース１３ａメカニズムが、ユーザ機器（ＵＥ）をネットワークによって中断するために導入された。この中断状態はＲＲＣ＿ＩＤＬＥに類似している。しかしながら、ＲＲＣ＿ＩＤＬＥ状態とは異なり、ＵＥは、アクセス層（ＡＳ）コンテキストまたは無線リソース制御（ＲＲＣ）コンテキストを格納する。これによって、以前のリリースの場合のように、ＲＲＣ接続を最初から確立する代わりに、ＲＲＣ接続を再開することによって、ＵＥが再びアクティブになっているときのシグナリングを低減することが可能になる。シグナリングの低減は、レイテンシの低減（例えば、スマートフォンがインターネットにアクセスする場合）など、いくつかの利益を有することがあり、ならびに／あるいは、シグナリングの低減は、マシンタイプデバイスがほとんどデータを送出しない場合にバッテリ消費が低減されることに結びつく。
【０００４】
リリース１３の解決策は、ＵＥがＲＲＣＣｏｎｎｅｃｔｉｏｎＲｅｓｕｍｅＲｅｑｕｅｓｔメッセージをネットワークに対して送出し、応答してＲＲＣＣｏｎｎｅｃｔｉｏｎＲｅｓｕｍｅメッセージをネットワークから受信することに基づく。ＲＲＣＣｏｎｎｅｃｔｉｏｎＲｅｓｕｍｅメッセージは、暗号化されないが、整合性が保護される。
【０００５】
第３世代パートナーシッププロジェクト（３ＧＰＰ）の第５世代（５Ｇ）新無線（ＮＲ）における標準作業の一部として、ＮＲは、ＬＴＥリリース１３の中断状態と同様の性質を有する、ＲＲＣ＿ＩＮＡＣＴＩＶＥ状態に対応しているべきであると判断されている。ＲＲＣ＿ＩＮＡＣＴＩＶＥは、別個のＲＲＣ状態であり、ＬＴＥのようにＲＲＣ＿ＩＤＬＥの一部ではないという点で、中断状態とはわずかに異なる性質を有する。それに加えて、コアネットワーク（ＣＮ）／無線アクセスネットワーク（ＲＡＮ）接続（次世代（ＮＧ）またはＮ２インターフェース）は、ＬＴＥでは中断されるが、ＲＲＣ＿ＩＮＡＣＴＩＶＥに対して保持される。
【０００６】
図１は、ＮＲにおける可能なＵＥ状態遷移を示している。図１に示される状態の性質は次の通りである。
ＲＲＣ＿ＩＤＬＥ：
−ＵＥ固有間欠受信（ＤＲＸ）は上位レイヤによって構成されてもよい。
−ＵＥは、ネットワーク構成に基づいてモビリティを制御した。
−ＵＥは、
−５Ｇシステムアーキテクチャエボリューション（ＳＡＥ）一時的移動体加入者識別子（ＴＭＳＩ）（５Ｇ−Ｓ−ＴＭＳＩ）を使用して、ＣＮページングのページングチャネルを監視し、
−隣接セル測定およびセル（再）選択を実施し、
−システム情報を獲得する。
ＲＲＣ＿ＩＮＡＣＴＩＶＥ：
−ＵＥ固有ＤＲＸは、上位レイヤまたはＲＲＣレイヤによって構成されてもよい。
−ＵＥは、ネットワーク構成に基づいてモビリティを制御した。
−ＵＥはＡＳコンテキストを格納する。
−ＵＥは、
−５Ｇ−Ｓ−ＴＭＳＩを使用してＣＮページングの、また非アクティブ無線ネットワーク一時識別子（Ｉ−ＲＮＴＩ）を使用してＲＡＮページングのページングチャネルを監視し、
隣接セル測定およびセル（再）選択を実施し、
−ＲＡＮベースの通知領域の更新を周期的に、またＲＡＮベースの通知領域外に移動したときに実施し、
−システム情報を獲得する。
ＲＲＣ＿ＣＯＮＮＥＣＴＥＤ：
−ＵＥはＡＳコンテキストを格納する。
−ユニキャストデータをＵＥとの間で転送する。
−下位レイヤでは、ＵＥはＵＥ固有ＤＲＸを用いて構成されてもよい。
−キャリアアグリゲーション（ＣＡ）に対応しているＵＥの場合、帯域幅の増加に対して、スペシャルセル（ＳｐＣｅｌｌ）とアグリゲートされた１つまたは複数のセカンダリセル（ＳＣｅｌｌ）を使用。
−デュアルコネクティビティ（ＤＣ）に対応しているＵＥの場合、帯域幅の増加に対して、マスターセルグループ（ＭＣＧ）とアグリゲートされた１つのセカンダリセルグループ（ＳＣＧ）を使用。
−ネットワーク制御されたモビリティ、即ちＮＲ内の、ならびにエボルブドユニバーサル移動通信サービス（ＵＭＴＳ）地上ＲＡＮ（Ｅ−ＵＴＲＡＮ）との間のハンドオーバー。
−ＵＥは、
−ページングチャネルを監視し、
−共有データチャネルと関連付けられた制御チャネルを、データがその制御チャネルに関してスケジューリングされているかを決定するために監視し、
−チャネル品質およびフィードバック情報を提供し、
−隣接セル測定および測定報告を実施し、
−システム情報を獲得する。
【０００７】
ＬＴＥでは、ＲＲＣ＿ＣＯＮＮＥＣＴＥＤ  ＵＥは、中断インジケータを含むＲＲＣＣｏｎｎｅｃｔｉｏｎＲｅｌｅａｓｅメッセージを受信することによって中断することができる。そのメッセージを受信すると、ＵＥは一部のパラメータを格納し、他は消去する。ＵＥを中断しているソースノードによって提供される、これらの格納されたパラメータの一部は、ＵＥが接続を再開しようと試行するとき、ＵＥによって使用される。
【０００８】
より詳細には、中断されるという指示を受信すると、ＵＥは、ＲＲＣ＿ＣＯＮＮＥＣＴＥＤで使用されるＲＲＣ構成を含むＡＳコンテキストと、ＵＥがＲＲＣ＿ＣＯＮＮＥＣＴＥＤのときにＵＥが接続されていた最後のソースのプライマリセル（ＰＣｅｌｌ）と関連付けられた以下のパラメータとを格納する。
−ＲＲＣ＿ＣＯＮＮＥＣＴＥＤにおける最後のＰＣｅｌｌのセル無線ネットワーク一時識別子（Ｃ−ＲＮＴＩ）、
−ＲＲＣ＿ＣＯＮＮＥＣＴＥＤにおける最後のＰＣｅｌｌのセル識別情報（公衆地上移動体ネットワーク（ＰＬＭＮ）内のセルを特定する２８ビット値）、
−ＲＲＣ＿ＣＯＮＮＥＣＴＥＤにおける最後のＰＣｅｌｌの物理セル識別情報（ＰＣＩ）。
【０００９】
ＲＲＣＣｏｎｎｅｃｔｉｏｎＲｅｌｅａｓｅメッセージの受信に応答して、ＬＴＥ規格にしたがってＵＥがどのように挙動するかに関する更なる詳細は、付表Ａに見出される。
【００１０】
中断構成のＲＲＣ＿ＩＤＬＥ  ＵＥが再開したいとき（即ち、ＬＴＥにおける）、ＵＥがＲＲＣ＿ＣＯＮＮＥＣＴＥＤのときにＵＥが接続されていた最後のＰＣｅｌｌと関連付けられる格納されたパラメータ（Ｃ−ＲＮＴＩ、セル識別情報、およびＰＣＩ）は、ＲＲＣ再開手順で、ＵＥ  ＡＳコンテキストをホストするソースノードによってＵＥを認識することができるように、短い整合性のためのメッセージ認証コード（ＭＡＣ−Ｉ）セキュリティトークンを計算するのに使用される。これにより、ソースノードがターゲットノードからコンテキストフェッチ要求を受領することができる。この手順に関する更なる詳細は付表Ｂに見出すことができる。
【００１１】
現在、特定の課題が存在している。ＬＴＥ  ＲＲＣとは異なるＮＲ  ＲＲＣでは、ネットワークは、ＵＥにＲＲＣ＿ＩＮＡＣＴＩＶＥ状態に戻るように即時に命令する、中断メッセージ（または等価の、中断の指示もしくは構成を含む解除メッセージなど）を含むＵＥからのＲｅｓｕｍｅＲｅｑｕｅｓｔに応答してもよい。ＬＴＥは、中断メッセージ（例えば、中断指示を含む解除メッセージ）をＵＥに直接送出して、図２に示される例のように、接続を再開しようとすることは許可しない。それよりもむしろ、この特徴はＮＲにおける新規のものである。
【００１２】
ＮＲ  ＲＲＣでは、ネットワークは、あるいは、ＵＥにＲＲＣ＿ＩＤＬＥ状態に戻るように即時に命令する、解除メッセージ（即ち、中断指示を含まない）を含むＵＥからのＲｅｓｕｍｅＲｅｑｕｅｓｔに応答してもよい。このメッセージは暗号化される。ＬＴＥは、解除メッセージをＵＥに直接送出して、図３に示される例のように、接続を再開しようとすることは許可しない。それよりもむしろ、この特徴もＮＲにおける新規のものである。
【００１３】
ＲＲＣ接続処理に関して（例えば、ＮＲドラフト規格において）現在知られている手順は、ＬＴＥに類似した特徴を採用している。しかしながら、ＵＥが再中断されたときのＲＲＣ接続処理は、十分に開発または理解されていない。
【発明の概要】
【００１４】
ＵＥからの再開要求に応答して、ＵＥの再中断時における格納されたユーザ機器（ＵＥ）コンテキスト情報を更新する、システムおよび方法が本明細書に開示される。いくつかの実施形態では、ＵＥにおける方法は、無線リソース制御（ＲＲＣ）再開要求メッセージを送信することと、ＲＲＣ再開要求メッセージに応答して、中断の指示を含むＲＲＣ接続解除メッセージを受信することとを含む。方法は、中断の指示を含むＲＲＣ接続解除メッセージの受信に応答して、ＵＥの格納されたアクセス層（ＡＳ）コンテキストにおける情報を新しい情報と交換することを更に含む。ＵＥの格納されたＡＳコンテキストにおける情報を交換することは、格納されたセキュリティコンテキスト情報をＲＲＣ接続解除メッセージに含まれるセキュリティコンテキスト情報と交換すること、格納された非アクティブ無線ネットワーク一時識別子（Ｉ−ＲＮＴＩ）をＲＲＣ接続解除メッセージに含まれるＩ−ＲＮＴＩと交換すること、格納されたセル識別情報を、ＵＥがＲＲＣ再開要求メッセージを送出しＲＲＣ接続解除メッセージを受信したセルのセル識別情報と交換すること、格納された物理セル識別情報（ＰＣＩ）を、ＵＥがＲＲＣ再開要求メッセージを送出しＲＲＣ接続解除メッセージを受信したセルのＰＣＩと交換すること、または、格納されたセル無線ネットワーク一時識別子（Ｃ−ＲＮＴＩ）を、ＵＥがＲＲＣ再開要求メッセージを送出しＲＲＣ接続解除メッセージを受信したセルに対してＵＥが取得したＣ−ＲＮＴＩと交換することを含む。このように、ＵＥの格納されたＡＳコンテキストは、ＵＥの再中断時に更新される。
【００１５】
いくつかの実施形態では、方法は、ＲＲＣ接続解除メッセージがセキュリティコンテキスト情報を含むと決定することを更に含み、ＵＥの格納されたＡＳコンテキストにおける情報を交換することは、格納されたセキュリティコンテキスト情報を、ＲＲＣ接続解除メッセージに含まれるセキュリティコンテキスト情報と交換することを含む。
【００１６】
いくつかの実施形態では、方法は、ＲＲＣ接続解除メッセージがＩ−ＲＮＴＩを含むと決定することを更に含み、ＵＥの格納されたＡＳコンテキストにおける情報を交換することは、格納されたＩ−ＲＮＴＩをＲＲＣ接続解除メッセージに含まれるＩ−ＲＮＴＩと交換することを含む。
【００１７】
いくつかの実施形態では、方法は、ＲＲＣ再開要求メッセージを送出する前にセルのセル識別情報を取得することを更に含み、ＵＥの格納されたＡＳコンテキストにおける情報を交換することは、格納されたセル識別情報を、ＵＥがＲＲＣ再開要求メッセージを送出しＲＲＣ接続解除メッセージを受信したセルのセル識別情報と交換することを含む。
【００１８】
いくつかの実施形態では、方法は、ＲＲＣ再開要求メッセージを送出する前にセルのＰＣＩを取得することを更に含み、ＵＥの格納されたＡＳコンテキストにおける情報を交換することは、格納されたＰＣＩを、ＵＥがＲＲＣ再開要求メッセージを送出しＲＲＣ接続解除メッセージを受信したセルのＰＣＩと交換することを含む。
【００１９】
いくつかの実施形態では、方法は、ＲＲＣ再開要求メッセージを送出する前にセルに関するＣ−ＲＮＴＩを取得することを更に含み、ＵＥの格納されたＡＳコンテキストにおける情報を交換することは、格納されたＣ−ＲＮＴＩを、ＵＥがＲＲＣ再開要求メッセージを送出しＲＲＣ接続解除メッセージを受信したセルに対してＵＥによって取得されたＣ−ＲＮＴＩと交換することを含む。
【００２０】
いくつかの実施形態では、ＵＥがＲＲＣ再開要求メッセージを送出しＲＲＣ接続解除メッセージを受信したセルに対してＵＥによって取得されたＣ−ＲＮＴＩは、一時Ｃ−ＲＮＴＩである。
【００２１】
いくつかの実施形態では、方法は、ＵＥの更新されたＡＳコンテキストを提供するため、ＵＥの格納されたＡＳコンテキストにおける情報を交換した後、ＵＥの更新されたＡＳコンテキストを使用して、後に続くＲＲＣ再開要求を送出することを更に含む。いくつかの実施形態では、ＵＥの更新されたＡＳコンテキストを使用して、後に続くＲＲＣ再開要求を送出することは、更新されたＡＳコンテキストを使用して、後に続くＲＲＣ再開要求に含まれるセキュリティ整合性トークンを計算することを含む。
【００２２】
ＵＥの実施形態も開示される。いくつかの実施形態では、ＵＥは、ＲＲＣ再開要求メッセージを送信し、ＲＲＣ再開要求メッセージに応答して、中断の指示を含むＲＲＣ接続解除メッセージを受信するように適合される。ＵＥは、中断の指示を含むＲＲＣ接続解除メッセージの受信に応答して、ＵＥの格納されたＡＳコンテキストにおける情報を新しい情報と交換するように更に適合される。ＵＥの格納されたＡＳコンテキストにおける情報を交換するために、ＵＥは、格納されたセキュリティコンテキスト情報をＲＲＣ接続解除メッセージに含まれるセキュリティコンテキスト情報と交換するか、格納されたＩ−ＲＮＴＩをＲＲＣ接続解除メッセージに含まれるＩ−ＲＮＴＩと交換するか、格納されたセル識別情報を、ＵＥがＲＲＣ再開要求メッセージを送出しＲＲＣ接続解除メッセージを受信したセルのセル識別情報と交換するか、格納されたＰＣＩを、ＵＥがＲＲＣ再開要求メッセージを送出しＲＲＣ接続解除メッセージを受信したセルのＰＣＩと交換するか、または、格納されたＣ−ＲＮＴＩを、ＵＥがＲＲＣ再開要求メッセージを送出しＲＲＣ接続解除メッセージを受信したセルに対してＵＥが取得したＣ−ＲＮＴＩと交換するように、更に適合される。
【００２３】
他のいくつかの実施形態では、ＵＥは、無線インターフェースと、無線インターフェースと関連付けられた処理回路構成とを備える。処理回路構成は、ＵＥに、ＲＲＣ再開要求メッセージを送信させ、ＲＲＣ再開要求メッセージに応答して、中断の指示を含むＲＲＣ接続解除メッセージを受信させるように構成される。処理回路構成は、ＵＥに、中断の指示を含むＲＲＣ接続解除メッセージの受信に応答して、ＵＥの格納されたＡＳコンテキストにおける情報を新しい情報と交換させるように更に構成される。ＵＥの格納されたＡＳコンテキストにおける情報を交換するために、処理回路構成は、ＵＥに、格納されたセキュリティコンテキスト情報をＲＲＣ接続解除メッセージに含まれるセキュリティコンテキスト情報と交換させるか、格納されたＩ−ＲＮＴＩをＲＲＣ接続解除メッセージに含まれるＩ−ＲＮＴＩと交換させるか、格納されたセル識別情報を、ＵＥがＲＲＣ再開要求メッセージを送出しＲＲＣ接続解除メッセージを受信したセルのセル識別情報と交換させるか、格納されたＰＣＩを、ＵＥがＲＲＣ再開要求メッセージを送出しＲＲＣ接続解除メッセージを受信したセルのＰＣＩと交換させるか、または、格納されたＣ−ＲＮＴＩを、ＵＥがＲＲＣ再開要求メッセージを送出しＲＲＣ接続解除メッセージを受信したセルに対してＵＥが取得したＣ−ＲＮＴＩと交換させるように、更に構成される。
【００２４】
ネットワークノードにおける方法の実施形態も開示される。いくつかの実施形態では、ＵＥからのＲＲＣ再開要求に応答してＵＥを再中断する際に、ＵＥに対して格納されたＵＥ  ＡＳコンテキストを更新する、ネットワークノードにおける方法は、ＵＥからＲＲＣ再開要求メッセージを受信することと、ＲＲＣ再開要求メッセージの受信に応答して、ＵＥに中断の指示を含むＲＲＣ接続解除メッセージを送信することとを含む。方法は、中断の指示を含むＲＲＣ接続解除メッセージの送信に応答して、ＵＥの格納されたＡＳコンテキストにおける情報を新しい情報と交換することを更に含む。ＵＥの格納されたＡＳコンテキストにおける情報を交換することは、格納されたセキュリティコンテキスト情報をＲＲＣ接続解除メッセージに含まれるセキュリティコンテキスト情報と交換すること、格納されたＩ−ＲＮＴＩをＲＲＣ接続解除メッセージに含まれるＩ−ＲＮＴＩと交換すること、格納されたセル識別情報を、ＵＥがＲＲＣ再開要求メッセージを送出しＲＲＣ接続解除メッセージを受信したセルのセル識別情報と交換すること、格納されたＰＣＩを、ＵＥがＲＲＣ再開要求メッセージを送出しＲＲＣ接続解除メッセージを受信したセルのＰＣＩと交換すること、または、格納されたＣ−ＲＮＴＩを、ＵＥがＲＲＣ再開要求メッセージを送出しＲＲＣ接続解除メッセージを受信したセルに対してＵＥが取得したＣ−ＲＮＴＩと交換することを含む。
【００２５】
いくつかの実施形態では、ＵＥの格納されたＡＳコンテキストにおける情報を交換することは、格納されたセキュリティコンテキスト情報を、ＲＲＣ接続解除メッセージに含まれるセキュリティコンテキスト情報と交換することを含む。
【００２６】
いくつかの実施形態では、ＵＥの格納されたＡＳコンテキストにおける情報を交換することは、格納されたＩ−ＲＮＴＩをＲＲＣ接続解除メッセージに含まれるＩ−ＲＮＴＩと交換することを含む。
【００２７】
いくつかの実施形態では、ＵＥの格納されたＡＳコンテキストにおける情報を交換することは、格納されたセル識別情報を、ＵＥがＲＲＣ再開要求メッセージを送出しＲＲＣ接続解除メッセージを受信したセルのセル識別情報と交換することを含む。
【００２８】
いくつかの実施形態では、ＵＥの格納されたＡＳコンテキストにおける情報を交換することは、格納されたＰＣＩを、ＵＥがＲＲＣ再開要求メッセージを送出しＲＲＣ接続解除メッセージを受信したセルのＰＣＩと交換することを含む。
【００２９】
いくつかの実施形態では、ＵＥの格納されたＡＳコンテキストにおける情報を交換することは、格納されたＣ−ＲＮＴＩを、ＵＥがＲＲＣ再開要求メッセージを送出しＲＲＣ接続解除メッセージを受信したセルに対してＵＥが取得したＣ−ＲＮＴＩと交換することを含む。
【００３０】
ネットワークノードの実施形態も開示される。いくつかの実施形態では、ＵＥからのＲＲＣ再開要求に応答してＵＥを再中断する際に、ＵＥに対して格納されたＵＥ  ＡＳコンテキストを更新するネットワークノードは、ＵＥからＲＲＣ再開要求メッセージを受信し、ＲＲＣ再開要求メッセージの受信に応答して、ＵＥに中断の指示を含むＲＲＣ接続解除メッセージを送信するように適合される。ネットワークノードは、中断の指示を含むＲＲＣ接続解除メッセージの送信に応答して、ＵＥの格納されたＡＳコンテキストにおける情報を新しい情報と交換するように更に適合される。ＵＥの格納されたＡＳコンテキストにおける情報を交換するために、ネットワークノードは、格納されたセキュリティコンテキスト情報をＲＲＣ接続解除メッセージに含まれるセキュリティコンテキスト情報と交換するか、格納されたＩ−ＲＮＴＩをＲＲＣ接続解除メッセージに含まれるＩ−ＲＮＴＩと交換するか、格納されたセル識別情報を、ＵＥがＲＲＣ再開要求メッセージを送出しＲＲＣ接続解除メッセージを受信したセルのセル識別情報と交換するか、格納されたＰＣＩを、ＵＥがＲＲＣ再開要求メッセージを送出しＲＲＣ接続解除メッセージを受信したセルのＰＣＩと交換するか、または、格納されたＣ−ＲＮＴＩを、ＵＥがＲＲＣ再開要求メッセージを送出しＲＲＣ接続解除メッセージを受信したセルに対してＵＥが取得したＣ−ＲＮＴＩと交換するように、更に適合される。
【００３１】
いくつかの実施形態では、ＵＥからのＲＲＣ再開要求に応答してＵＥを再中断する際に、ＵＥに対して格納されたＵＥ  ＡＳコンテキストを更新するネットワークノードは、ネットワークノードに、ＵＥからＲＲＣ再開要求メッセージを受信させ、ＲＲＣ再開要求メッセージの受信に応答して、ＵＥに中断の指示を含むＲＲＣ接続解除メッセージを送信させるように構成された、処理回路構成を備える。処理回路構成は、ネットワークノードに、中断の指示を含むＲＲＣ接続解除メッセージの送信に応答して、ＵＥの格納されたＡＳコンテキストにおける情報を新しい情報と交換させるように更に構成される。ＵＥの格納されたＡＳコンテキストにおける情報を交換するために、処理回路構成は、ネットワークノードに、格納されたセキュリティコンテキスト情報をＲＲＣ接続解除メッセージに含まれるセキュリティコンテキスト情報と交換させるか、格納されたＩ−ＲＮＴＩをＲＲＣ接続解除メッセージに含まれるＩ−ＲＮＴＩと交換させるか、格納されたセル識別情報を、ＵＥがＲＲＣ再開要求メッセージを送出しＲＲＣ接続解除メッセージを受信したセルのセル識別情報と交換させるか、格納されたＰＣＩを、ＵＥがＲＲＣ再開要求メッセージを送出しＲＲＣ接続解除メッセージを受信したセルのＰＣＩと交換させるか、または、格納されたＣ−ＲＮＴＩを、ＵＥがＲＲＣ再開要求メッセージを送出しＲＲＣ接続解除メッセージを受信したセルに対してＵＥが取得したＣ−ＲＮＴＩと交換させるように、更に構成される。
【００３２】
本明細書に組み込まれその一部を形成する添付図面は、本開示の複数の態様を例示し、明細書と合わせて本開示の原理を説明する役割を果たす。
【図面の簡単な説明】
【００３３】
【図１】新無線（ＮＲ）における可能なユーザ機器（ＵＥ）状態遷移を示す図である。
【図２】接続を再開しようとするＵＥへの中断メッセージの直接の送出を示す図である。
【図３】接続を再開しようとするＵＥへの解除メッセージの直接の送出を示す図である。
【図４】１つまたは複数の実施形態による、例示の無線通信ネットワークを示す図である。
【図５】時間周波数グリッドとして表される基本的なＮＲ物理リソースの一例を示す図である。
【図６】ＮＲに関する例示の時間領域構造を示す図である。
【図ＷＷ１】特定の実施形態による無線デバイス（例えば、ＵＥ）において実現される方法を示す図である。
【図ＷＷ２】特定の実施形態による基地局において実現される方法を示す図である。
【図ＹＹ１】無線デバイスの一例の実施形態を示す図である。
【図ＹＹ２】無線デバイスの別の例の実施形態を示す図である。
【図ＹＹ３】基地局の一例の実施形態を示す図である。
【図ＹＹ４】基地局の別の例の実施形態を示す図である。
【図ＱＱ１】本明細書に開示するいくつかの実施形態による例示の無線ネットワークを示す図である。
【図ＷＴ１】本開示のいくつかの実施形態による、ＵＥからの再開要求に応答してＵＥを再中断する際に、ＵＥの格納されたアクセス層（ＡＳ）コンテキストをリフレッシュする、ＵＥおよび基地局の動作を示す図である。
【図ＱＱ２】本明細書に開示されるいくつかの実施形態によるＵＥの一実施形態を示す図である。
【図ＱＱ３】いくつかの実施形態によって実現される機能が仮想化されてもよい、仮想化環境を示す概略ブロック図である。
【図ＱＱ４】本明細書に開示されるいくつかの実施形態による電気通信ネットワークを含む通信システムを示す図である。
【図ＱＱ５】本明細書に開示されるいくつかの実施形態による通信システムを示す図である。
【図ＱＱ６】本明細書に開示されるいくつかの実施形態による通信システムにおいて実現される方法を示すフローチャートである。
【図ＱＱ７】本明細書に開示されるいくつかの実施形態による通信システムにおいて実現される方法を示すフローチャートである。
【図ＱＱ８】本明細書に開示されるいくつかの実施形態による通信システムにおいて実現される方法を示すフローチャートである。
【図ＱＱ９】本明細書に開示されるいくつかの実施形態による通信システムにおいて実現される方法を示すフローチャートである。
【発明を実施するための形態】
【００３４】
以下に説明する実施形態は、当業者が実施形態を実施できるようにする情報を表し、実施形態を実施する最良の形態を示す。以下の記載を添付図面に照らして読むことで、当業者であれば、本開示の概念を理解し、またこれらの概念の適用については、本明細書では特に扱われないことを認識するであろう。これらの概念および適用は本開示の範囲内にあることが理解されるべきである。
【００３５】
背景技術の項で考察したように、無線リソース制御（ＲＲＣ）接続処理に関して（例えば、新無線（ＮＲ）ドラフト規格において）現在知られている手順は、ロングタームエボリューション（ＬＴＥ）に類似した特徴を採用している。しかしながら、ユーザ機器（ＵＥ）が再中断されたときのＲＲＣ接続処理は、十分に開発または理解されていない。ＵＥを再中断する１つの方策に関する詳細は、付表Ｃに見出すことができる。
【００３６】
ＮＲに適切であることができる１つの方策は、ＵＥが、ＲＲＣＲｅｓｕｍｅＲｅｑｕｅｓｔメッセージを送出する前に、新しいセキュリティキー（ＫｇＮＢ、Ｋｒｒｃｉｎｔなど）を導き出すことである。これらのキーは、ＲＲＣＲｅｓｕｍｅＲｅｑｕｅｓｔメッセージで使用されるセキュリティトークンを計算し、応答メッセージ（ＲＲＣＳｕｓｐｅｎｄ、ＲＲＣＲｅｌｅａｓｅ、ＲＲＣＲｅｓｕｍｅ）を暗号化し整合性保護するのに使用されてもよい。かかる方策の一例は、付表Ｄに見出すことができる。
【００３７】
上述の方策では、ＵＥは、ＲＲＣＲｅｓｕｍｅＲｅｑｕｅｓｔに応答してＲＲＣＳｕｓｐｅｎｄを受信している場合の、現在のＲＲＣ構成、現在のセキュリティコンテキスト、ロバストヘッダ圧縮（ＲＯＨＣ）状態を含むパケットデータコンバージェンスプロトコル（ＰＤＣＰ）状態、ソースプライマリセル（ＰＣｅｌｌ）で使用されるセル無線ネットワーク一時識別子（Ｃ−ＲＮＴＩ）、ｃｅｌｌＩｄｅｎｔｉｔｙ、およびソースＰＣｅｌｌの物理セル識別情報（ＰＣＩ）を含む、ＵＥアクセス層（ＡＳ）コンテキストを格納しない。ここでは、ＵＥは、次にＲＲＣＲｅｓｕｍｅＲｅｑｕｅｓｔを送出するとき、古い格納されたコンテキストを使用するべきであると仮定される。
【００３８】
新しいセキュリティキーを導き出すのに、新しいセキュリティキーを生成するためのベースキーとしてＲＲＣＲｅｓｕｍｅＲｅｑｕｅｓｔを送出する前に生成された新たなＵＥセキュリティキーを使用するのではなく、古いセキュリティコンテキスト（例えば、セキュリティキー）を再使用する必要があるので、この方策は安全性が低い。更に、この方策はまた、次の試行で使用されるＵＥにＲＲＣＳｕｓｐｅｎｄを送出するとき、ネットワークが、古いセキュリティコンテキストを格納することを要する。それに加えて、ネットワークは、古いソースＰＣｅｌｌ（即ち、ＵＥが前のＲＲＣＳｕｓｐｅｎｄを受信したＰＣｅｌｌ）におけるＣ−ＲＮＴＩ、ソースＰＣｅｌｌのｃｅｌｌＩｄｅｎｔｉｔｙ、およびソースＰＣｅｌｌのＰＣＩなど、ＵＥが最後に接続状態にあった古いノードまたはセルに関する、より多くのパラメータを維持する必要がある。これらのパラメータは、ターゲットノード（即ち、ＵＥがＲＲＣＲｅｓｕｍｅＲｅｑｕｅｓｔを送出するノード）で使用されるものとは異なる可能性が最も高い。
【００３９】
ＬＴＥにおける整合性トークンを計算するのに位置依存のパラメータを使用することが、ＲＲＣ再開に対するＬＴＥセキュリティ上の解決策の強みなので、古いパラメータを未来のＲＲＣＲｅｓｕｍｅＲｅｑｕｅｓｔに対する入力として使用することによって、セキュリティの問題が生じる場合がある。しかしながら、上述のＮＲの方策によってこの原理が破られ、ＵＥは動き回り、場合によってはそのセキュリティパラメータおよび位置依存のものを更新している可能性があるが、ＵＥは古いパラメータを使用し続ける。
【００４０】
それに加えて、ＲＲＣＲｅｌｅａｓｅを受信する際にＵＥが何を行うかは不明である。例えば、ＵＥは、これらの位置依存のパラメータを更新してもしなくてもよい。更に、ＵＥはいくつかのパラメータを格納してもよいが、これらのパラメータが既に格納されている場合に何が行われるべきかは不明である。
【００４１】
例えば、パラメータｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏに関して、１つの方策は、ＵＥが、ＵＥがＲＲＣＳｕｓｐｅｎｄメッセージを受信するたびにこれらのパラメータを格納し、ＵＥがＲＲＣ＿ＣＯＮＮＥＣＴＥＤに入ったときのみこれらのパラメータを消去するものであってもよい。これは、ＵＥが同じパラメータの複数セットで終わる場合があるため、ＵＥが中断状態においてどのパラメータを使用するべきかに関して、曖昧さを生じさせることがある。
【００４２】
本開示の特定の態様およびそれらの実施形態は、これらまたは他の課題に対する解決策を提供することができる。特に、本明細書に記載する実施形態は、ＲＲＣ再開要求の送信に応答して中断メッセージを受信する際に、一連の非アクティブパラメータ（例えば、再開要求の整合性トークンに使用されるセキュリティコンテキストおよび位置ベースのパラメータ、ページングおよび通知領域パラメータ）を処理する、新しいメカニズムを紹介する。これらのパラメータはまた、ＵＥが再開要求を実施しており中断メッセージを受信する場合に、リフレッシュされてもよい。これに関して、これらのパラメータは、ＵＥがＲＲＣ＿ＣＯＮＮＥＣＴＥＤに入るか否かにかかわらず、新しく保たれてもよい。これは、ＵＥがＲＲＣ＿ＣＯＮＮＥＣＴＥＤに入り、次にこれらのパラメータをリフレッシュするために再中断される必要がある、過去の方策とは異なる。
【００４３】
特定の実施形態は、以下の技術的利点の１つまたは複数を提供してもよい。
【００４４】
本開示の特定の実施形態は、後に続く再開手順に対して規定された明確なＵＥ挙動について記載する。少なくともいくつかのかかる実施形態では、ＵＥは、中断メッセージ（または中断構成もしくは指示を含む解除メッセージ）を受信すると、セキュリティに関するパラメータをリフレッシュする。
【００４５】
少なくともいくつかのかかる実施形態では、これによって、ＲＲＣ再開要求（整合性のための再開メッセージ認証コード（ＭＡＣ−Ｉ）とも呼ばれる）に含まれるＵＥのセキュリティ整合性トークンを計算するのに最新の位置ベースのパラメータを使用する、ＬＴＥのセキュリティ原理を維持することが可能になる。
【００４６】
更に、特定の実施形態は、ネットワークが、ＵＥが最後に接続状態にあったときに作成された古い情報を保持する必要性をなくす。つまり、特定の実施形態が、最後にＵＥが中断されたときから最後のコンテキストを維持するのに十分である。これは、例えば、ネットワークの複雑性を低減してもよい。
【００４７】
図４は、１つまたは複数の実施形態による、例示の無線通信ネットワーク４００を示している。無線通信ネットワーク４００は、基地局４０２とＵＥ  ４０４との間の通信に対応している。基地局４０２は、適用可能な規格ではエボルブドノードＢ（ｅＮＢ）または第５世代（５Ｇ）ノードＢ（ｇＮＢ）と呼ばれる場合があり、無線通信ネットワーク４００のセル４０６においてＵＥ  ４０４に無線カバレッジを提供する。
【００４８】
ＵＥ  ４０４は、例えば、携帯電話、スマートフォン、ラップトップコンピュータ、ノートブックコンピュータ、タブレット、マシンツーマシン（Ｍ２Ｍ）通信デバイス（マシンタイプ通信（ＭＴＣ）デバイスとも呼ばれる）、または無線通信能力を有する他のデバイスを含んでもよい。基地局４０２は、物理ダウンリンク共有チャネル（ＰＤＳＣＨ）、物理ダウンリンク制御チャネル（ＰＤＣＣＨ）、および物理ブロードキャストチャネル（ＰＢＣＨ）のダウンリンク（ＤＬ）で、データをＵＥ  ４０４に送信する。ＵＥ  ４０４は、物理アップリンク共有チャネル（ＰＵＳＣＨ）のアップリンク（ＵＬ）で、データを基地局４０２に送信する。基地局４０２およびＵＥ  ４０４は、５ＧまたはＮＲ規格にしたがって動作するように構成される。
【００４９】
セル４０６は、ＰＣＩおよび／またはセル識別情報（セルＩＤ）によって識別されてもよい。ＰＣＩは、セル４０６と関連付けられた同期信号を検出することによって取得されてもよい。セルＩＤは、基地局４０２から受信したシステム情報から取得され、セル４０６と関連付けられてもよい。
【００５０】
ＬＴＥと同様に、ＮＲは、ネットワークノードまたは基地局（ｅＮＢもしくはｇＮＢとしても知られる）からＵＥへのダウンリンクでは、直交周波数分割多重（ＯＦＤＭ）を使用する。アップリンク（即ち、ＵＥからｇＮＢへ）では、ＯＦＤＭおよび離散フーリエ変換（ＤＦＴ）スプレッドＯＦＤＭの両方に対応する。
【００５１】
５ＧおよびＮＲネットワークの基本的なＮＲ物理リソースは、各リソース要素が１つのＯＦＤＭシンボル間隔中の１つのＯＦＤＭサブキャリアに相当する、図５に示されるようなＬＴＥのものと類似した、時間周波数グリッドとして見ることができる。サブキャリアの間隔は、図５に示されＬＴＥで対応しているように、１５キロヘルツ（ｋＨｚ）であってもよく、ＮＲで対応しているものなど、異なっていてもよい。
【００５２】
更に、ＬＴＥのリソース割当ては、一般的に、リソースブロック（ＲＢ）に関して説明され、ＲＢは、時間領域の１スロット（０．５ミリ秒（ｍｓ））および周波数領域の１２の近接するサブキャリアに相当する。ＲＢは、物理ＲＢ（ＰＲＢ）とも呼ばれる。ＲＢは、周波数領域で、システム帯域幅の一端から０で始まって番号付けされる。ＮＲの場合、ＲＢはやはり周波数における１２のサブキャリアである。
【００５３】
時間領域に関して、実施形態は、実施形態に応じて、ＬＴＥと同じＰＲＢ長さかまたは異なる長さを使用してもよい。特定の実施形態によれば、ＮＲにおけるダウンリンクおよびアップリンク送信の時間領域は、図６に示されるように、均等なサイズのサブフレーム（ＬＴＥと同様）に組織化される。
【００５４】
ダウンリンク送信は動的にスケジューリングされ、即ち、各サブフレームで、基地局は、どのＵＥ  ４０４データが送信されるべきか、また現在のダウンリンクサブフレームにおけるどのＲＢでデータが送信されるかに関して、ダウンリンク制御情報（ＤＣＩ）を送信する。この制御シグナリングは、一般的に、ＮＲの各サブフレームにおける最初の１つまたは２つのＯＦＤＭシンボルで送信される。制御情報はＰＤＣＣＨで伝送され、データはＰＤＳＣＨで伝送される。ＵＥ  ４０４は、最初にＰＤＣＣＨを検出し復号し、ＰＤＣＣＨの復号に成功した場合、ＰＤＣＣＨの復号された制御情報に基づいて、対応するＰＤＳＣＨを復号する。各ＵＥ  ４０４には、同じサービングセルの固有のＣ−ＲＮＴＩが割り当てられる。ＵＥ  ４０４に対するＰＤＣＣＨの巡回冗長検査（ＣＲＣ）ビットは、ＵＥ  ４０４のＣ−ＲＮＴＩによってスクランブルされるので、ＵＥ  ４０４は、ＰＤＣＣＨのＣＲＣビットをスクランブルするのに使用されるＣ−ＲＮＴＩをチェックすることによって、そのＰＤＣＣＨを認識する。
【００５５】
アップリンクデータ送信も、ＰＤＣＣＨを使用して動的にスケジューリングされる。ダウンリンクと同様に、ＵＥ  ４０４は、最初にＰＤＣＣＨにおけるアップリンクグラントを復号し、次に、変調次数、符号化速度、アップリンクリソース割当てなど、アップリンクグラントにおける復号された制御情報に基づいて、ＰＵＳＣＨを通じてデータを送信する。
【００５６】
ＬＴＥでは、周期的データ送信のシーケンスが単一のＰＤＣＣＨによってアクティブ化または非アクティブ化される、半永続スケジューリング（ＳＰＳ）にも、アップリンクおよびダウンリンクの両方で対応している。アクティブ化後のデータ送信に対するＰＤＣＣＨ送信はない。ＳＰＳでは、ＰＤＣＣＨのＣＲＣは、ＵＥ  ４０４がＳＰＳに対応している場合にＵＥ  ４０４に対して構成される、ＳＰＳ−Ｃ−ＲＮＴＩによってスクランブルされる。
【００５７】
ＰＵＳＣＨに加えて、ＮＲでは、ハイブリッド自動再送要求（ＨＡＲＱ）関連応答（ＡＣＫ）、否定応答（ＮＡＣＫ）、またはチャネル状態情報（ＣＳＩ）フィードバックなど、アップリンク制御情報（ＵＣＩ）を伝送するため、物理アップリンク制御チャネル（ＰＵＣＣＨ）にも対応している。
【００５８】
ＲＲＣプロトコルは、ＵＥ  ４０４と基地局４０２との間のエアインターフェースで使用されてもよい（例えば、ＰＤＣＰプロトコルを介して搬送される）。ＲＲＣプロトコルは、一般に、例えば、接続確立および解除機能、システム情報（例えば、非アクセス層（ＮＡＳ）および／またはＡＳに関連）のブロードキャスト、無線ベアラ確立、再構成および解除、ＲＲＣ接続モビリティ手順、サービス品質（ＱｏＳ）管理機能、ＵＥ測定報告および報告管理、ページング通知および解除、ならびに外部ループ電力制御を含む、ＲＲＣサブレイヤの特定のサービスおよび機能に関する。更に、ＲＲＣシグナリングは、ネットワーク状態にしたがってユーザおよび制御プレーンを構成してもよく、無線リソース管理（ＲＲＭ）ストラテジーを実現するのを可能にする。
【００５９】
ＲＲＣの特定の実施形態は、ＵＥ  ４０４が置かれてもよいある特定の状態を規定する、状態機械によってガイドされる。この状態機械における特定の状態は、それらと関連付けられた異なる量の無線リソースを有し、これらは、ＵＥ  ４０４が存在するときに所与の状態において使用してもよいリソースである。異なる量のリソースが異なる状態で利用可能なので、ユーザが経験するサービスの品質、およびＵＥのエネルギー消費は、この状態機械によって影響されることがある。
【００６０】
本明細書で考察される特定の実施形態は、ＮＲのＲＲＣ＿ＩＮＡＣＴＩＶＥ状態にある間にＵＥによって実施されるが、他の実施形態は他の状況に当てはまってもよい。例えば、類似の実施形態は次のことを含んでもよい。
●ＮＲの代わりに、ＬＴＥ手順（例えば、ＵＥはＬＴＥのＲＲＣ＿ＩＮＡＣＴＩＶＥ状態）
●ＲＲＣ＿ＩＮＡＣＴＩＶＥにおけるインター無線アクセス技術（ＲＡＴ）手順（例えば、同じ５Ｇコアネットワーク（ＣＮ）に接続されたＬＴＥとＮＲとの間）
●ＬＴＥ  ＲＲＣ＿ＩＮＡＣＴＩＶＥに中断されているＬＴＥ  ＲＲＣ＿ＣＯＮＮＥＣＴＥＤ状態にあるＵＥが、ＮＲセルに対してモビリティおよびキャンプを実施する（即ち、ＮＲ  ＲＲＣ＿ＩＮＡＣＴＩＶＥになる）
●ＮＲ  ＲＲＣ＿ＩＮＡＣＴＩＶＥに中断されているＮＲ  ＲＲＣ＿ＣＯＮＮＥＣＴＥＤのＵＥが、ＬＴＥセルに対してモビリティおよびキャンプを実施する（即ち、ＬＴＥ  ＲＲＣ＿ＩＮＡＣＴＩＶＥに遷移）。
【００６１】
図ＷＷ１は、特定の実施形態による方法ＷＷ１００を示している。本明細書の考察から明白なように、方法ＷＷ１００はＵＥによって実施される。方法ＷＷ１００は、ＲＲＣ再開要求を基地局に送信すること（ブロックＷＷ１０５）と、送信に応答してＲＲＣ中断メッセージを基地局から受信すること（ブロックＷＷ１１０）とを含む。図示されないが、送信されたＲＲＣ再開要求に応答してＲＲＣ中断メッセージを受信すると、ＵＥによって実施される動作に関する、多数の実施形態が後述される。一般に、これらの実施形態は、ＵＥに格納されたＵＥのＡＳコンテキストにおける情報の少なくとも一部を交換または更新することに関する。
【００６２】
図ＷＷ２は、他の特定の実施形態による方法ＷＷ２００を示している。本明細書の考察から明白なように、方法ＷＷ２００は基地局によって実施される。方法ＷＷ２００は、ＲＲＣ再開要求を無線デバイスから受信すること（ブロックＷＷ２０５）と、受信に応答してＲＲＣ中断メッセージを無線デバイスに送信すること（ブロックＷＷ２１０）とを含む。図示されないが、ＲＲＣ再開要求に応答してＲＲＣ中断メッセージを送出すると、基地局によって実施される動作に関する、多数の実施形態が後述される。一般に、これらの実施形態は、ネットワーク側で（例えば、基地局もしくは別のネットワークノードで）格納されたＵＥのＡＳコンテキストにおける情報の少なくとも一部を交換または更新することに関する。
【００６３】
上述した装置は、任意の機能的手段、モジュール、ユニット、または回路構成を実現することによって、本明細書の方法および他の任意の処理を実施してもよい。例えば、一実施形態では、装置は、方法の図に示されるステップを実施するように構成された、それぞれの回路または回路構成を備える。回路または回路構成は、この点で、特定の機能的処理を実施する専用の回路、および／またはメモリと併用される１つもしくは複数のマイクロプロセッサを備えてもよい。例えば、回路構成は、１つもしくは複数のマイクロプロセッサまたはマイクロコントローラ、ならびにデジタル信号プロセッサ（ＤＳＰ）、専用デジタル論理などを含んでもよい、他のデジタルハードウェアを含んでもよい。処理回路構成は、読出し専用メモリ（ＲＯＭ）、ランダムアクセスメモリ、キャッシュメモリ、フラッシュメモリデバイス、光学記憶デバイスなど、１つまたは複数のタイプのメモリを含んでもよい、メモリに格納されたプログラムコードを実行するように構成されてもよい。メモリに格納されたプログラムコードとしては、１つもしくは複数の電気通信および／またはデータ通信プロトコルを実行するプログラム命令、ならびにいくつかの実施形態において本明細書に記載される技術の１つもしくは複数を実施する命令を挙げることができる。メモリを用いる実施形態では、メモリは、１つまたは複数のプロセッサによって実行されると、本明細書に記載される技術を実施する、プログラムコードを格納する。
【００６４】
図ＹＹ１は、例えば、１つまたは複数の実施形態にしたがって実現されるような、無線デバイスＹＹ１００を示している。本明細書の記載から明白なように、ＵＥは無線デバイスＹＹ１００の一例である。図示されるように、無線デバイスＹＹ１００は、処理回路構成ＹＹ１１０と通信回路構成ＹＹ１２０とを含む。通信回路構成ＹＹ１２０（例えば、無線回路構成）は、例えば任意の通信技術を介して、１つもしくは複数の他のノードとの間で情報を送信および／または受信するように構成される。かかる通信は、無線デバイスＹＹ１００の内部または外部どちらかにある、１つもしくは複数のアンテナを介して行われてもよい。処理回路構成ＹＹ１１０は、メモリＹＹ１９０に格納された命令を実行することなどによって、上述の処理を実施するように構成される。処理回路構成ＹＹ１１０は、これに関して、特定の機能的手段、ユニット、またはモジュールを実現してもよい。いくつかの実施形態では、処理回路構成ＹＹ１１０は、無線デバイスＹＹ１００のメモリＹＹ１９０に格納されたプログラムＹＹ１９５の命令を実行するように構成される。
【００６５】
図ＹＹ２は、更に他の実施形態による無線ネットワーク（例えば、図ＱＱ１に示される無線ネットワーク）の無線デバイスＹＹ２００の概略ブロック図を示している。本明細書の記載から明白なように、ＵＥは無線デバイスＹＹ２００の一例である。図示されるように、無線デバイスＹＹ２００は、例えば、図ＹＹ１の処理回路構成ＹＹ１１０を介して、ならびに／またはソフトウェアコードを介して、様々な機能的手段、ユニット、またはモジュールを実現する。例えば、本明細書の方法を実現する、これらの機能的手段、ユニット、またはモジュールは、（例えば）送信ユニットまたはモジュールＹＹ２１０と受信ユニットまたはモジュールＹＹ２２０とを含む。送信ユニットまたはモジュールＹＹ２１０は、ＲＲＣ再開要求を基地局４０２に送信するように構成される。受信ユニットまたはモジュールＹＹ２２０は、送信に応答してＲＲＣ中断メッセージを基地局４０２から受信するように構成される。
【００６６】
図ＹＹ３は、１つまたは複数の実施形態にしたがって実現されるような、ネットワークノードＹＹ３００を示している。本明細書の記載から明白なように、基地局はネットワークノードＹＹ３００の一例である。図示されるように、ネットワークノードＹＹ３００は、処理回路構成ＹＹ３１０と通信回路構成ＹＹ３２０とを含む。通信回路構成ＹＹ３２０は、例えば任意の通信技術を介して、１つもしくは複数の他のノードとの間で情報を送信および／または受信するように構成される。処理回路構成ＹＹ３１０は、メモリＹＹ３９０に格納されたプログラムＹＹ３９５の命令を実行することなどによって、上述の処理を実施するように構成される。処理回路構成ＹＹ３１０は、これに関して、特定の機能的手段、ユニット、またはモジュールを実現してもよい。
【００６７】
図ＹＹ４は、更に他の実施形態による無線ネットワーク（例えば、図ＱＱ１に示される無線ネットワーク）のネットワークノード（例えば、基地局）ＹＹ４００の概略ブロック図を示している。本明細書の記載から明白なように、基地局はネットワークノードＹＹ４００の一例である。図示されるように、ネットワークノードＹＹ４００は、例えば、図ＹＹ３の処理回路構成ＹＹ３１０を介して、ならびに／またはソフトウェアコードを介して、様々な機能的手段、ユニット、またはモジュールを実現する。例えば、本明細書の方法を実現する、これらの機能的手段、ユニット、またはモジュールは、（例えば）受信ユニットまたはモジュールＹＹ４１０と送信ユニットまたはモジュールＹＹ４２０とを含む。受信ユニットまたはモジュールＹＹ４１０は、ＲＲＣ再開要求を無線デバイス４０４から受信するように構成される。送信ユニットまたはモジュールＹＹ４２０は、受信に応答してＲＲＣ中断メッセージを無線デバイス４０４に送信するように構成される。
【００６８】
当業者であれば、本明細書の実施形態は対応するコンピュータプログラムを更に含むことも、認識するであろう。
【００６９】
コンピュータプログラムは、装置の少なくとも１つのプロセッサで実行されると、上述したそれぞれの処理のいずれかを装置に実施させる命令を含む。これに関して、コンピュータプログラムは、上述した手段またはユニットに相当する１つもしくは複数のコードモジュールを含んでもよい。
【００７０】
実施形態は、かかるコンピュータプログラムを収容したキャリアを更に含む。このキャリアは、電子信号、光学信号、無線信号、またはコンピュータ可読記憶媒体の１つを含んでもよい。
【００７１】
これに関して、本明細書の実施形態は、非一時的コンピュータ可読（記憶または記録）媒体に格納され、装置のプロセッサによって実行されると、上述したように装置に実施させる命令を含む、コンピュータプログラム製品も含む。
【００７２】
実施形態は、コンピュータプログラム製品がコンピューティングデバイスによって実行されると、本明細書の実施形態のいずれかのステップを実施する、プログラムコード部分を含むコンピュータプログラム製品を更に含む。このコンピュータプログラム製品は、コンピュータ可読記録媒体に格納されてもよい。
【００７３】
以下、追加の実施形態について記載する。これらの実施形態の少なくともいくつかは、例示の目的で特定の文脈および／または無線ネットワークタイプに適用可能であるものとして記載されることがあるが、実施形態は、明示的に記載されない他の文脈および／または無線ネットワークタイプに同様に適用可能である。
【００７４】
第１の実施形態では、ＲＲＣ再開要求に応答してＲＲＣ中断メッセージ（または中断の何らかの指示を含む解除メッセージ）を受信すると、メッセージがＡＳセキュリティコンテキスト情報を含む場合、ＵＥは任意の格納されたＡＳセキュリティコンテキスト（格納されている場合）をオーバーライドし、即ち消去し、新しく受信された値を格納する。
【００７５】
第２の実施形態では、ＲＲＣ再開要求に応答してＲＲＣ中断メッセージ（または中断の何らかの指示を含む解除メッセージ）を受信すると、メッセージが非アクティブ無線ネットワーク一時識別子（Ｉ−ＲＮＴＩ）を含む場合、ＵＥは任意の格納されたＩ−ＲＮＴＩ（格納されている場合）をオーバーライドし、即ち消去し、新しく受信された値を格納する。
【００７６】
注（等価のネットワークの実施形態）：ネットワーク側における相手方も、セキュリティコンテキストおよびＩ−ＲＮＴＩ（または任意の種類の再開識別子）に対してこれらの更新を実施するものとする。
【００７７】
第３の実施形態では、ＲＲＣ再開要求に応答してＲＲＣ中断メッセージ（または中断の何らかの指示を含む解除メッセージ）を受信すると、ＵＥは、ＰＣＩおよびセル識別情報など、位置ベースのパラメータを更新する。
【００７８】
この第３の実施形態の１つの変形例では、この更新は、以前に格納されたＰＣＩを消去することと、ＵＥが再開要求を送出したセル、即ちＵＥがメッセージを送出し解除を応答として受信するときにキャンピングしているセルに関連する、ＰＣＩを格納することとから成る。ＰＣＩは、そのセルに関連する同期信号（ＳＳ）、即ちＳＳブロックを検出することによって取得される。
【００７９】
この実施形態の別の変形例では、この更新は、以前に格納されたセル識別子を消去することと、ＵＥが再開要求を送出したセル、即ちＵＥがメッセージを送出し解除を応答として受信するときにキャンピングしているセルに関連する、セル識別子を格納することとから成る。セル識別情報は、そのセルに関連するシステム情報を読み取ることによって取得することができる。
【００８０】
この第３の実施形態の別の変形例では、この更新は、ＵＥによって行われるべきか否かを示すことができる。
【００８１】
対応するネットワークの実施形態があることに留意されたい。つまり、ネットワーク側の相手方もこれらの更新を実施するものとする。換言すれば、ＡＳコンテキストは、以前に格納されたＰＣＩが消去され、新しいものが格納されるような形で更新される。また、以前に格納されたセル識別情報が消去され、新しいものが格納される。
【００８２】
第４の実施形態では、ＲＲＣ再開要求に応答してＲＲＣ中断メッセージ（または中断の何らかの指示を含む解除メッセージ）を受信すると、ＵＥはＣ−ＲＮＴＩ情報を更新する。
【００８３】
この第４の実施形態の１つの変形例では、この更新は、以前に格納されたＣ−ＲＮＴＩを消去することと、ＵＥがＲＲＣ再開要求を送出したい新しいセルに対するランダムアクセスを実施する際に、そのセルに関連するランダムアクセス応答で受信される、一時Ｃ−ＲＮＴＩを取得することと、その一時Ｃ−ＲＮＴＩを、後に続く再開要求試行で使用される新しいＣ−ＲＮＴＩとして格納することとから成る。例えば、Ｃ−ＲＮＴＩは、ＲＲＣ再開要求に含まれる、ＵＥのセキュリティ整合性トークンを計算するための入力として使用することができる。
【００８４】
この第４の実施形態の別の変形例では、この更新は、以前に格納されたＣ−ＲＮＴＩを消去することと、一時Ｃ−ＲＮＴＩを取得することと、競合解消が存在しＣ−ＲＮＴＩが更新される場合を除いて、それを上記変形例と同様に使用することとから成る。その場合、更新されたＣ−ＲＮＴＩは、後に続く再開手順で使用されるＵＥによって格納されるものとする。
【００８５】
この第４の実施形態の別の変形例では、この更新は、ＵＥによって行われるべきか否かを示すことができる。
【００８６】
この第４の実施形態の別の変形例では、この更新は、中断メッセージ自体（または中断の指示を含む解除メッセージ）で受信された新しいＣ−ＲＮＴＩに基づいて行われる。
【００８７】
第５の実施形態では、ＲＲＣ再開要求に応答してＲＲＣ中断メッセージ（または中断の何らかの指示を含む解除メッセージ）を受信すると、メッセージが、ＮＣＣ（ｎｅｘｔＨｏｐＣｈａｉｎｉｎｇＣｏｕｎｔ）、無線アクセスネットワーク（ＲＡＮ）のページング構成（ｒａｎ−ＰａｇｉｎｇＣｙｃｌｅ）、またはＲＡＮ通知領域構成（ｒａｎ−ＮｏｔｉｆｉｃａｔｉｏｎＡｒｅａＩｎｆｏ）を含む場合、ＵＥは、格納されたこれらの情報のいずれか（格納されている場合）をオーバーライドし、即ち消去し、新しく受信された関連する値を格納する。これは、ＵＥがパラメータのみを格納する現在のドラフト規格とは異なる。
【００８８】
オーバーライド規則について記載している他の実施形態にも適用可能である、第５の実施形態の変形例では、オーバーライド規則は、必要なコードを、即ちパラメータが格納されていることをＵＥに対して示すコードを使用して実現され、新しい値が受信されると前の値がオーバーライドされ、即ち消去され、新しい値に置き換えられる。これは、手順テキストとも組み合わせて使用することができる。
【００８９】
本明細書に記載する解決策の１つまたは複数は、例えば、付表Ｅに見出される例にしたがって、ＮＲ  ＲＲＣ仕様書３８．３３１で実現されてもよく、その規定はどれも独立してまたは任意の組み合わせで適用されてもよい。
【００９０】
図ＷＴ１は、上述した本開示の実施形態の少なくともいくつかの態様による、ＵＥおよび基地局の動作を示している。図示されるように、ＵＥは、ＲＲＣ再開要求を基地局に送信する（ステップＷＴ１００）。ＲＲＣ再開要求に応答して、基地局は、ＲＲＣ中断メッセージ、または中断の指示を含むＲＲＣ解除メッセージを送信し、ＵＥはそれを受信する（ステップＷＴ１０２）。ＵＥでは、ＲＲＣ中断メッセージまたは中断の指示を含むＲＲＣ解除メッセージの受信に応答して、ＵＥはＵＥの格納されたＡＳコンテキストにおける情報を新しい情報と交換する（ステップＷＴ１０４）。多数の実施形態およびそれらの変形例が、ＵＥの格納されたＡＳコンテキストにおけるどの情報を交換することができるかに関して上記に記載している。
【００９１】
より具体的には、「第１の実施形態」に関して上述したように、ＲＲＣ再開要求に応答してＲＲＣ中断メッセージ（または中断の何らかの指示を含む解除メッセージ）を受信すると、メッセージがＡＳセキュリティコンテキスト情報を含む場合、ＵＥは、任意の格納されたＡＳセキュリティコンテキスト（格納されている場合）を、メッセージに含まれる新しいＡＳセキュリティコンテキスト情報でオーバーライド（即ち、交換）する。換言すれば、ＵＥは、受信したＲＲＣ中断メッセージまたは中断の何らかの指示を含むＲＲＣ解除メッセージが、ＡＳセキュリティコンテキスト情報を含むか否かを決定する。それを含む場合、ＵＥは、対応する格納されたＡＳセキュリティコンテキスト情報を受信したＡＳセキュリティコンテキストと交換する。このように、ＵＥの格納されたＡＳコンテキストはリフレッシュ（即ち、更新）される。
【００９２】
それに加えて、またはその代わりに、「第２の実施形態」に関して上述したように、ＲＲＣ再開要求に応答してＲＲＣ中断メッセージ（または中断の何らかの指示を含む解除メッセージ）を受信すると、メッセージがＩ−ＲＮＴＩを含む場合、ＵＥは、任意の格納されたＩ−ＲＮＴＩ（格納されている場合）を、メッセージに含まれるＩ−ＲＮＴＩでオーバーライド（即ち、交換）する。換言すれば、ＵＥは、受信したＲＲＣ中断メッセージまたは中断の何らかの指示を含むＲＲＣ解除メッセージが、Ｉ−ＲＮＴＩを含むか否かを決定する。それを含む場合、ＵＥは、対応する格納されたＩ−ＲＮＴＩを受信したＩ−ＲＮＴＩと交換する。このように、ＵＥの格納されたＡＳコンテキストはリフレッシュ（即ち、更新）される。
【００９３】
それに加えて、またはその代わりに、「第３の実施形態」に関して上述したように、ＲＲＣ再開要求に応答してＲＲＣ中断メッセージ（または中断の何らかの指示を含む解除メッセージ）を受信すると、ＵＥは、ＵＥに格納されたＡＳコンテキストのＰＣＩおよびセル識別情報など、位置ベースのパラメータを更新する。上述したように、ＰＣＩおよび／またはセル識別情報は、いくつかの変形例では、ＵＥが再開要求を送出したセルに、即ち、ＵＥがＲＲＣ再開要求を送出しＲＲＣ中断メッセージ（または中断の何らかの指示を含むＲＲＣ解除メッセージ）を受信するときにキャンピングしているセルに関連する、ＰＣＩおよび／またはセル識別情報である。
【００９４】
それに加えて、またはその代わりに、「第４の実施形態」に関して上述したように、ＲＲＣ再開要求に応答してＲＲＣ中断メッセージ（または中断の何らかの指示を含む解除メッセージ）を受信すると、ＵＥはＣ−ＲＮＴＩ情報を更新する。換言すれば、ＵＥは、ＵＥの格納されたＡＳコンテキストの格納されたＣ−ＲＮＴＩを、新しく取得されたＣ−ＲＮＴＩと交換し、この新しく取得されたＣ−ＲＮＴＩは、ＵＥがステップＷＴ１００でＲＲＣ再開要求を送信し、ステップＷＴ１０２でＲＲＣ中断または中断の何らかの指示を含むＲＲＣ解除を受信するセルに関連する。
【００９５】
それに加えて、またはその代わりに、「第５の実施形態」に関して上述したように、基地局は、ＵＥの格納されたＡＳコンテキストのどのパラメータを交換するか、または交換してもよいか、ＵＥに命令してもよい。
【００９６】
いくつかの実施形態では、ＲＲＣ中断メッセージまたは中断の指示を含むＲＲＣ解除メッセージの送信に応答して、基地局はまた、上述したように、ネットワーク側でＵＥの格納されたＡＳコンテキストの情報を交換してもよい（ステップＷＴ１０６）。ＵＥの格納されたＡＳコンテキストは、基地局または他の何らかのネットワークノードによって格納されてもよい。格納されたＡＳコンテキストの情報の交換についての詳細は、例えば、ＵＥに関する「第１の実施形態」、「第２の実施形態」、「第３の実施形態」、および「第４の実施形態」に関して上述したものと同じである。そのため、詳細についてはここでは繰り返さない。
【００９７】
いくつかの実施形態では、ＵＥの更新されたＡＳコンテキストを提供するため、ＵＥの格納されたＡＳコンテキストにおける情報を交換した後、ＵＥは、ＵＥの更新されたＡＳコンテキストを使用して、後に続くＲＲＣ再開要求を送出する（ステップＷＴ１０８）。いくつかの実施形態では、上述したように、ＵＥは、更新されたＡＳコンテキストに含まれる情報を使用して、後に続くＲＲＣ再開要求に含まれるセキュリティ整合性トークン（例えば、ＭＡＣ−Ｉ）を計算する。
【００９８】
本明細書に記載する主題は、任意の適切な構成要素を使用する任意の適切なタイプのシステムで実現されてもよいが、本明細書に開示する実施形態は、図ＱＱ１に示される例示の無線ネットワークなどの無線ネットワークに関連して記載する。単純にするため、図ＱＱ１の無線ネットワークは、ネットワークＱＱ１０６、ネットワークノードＱＱ１６０およびＱＱ１６０ｂ、ならびにＷＤ  ＱＱ１１０、ＱＱ１１０ｂ、およびＱＱ１１０ｃのみを示している。実際上、無線ネットワークは、無線デバイス間の通信、あるいは無線デバイスと地上電話、サービスプロバイダ、または他の任意のネットワークノードもしくはエンドデバイスなど、別の通信デバイスとの間の通信に対応するのに適した、任意の追加の要素を更に含んでもよい。図示される構成要素のうち、ネットワークノードＱＱ１６０および無線デバイス（ＷＤ）ＱＱ１１０が更に詳細に図示されている。無線ネットワークは、通信および他のタイプのサービスを１つまたは複数の無線デバイスに提供して、無線ネットワークによってもしくは無線ネットワークを介して提供されるサービスに関する、無線デバイスのアクセスおよび／または使用を容易にしてもよい。
【００９９】
無線ネットワークは、任意のタイプの通信、電気通信、データ、移動体、および／または無線ネットワーク、もしくは他の同様のタイプのシステムを備えてもよく、ならびに／あるいはそれらとインターフェース接続してもよい。いくつかの実施形態では、無線ネットワークは、特定の規格、または他のタイプの規定の規則もしくは手順にしたがって動作するように構成されてもよい。したがって、無線ネットワークの特定の実施形態は、グローバル移動体通信システム（ＧＳＭ）、ユニバーサル移動体通信システム（ＵＭＴＳ）、ＬＴＥ、狭帯域の物のインターネット（ＮＢ−ＩｏＴ）、および／または他の適切な第２、第３、第４、もしくは第５世代（２Ｇ、３Ｇ、４Ｇ、もしくは５Ｇ）規格、ＩＥＥＥ  ８０２．１１規格などの無線ローカルエリアネットワーク（ＷＬＡＮ）規格、ならびに／あるいは、ワールドワイド・インターオペラビリティ・フォー・マイクロウェーブ・アクセス（ＷｉＭａｘ）、ブルートゥース、Ｚ波、および／またはジグビー規格などの他の任意の適切な無線通信規格などの、通信規格を実現してもよい。
【０１００】
ネットワークＱＱ１０６は、１つもしくは複数のバックホールネットワーク、コアネットワーク、インターネットプロトコル（ＩＰ）ネットワーク、公衆交換電話網（ＰＳＴＮ）、パケットデータネットワーク、光ネットワーク、広域ネットワーク（ＷＡＮ）、ローカルエリアネットワーク（ＬＡＮ）、ＷＬＡＮ、有線ネットワーク、無線ネットワーク、メトロポリタンエリアネットワーク、およびデバイス間で通信できるようにする他のネットワークを含んでもよい。
【０１０１】
ネットワークノードＱＱ１６０およびＷＤ  ＱＱ１１０は、更に詳細に後述する様々な構成要素を備える。これらの構成要素は、無線ネットワークにおける無線接続を提供するなど、ネットワークノードおよび／または無線デバイスの機能性を提供するために共に働く。異なる実施形態では、無線ネットワークは、任意の数の有線もしくは無線ネットワーク、ネットワークノード、基地局、コントローラ、無線デバイス、中継局、ならびに／あるいは、有線もしくは無線接続のどちらかを介するデータおよび／または信号の通信を容易にするかもしくはそれに関与することができる、他の任意の構成要素またはシステムを含んでもよい。
【０１０２】
本明細書で使用するとき、ネットワークノードは、無線デバイスと、ならびに／あるいは無線デバイスへの無線アクセスを可能にする、および／または無線アクセスを提供する、および／または無線ネットワークにおける他の機能（例えば、管理）を実施する、無線ネットワーク内の他のネットワークノードもしくは機器と、直接もしくは間接的に通信することができる、通信するように構成された、通信するように配置された、ならびに／あるいは通信するように動作可能である、機器を指す。ネットワークノードの例としては、アクセスポイント（ＡＰ）（例えば、無線アクセスポイント）、基地局（ＢＳ）（例えば、無線基地局、ノードＢ、ｅＮＢ、およびｇＮＢ）が挙げられるが、それらに限定されない。基地局は、それらが提供するカバレッジの量（または換言すれば、それらの送信電力レベル）に基づいて分類されてもよく、そのため、フェムト基地局、ピコ基地局、マイクロ基地局、またはマクロ基地局とも呼ばれることがある。基地局は、中継を制御する中継ノードまたは中継ドナーノードであってもよい。ネットワークノードはまた、中央デジタルユニット、および／またはリモート無線ヘッド（ＲＲＨ）と呼ばれることがあるリモート無線ユニット（ＲＲＵ）など、分散無線基地局の１つまたは複数（もしくは全て）の部分を含んでもよい。かかるリモート無線ユニットは、アンテナ統合無線として、アンテナと統合されてもされなくてもよい。分散無線基地局の部分はまた、分散アンテナシステム（ＤＡＳ）のノードと呼ばれることもある。ネットワークノードの更なる他の例としては、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト調整エンティティ（ＭＣＥ）、コアネットワークノード（例えば、移動交換局（ＭＳＣ）、モビリティ管理エンティティ（ＭＭＥ））、操作および保守（Ｏ＆Ｍ）ノード、操作サポートシステム（ＯＳＳ）ノード、自己最適化ネットワーク（ＳＯＮ）ノード、ポジショニングノード（例えば、エボルブドサービングモバイルロケーションセンタ（Ｅ−ＳＭＬＣ））、ならびに／あるいはドライブ試験の最小化（ＭＤＴ）が挙げられる。別の例として、ネットワークノードは、更に詳細に後述するような仮想ネットワークノードであってもよい。しかしながら、より一般的には、ネットワークノードは、無線デバイスが無線ネットワークにアクセスできるようにすること、もしくは無線ネットワークにアクセスしている無線デバイスに何らかのサービスを提供できるようにすること、および／または無線ネットワークにアクセスしている無線デバイスに何らかのサービスを提供することが、可能である、そのように構成されている、そのように配置されている、ならびに／あるいはそれを可能にするように動作可能である、任意の適切なデバイス（またはデバイス群）を表してもよい。
【０１０３】
図ＱＱ１では、ネットワークノードＱＱ１６０は、処理回路構成ＱＱ１７０と、デバイス可読媒体ＱＱ１８０と、インターフェースＱＱ１９０と、補助機器ＱＱ１８４と、電源ＱＱ１８６と、電源回路構成ＱＱ１８７と、アンテナＱＱ１６２とを含む。図ＱＱ１の例示の無線ネットワークに示されるネットワークノードＱＱ１６０は、ハードウェア構成要素の図示される組み合わせを含むデバイスを表すことがあるが、他の実施形態は、構成要素の異なる組み合わせを含むネットワークノードを備えてもよい。ネットワークノードは、本明細書に開示するタスク、機構、機能、および方法を実施するのに必要な、ハードウェアおよび／またはソフトウェアの任意の適切な組み合わせを含むことが理解されるべきである。更に、ネットワークノードＱＱ１６０の構成要素は、より大きいボックス内に位置するかまたは複数のボックス内に入れ子状になった、単独のボックスとして示されているが、実際上、ネットワークノードは、単一の図示される構成要素を構成する複数の異なる物理的構成要素を含んでもよい（例えば、デバイス可読媒体ＱＱ１８０は、複数の別個のハードドライブならびに複数のＲＡＭモジュールを備えてもよい）。
【０１０４】
同様に、ネットワークノードＱＱ１６０は、各々がそれぞれ自身の構成要素を有してもよい、複数の物理的に別個の構成要素（例えば、ノードＢコンポーネントおよびＲＮＣコンポーネント、またはＢＴＳコンポーネントおよびＢＳＣコンポーネントなど）から成ってもよい。ネットワークノードＱＱ１６０が複数の別個の構成要素（例えば、ＢＴＳおよびＢＳＣコンポーネント）を備える特定のシナリオでは、別個の構成要素の１つまたは複数が、いくつかのネットワークノードの間で共有されてもよい。例えば、単一のＲＮＣが複数のノードＢを制御してもよい。かかるシナリオでは、ノードＢおよびＲＮＣの固有の各対が、場合によっては、単一の別個のネットワークノードと見なされてもよい。いくつかの実施形態では、ネットワークノードＱＱ１６０は、複数のＲＡＴに対応するように構成されてもよい。かかる実施形態では、いくつかの構成要素が重複してもよく（例えば、異なるＲＡＴに対して別個のデバイス可読媒体ＱＱ１８０）、いくつかの構成要素は再使用されてもよい（例えば、同じアンテナＱＱ１６２がＲＡＴによって共有されてもよい）。ネットワークノードＱＱ１６０はまた、例えば、ＧＳＭ、広帯域符号分割多重アクセス（ＷＣＤＭＡ）、ＬＴＥ、ＮＲ、ＷｉＦｉ、またはブルートゥース無線技術など、ネットワークノードＱＱ１６０に統合された異なる無線技術に関する複数組の様々な図示される構成要素を含んでもよい。これらの無線技術は、同じまたは異なるチップもしくはチップセット、およびネットワークノードＱＱ１６０内の他の構成要素に統合されてもよい。
【０１０５】
処理回路構成ＱＱ１７０は、ネットワークノードによって提供されるものとして本明細書に記載される、任意の決定、計算、または類似の動作（例えば、特定の取得動作）を実施するように構成される。処理回路構成ＱＱ１７０によって実施されるこれらの動作は、例えば、取得された情報を他の情報に変換すること、取得された情報または変換された情報をネットワークノードに格納された情報と比較すること、ならびに／あるいは取得された情報または変換された情報に基づいて１つもしくは複数の動作を実施することによって、処理回路構成ＱＱ１７０によって取得される情報を処理すること、ならびに前記処理の結果として決定を行うことを含んでもよい。
【０１０６】
処理回路構成ＱＱ１７０は、マイクロプロセッサ、コントローラ、マイクロコントローラ、中央処理装置（ＣＰＵ）、ＤＳＰ、特定用途向け集積回路（ＡＳＩＣ）、フィールドプログラマブルゲートアレイ（ＦＰＧＡ）、または他の任意の適切なコンピューティングデバイス、リソース、あるいは単独で、または他のネットワークノードＱＱ１６０の構成要素（デバイス可読媒体ＱＱ１８０、ネットワークノードＱＱ１６０の機能性など）と併せて提供するように動作可能な、ハードウェア、ソフトウェア、および／または符号化論理の組み合わせのうち、１つもしくは複数のものの組み合わせを備えてもよい。例えば、処理回路構成ＱＱ１７０は、デバイス可読媒体ＱＱ１８０に、または処理回路構成ＱＱ１７０内のメモリに格納された命令を実行してもよい。かかる機能性は、本明細書で考察する様々な無線の機構、機能、または利益のいずれかを提供することを含んでもよい。かかる実施形態では、処理回路構成ＱＱ１７０はシステムオンチップ（ＳＯＣ）を含んでもよい。
【０１０７】
いくつかの実施形態では、処理回路構成ＱＱ１７０は、無線周波数（ＲＦ）送受信機回路構成ＱＱ１７２およびベースバンド処理回路構成ＱＱ１７４の１つまたは複数を含んでもよい。いくつかの実施形態では、ＲＦ送受信機回路構成ＱＱ１７２およびベースバンド処理回路構成ＱＱ１７４は、別個のチップ（もしくはチップセット）、ボード、または無線ユニットおよびデジタルユニットなどのユニット上にあってもよい。代替実施形態では、ＲＦ送受信機回路構成ＱＱ１７２およびベースバンド処理回路構成ＱＱ１７４の一部または全ては、同じチップもしくはチップセット、ボード、またはユニットの上にあってもよい。
【０１０８】
特定の実施形態では、ネットワークノード、基地局、ｅＮＢ、または他のかかるネットワークデバイスによって提供されるものとして本明細書に記載する機能性の一部または全ては、デバイス可読媒体ＱＱ１８０または処理回路構成ＱＱ１７０内のメモリに格納された命令を実行する、処理回路構成ＱＱ１７０によって実施されてもよい。代替実施形態では、機能性の一部または全ては、ハードワイヤード方式などで、別個のまたは離散的なデバイス可読媒体に格納された命令を実行することなく、処理回路構成ＱＱ１７０によって提供されてもよい。それらの実施形態のいずれかにおいて、デバイス可読記憶媒体に格納された命令を実行するか否かにかかわらず、処理回路構成ＱＱ１７０は、記載される機能性を実施するように構成することができる。かかる機能性によって提供される利益は、処理回路構成ＱＱ１７０のみに、またはネットワークノードＱＱ１６０の他の構成要素に限定されず、ネットワークノードＱＱ１６０全体ならびに／あるいはエンドユーザおよび無線ネットワーク全般によって享受される。
【０１０９】
デバイス可読媒体ＱＱ１８０は、非限定的に、永続記憶装置、固体メモリ、リモート実装メモリ、磁気媒体、光学媒体、ＲＡＭ、ＲＯＭ、大容量記憶媒体（例えば、ハードディスク）、リムーバブル記憶媒体（例えば、フラッシュドライブ、コンパクトディスク（ＣＤ）、もしくはデジタルビデオディスク（ＤＶＤ））、および／または他の任意の揮発性もしくは不揮発性非一時的デバイス可読および／またはコンピュータ実行可能メモリデバイスを含む、処理回路構成ＱＱ１７０によって使用されてもよい情報、データ、および／または命令を格納する、任意の形態の揮発性または不揮発性コンピュータ可読メモリを含んでもよい。デバイス可読媒体ＱＱ１８０は、論理、規則、符号、テーブルなどの１つもしくは複数を含むコンピュータプログラム、ソフトウェア、アプリケーションを含む、任意の適切な命令、データまたは情報、および／または処理回路構成ＱＱ１７０によって実行され、ネットワークノードＱＱ１６０によって利用され得る他の命令を格納してもよい。デバイス可読媒体ＱＱ１８０は、処理回路構成ＱＱ１７０によって行われる任意の計算、および／またはインターフェースＱＱ１９０を介して受信される任意のデータを格納するのに使用されてもよい。いくつかの実施形態では、処理回路構成ＱＱ１７０およびデバイス可読媒体ＱＱ１８０は、統合されたものと見なされてもよい。
【０１１０】
インターフェースＱＱ１９０は、ネットワークノードＱＱ１６０、ネットワークＱＱ１０６、および／またはＷＤ  ＱＱ１１０の間における、シグナリングならびに／あるいはデータの有線または無線通信で使用される。図示されるように、インターフェースＱＱ１９０は、例えば、有線接続を通じてネットワークＱＱ１０６との間でデータを送受信する、ポート／端子ＱＱ１９４を備える。インターフェースＱＱ１９０はまた、アンテナＱＱ１６２に、または特定の実施形態ではその一部に連結されてもよい、無線フロントエンド回路構成ＱＱ１９２を含む。無線フロントエンド回路構成ＱＱ１９２はフィルタＱＱ１９８および増幅器ＱＱ１９６を備える。無線フロントエンド回路構成ＱＱ１９２はアンテナＱＱ１６２および処理回路構成ＱＱ１７０に接続されてもよい。無線フロントエンド回路構成は、アンテナＱＱ１６２と処理回路構成ＱＱ１７０との間で通信される信号を調整するように構成されてもよい。無線フロントエンド回路構成ＱＱ１９２は、無線接続を介して他のネットワークノードまたはＷＤに対して送出されるべきである、デジタルデータを受信してもよい。無線フロントエンド回路構成ＱＱ１９２は、フィルタＱＱ１９８および／または増幅器ＱＱ１９６の組み合わせを使用して、デジタルデータを、適切なチャネルおよび帯域幅パラメータを有する無線信号へと変換してもよい。無線信号は次に、アンテナＱＱ１６２を介して送信されてもよい。同様に、データを受信するとき、アンテナＱＱ１６２は無線信号を収集してもよく、それらは次に、無線フロントエンド回路構成ＱＱ１９２によってデジタルデータへと変換される。デジタルデータは処理回路構成ＱＱ１７０に渡されてもよい。他の実施形態では、インターフェースは、異なる構成要素および／または構成要素の異なる組み合わせを備えてもよい。
【０１１１】
特定の代替実施形態では、ネットワークノードＱＱ１６０は別個の無線フロントエンド回路構成ＱＱ１９２を含まなくてもよく、代わりに、処理回路構成ＱＱ１７０は、無線フロントエンド回路構成ＱＱ１９２を備えてもよく、別個の無線フロントエンド回路構成ＱＱ１９２なしでアンテナＱＱ１６２に接続されてもよい。同様に、いくつかの実施形態では、ＲＦ送受信機回路構成ＱＱ１７２の全てまたは一部はインターフェースＱＱ１９０の一部と見なされてもよい。更に他の実施形態では、インターフェースＱＱ１９０は、無線ユニット（図示なし）の一部として、１つもしくは複数のポートまたは端子ＱＱ１９４、無線フロントエンド回路構成ＱＱ１９２、およびＲＦ送受信機回路構成ＱＱ１７２を含んでもよく、インターフェースＱＱ１９０は、デジタルユニット（図示なし）の一部である、ベースバンド処理回路構成ＱＱ１７４と通信してもよい。
【０１１２】
アンテナＱＱ１６２は、無線信号を送出および／または受信するように構成された、１つもしくは複数のアンテナまたはアンテナアレイを含んでもよい。アンテナＱＱ１６２は、無線フロントエンド回路構成ＱＱ１９０に連結されてもよく、データおよび／または信号を無線で送受信することができる、任意のタイプのアンテナであってもよい。いくつかの実施形態では、アンテナＱＱ１６２は、例えば、２ギガヘルツ（ＧＨｚ）〜６６ＧＨｚの無線信号を送受信するように動作可能な、１つまたは複数の全方向性、セクター、またはパネルアンテナを含んでもよい。全方向性アンテナは、任意の方向で無線信号を送受信するのに使用されてもよく、セクターアンテナは、特定のエリア内でデバイスから無線信号を送受信するのに使用されてもよく、パネルアンテナは、比較的直線で無線信号を送受信するのに使用される見通し線アンテナであってもよい。いくつかの例では、１つを超えるアンテナの使用は複数入力複数出力（ＭＩＭＯ）と呼ばれることがある。特定の実施形態では、アンテナＱＱ１６２は、ネットワークノードＱＱ１６０とは別個であってもよく、インターフェースまたはポートを通してネットワークノードＱＱ１６０に接続可能であってもよい。
【０１１３】
アンテナＱＱ１６２、インターフェースＱＱ１９０、および／または処理回路構成ＱＱ１７０は、ネットワークノードによって実施されるものとして、本明細書に記載するあらゆる受信動作および／または特定の取得動作を実施するように構成されてもよい。あらゆる情報、データ、および／または信号は、無線デバイス、別のネットワークノード、および／または他の任意のネットワーク機器から受信されてもよい。同様に、アンテナＱＱ１６２、インターフェースＱＱ１９０、および／または処理回路構成ＱＱ１７０は、ネットワークノードによって実施されるものとして、本明細書に記載するあらゆる送信動作を実施するように構成されてもよい。あらゆる情報、データ、および／または信号は、無線デバイス、別のネットワークノード、および／または他の任意のネットワーク機器に送信されてもよい。
【０１１４】
電力回路構成ＱＱ１８７は、電力管理回路構成を含むかまたはそれに連結されてもよく、ネットワークノードＱＱ１６０の構成要素に、本明細書に記載する機能性を実施する電力を供給するように構成される。電力回路構成ＱＱ１８７は電源ＱＱ１８６から電力を受信してもよい。電源ＱＱ１８６および／または電力回路構成ＱＱ１８７は、それぞれの構成要素に適した形態で（例えば、それぞれの構成要素に必要な電圧および電流レベルで）、ネットワークノードＱＱ１６０の様々な構成要素に電力を提供するように構成されてもよい。電源ＱＱ１８６は、電力回路構成ＱＱ１８７および／またはネットワークノードＱＱ１６０に含まれるか、あるいはその外部にあってもよい。例えば、ネットワークノードＱＱ１６０は、入力回路構成、または電気ケーブルなどのインターフェースを介して、外部電源（例えば、電気コンセント）に接続可能であってもよく、外部電源は電力を電力回路構成ＱＱ１８７に供給する。更なる例として、電源ＱＱ１８６は、電力回路構成ＱＱ１８７に接続されるかまたは統合される、電池もしくは電池パックの形態の電源の供給源を含んでもよい。電池は、外部電源が故障した場合のバックアップ電力を提供してもよい。光起電デバイスなど、他のタイプの電源も使用されてもよい。
【０１１５】
ネットワークノードＱＱ１６０の代替実施形態は、本明細書に記載する機能性のいずれか、および／または本明細書に記載する主題に対応するのに必要な任意の機能性を含む、ネットワークノードの機能性の特定の態様を提供することに関与してもよい、図ＱＱ１に示されるものを超える追加の構成要素を含んでもよい。例えば、ネットワークノードＱＱ１６０は、情報をネットワークノードＱＱ１６０に入力するのを可能にし、情報をネットワークノードＱＱ１６０から出力するのを可能にする、ユーザインターフェース機器を含んでもよい。これは、ネットワークノードＱＱ１６０に対する診断、保守、修理、および他の管理機能をユーザが実施するのを可能にしてもよい。
【０１１６】
本明細書で使用するとき、ＷＤは、ネットワークノードおよび／または他の無線デバイスと無線で通信することができる、そのように構成されている、そのように配置されている、ならびに／あるいはそのように動作可能であるデバイスを指す。別段の記述がない限り、ＷＤという用語は、本明細書ではＵＥと交換可能に使用されてもよい。無線通信には、電磁波、電波、赤外線波、および／または空気を通して情報を伝達するのに適した他のタイプの信号を使用して、無線信号を送信および／または受信することが関与してもよい。いくつかの実施形態では、ＷＤは、直接的な人間の相互作用なしに情報を送信および／または受信するように構成されてもよい。例えば、ＷＤは、内部もしくは外部イベントによって起動されると、またはネットワークからの要求に応答して、所定のスケジュールでネットワークに情報を送信するように設計されてもよい。ＷＤの例としては、スマートフォン、モバイルフォン、携帯電話、ボイスオーバーＩＰ（ＶｏＩＰ）電話、無線ローカルループ電話、デスクトップコンピュータ、個人情報端末（ＰＤＡ）、無線カメラ、ゲームコンソールもしくはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線カスタマー構内設備（ＣＰＥ）、車載型無線端末デバイスなどが挙げられるが、それらに限定されない。ＷＤは、例えば、サイドリンク通信の３ＧＰＰ規格を実現することによるデバイス間（Ｄ２Ｄ）通信、車車間（Ｖ２Ｖ）、路車間（Ｖ２Ｉ）、車車間・路車間（Ｖ２Ｘ）に対応してもよく、この場合、Ｄ２Ｄ通信デバイスと呼ばれることがある。更に別の特定の例として、物のインターネット（ＩｏＴ）のシナリオでは、ＷＤは、監視および／または測定を実施し、かかる監視および／または測定の結果を別のＷＤおよび／またはネットワークノードに送信する、機械または他のデバイスを表してもよい。ＷＤは、この場合、３ＧＰＰの文脈ではＭＴＣデバイスと呼ばれることがある、Ｍ２Ｍデバイスであってもよい。１つの特定の例として、ＷＤは、３ＧＰＰ  ＮＢ−ＩｏＴ規格を実現するＵＥであってもよい。かかる機械またはデバイスの特定の例は、センサ、電力計などの計量デバイス、工業用機械類、または家庭用もしくは個人用電気器具（例えば、冷蔵庫、テレビなど）、個人用ウェアラブル（例えば、時計、フィットネストラッカーなど）である。他のシナリオでは、ＷＤは、その動作状態またはその動作と関連付けられた他の機能に関して監視および／または報告することができる、車両または他の機器を表してもよい。上述したようなＷＤは、無線接続のエンドポイントを表してもよく、その場合、デバイスは無線端末と呼ばれることがある。更に、上述したようなＷＤは移動体であってもよく、その場合、移動デバイスまたは移動端末と呼ばれることもある。
【０１１７】
図示されるように、無線デバイスＱＱ１１０は、アンテナＱＱ１１１、インターフェースＱＱ１１４、処理回路構成ＱＱ１２０、デバイス可読媒体ＱＱ１３０、ユーザインターフェース機器ＱＱ１３２、補助機器ＱＱ１３４、電源ＱＱ１３６、および電力回路構成ＱＱ１３７を含む。ＷＤ  ＱＱ１１０は、例えば、例を挙げると、ＧＳＭ、ＷＣＤＭＡ、ＬＴＥ、ＮＲ、ＷｉＦｉ、ＷｉＭＡＸ、ＮB−ＩｏＴ、またはブルートゥース無線技術など、ＷＤ  ＱＱ１１０が対応する異なる無線技術に対して、図示される構成要素のうち１つまたは複数のものの複数組を含んでもよい。これらの無線技術は、ＷＤ  ＱＱ１１０内の他の構成要素と同じもしくは異なるチップまたはチップセットに統合されてもよい。
【０１１８】
アンテナＱＱ１１１は、無線信号を送出および／または受信するように構成された、１つもしくは複数のアンテナまたはアンテナアレイを含んでもよく、インターフェースＱＱ１１４に接続される。特定の代替実施形態では、アンテナＱＱ１１１は、ＷＤ  ＱＱ１１０とは別個であってもよく、インターフェースまたはポートを通してＷＤ  ＱＱ１１０に接続可能であってもよい。アンテナＱＱ１１１、インターフェースＱＱ１１４、および／または処理回路構成ＱＱ１２０は、ＷＤによって実施されるものとして本明細書に記載される、あらゆる受信または送信動作を実施するように構成されてもよい。あらゆる情報、データ、および／または信号は、ネットワークノードおよび／または別のＷＤから受信されてもよい。いくつかの実施形態では、無線フロントエンド回路構成および／またはアンテナＱＱ１１１は、インターフェースと見なされてもよい。
【０１１９】
図示されるように、インターフェースＱＱ１１４は無線フロントエンド回路構成ＱＱ１１２およびアンテナＱＱ１１１を備える。無線フロントエンド回路構成ＱＱ１１２は、１つまたは複数のフィルタＱＱ１１８および増幅器ＱＱ１１６を備える。無線フロントエンド回路構成ＱＱ１１４は、アンテナＱＱ１１１および処理回路構成ＱＱ１２０に接続され、アンテナＱＱ１１１と処理回路構成ＱＱ１２０との間で通信される信号を調整するように構成される。無線フロントエンド回路構成ＱＱ１１２は、アンテナＱＱ１１１に連結されるか、またはその一部であってもよい。いくつかの実施形態では、ＷＤ  ＱＱ１１０は、別個の無線フロントエンド回路構成ＱＱ１１２を含まなくてもよく、それよりもむしろ、処理回路構成ＱＱ１２０は、無線フロントエンド回路構成を備えてもよく、アンテナＱＱ１１１に接続されてもよい。同様に、いくつかの実施形態では、ＲＦ送受信機回路構成ＱＱ１２２の一部または全てはインターフェースＱＱ１１４の一部と見なされてもよい。無線フロントエンド回路構成ＱＱ１１２は、無線接続を介して他のネットワークノードまたはＷＤに対して送出されるべきである、デジタルデータを受信してもよい。無線フロントエンド回路構成ＱＱ１１２は、フィルタＱＱ１１８および／または増幅器ＱＱ１１６の組み合わせを使用して、デジタルデータを、適切なチャネルおよび帯域幅パラメータを有する無線信号へと変換してもよい。無線信号は次に、アンテナＱＱ１１１を介して送信されてもよい。同様に、データを受信するとき、アンテナＱＱ１１１は無線信号を収集してもよく、それらは次に、無線フロントエンド回路構成ＱＱ１１２によってデジタルデータへと変換される。デジタルデータは処理回路構成ＱＱ１２０に渡されてもよい。他の実施形態では、インターフェースは、異なる構成要素および／または構成要素の異なる組み合わせを備えてもよい。
【０１２０】
処理回路構成ＱＱ１２０は、マイクロプロセッサ、コントローラ、マイクロコントローラ、ＣＰＵ、ＤＳＰ、ＡＳＩＣ、ＦＰＧＡ、または他の任意の適切なコンピューティングデバイス、リソース、あるいは単独で、または他のＷＤ  ＱＱ１１０の構成要素（デバイス可読媒体ＱＱ１３０、ＷＤ  ＱＱ１１０の機能性など）と併せて提供するように動作可能な、ハードウェア、ソフトウェア、および／または符号化論理の組み合わせのうち、１つもしくは複数のものの組み合わせを備えてもよい。かかる機能性は、本明細書で考察する様々な無線の機構または利益のいずれかを提供することを含んでもよい。例えば、処理回路構成ＱＱ１２０は、デバイス可読媒体ＱＱ１３０に、または処理回路構成ＱＱ１２０内のメモリに格納された命令を実行して、本明細書に開示する機能性を提供してもよい。
【０１２１】
図示されるように、処理回路構成ＱＱ１２０は、ＲＦ送受信機回路構成ＱＱ１２２、ベースバンド処理回路構成ＱＱ１２４、およびアプリケーション処理回路構成ＱＱ１２６の１つまたは複数を含む。他の実施形態では、処理回路構成は、異なる構成要素および／または構成要素の異なる組み合わせを備えてもよい。特定の実施形態では、ＷＤ  ＱＱ１１０の処理回路構成ＱＱ１２０はＳＯＣを備えてもよい。いくつかの実施形態では、ＲＦ送受信機回路構成ＱＱ１２２、ベースバンド処理回路構成ＱＱ１２４、およびアプリケーション処理回路構成ＱＱ１２６は、別個のチップまたはチップセット上にあってもよい。代替実施形態では、ベースバンド処理回路構成ＱＱ１２４およびアプリケーション処理回路構成ＱＱ１２６の一部または全ては、１つのチップまたはチップセットに組み入れられてもよく、ＲＦ送受信機回路構成ＱＱ１２２は別個のチップまたはチップセット上にあってもよい。更なる代替実施形態では、ＲＦ送受信機回路構成ＱＱ１２２およびベースバンド処理回路構成ＱＱ１２４の一部または全てが、同じチップまたはチップセット上にあってもよく、アプリケーション処理回路構成ＱＱ１２６が別個のチップまたはチップセット上にあってもよい。更なる他の代替実施形態では、ＲＦ送受信機回路構成ＱＱ１２２、ベースバンド処理回路構成ＱＱ１２４、およびアプリケーション処理回路構成ＱＱ１２６の一部または全てが、同じチップまたはチップセットに組み入れられてもよい。いくつかの実施形態では、ＲＦ送受信機回路構成ＱＱ１２２はインターフェースＱＱ１１４の一部であってもよい。ＲＦ送受信機回路構成ＱＱ１２２は、処理回路構成ＱＱ１２０に対するＲＦ信号を調整してもよい。
【０１２２】
特定の実施形態では、ＷＤによって実施されるものとして本明細書に記載される機能性の一部または全ては、特定の実施形態ではコンピュータ可読記憶媒体であってもよい、デバイス可読媒体ＱＱ１３０に格納された命令を処理回路構成ＱＱ１２０が実行することによって提供されてもよい。代替実施形態では、機能性の一部または全ては、ハードワイヤード方式などで、別個のまたは離散的なデバイス可読記憶媒体に格納された命令を実行することなく、処理回路構成ＱＱ１２０によって提供されてもよい。これら特定の実施形態のいずれかにおいて、デバイス可読記憶媒体に格納された命令を実行するか否かにかかわらず、処理回路構成ＱＱ１２０は、記載される機能性を実施するように構成することができる。かかる機能性によって提供される利益は、処理回路構成ＱＱ１２０のみに、またはＷＤ  ＱＱ１１０の他の構成要素に限定されず、ＷＤ  ＱＱ１１０全体ならびに／あるいはエンドユーザおよび無線ネットワーク全般によって享受される。
【０１２３】
処理回路構成ＱＱ１２０は、ＷＤによって実施されるものとして本明細書に記載される、任意の決定、計算、または類似の動作（例えば、特定の取得動作）を実施するように構成されてもよい。処理回路構成ＱＱ１２０によって実施されるようなこれらの動作は、例えば、取得された情報を他の情報に変換すること、取得された情報または変換された情報をＷＤ  ＱＱ１１０によって格納された情報と比較すること、ならびに／あるいは取得された情報または変換された情報に基づいて１つもしくは複数の動作を実施することによって、処理回路構成ＱＱ１２０によって取得される情報を処理すること、ならびに前記処理の結果として決定を行うことを含んでもよい。
【０１２４】
デバイス可読媒体ＱＱ１３０は、１つもしくは複数の論理、規則、符号、テーブルなどを含む、コンピュータプログラム、ソフトウェア、アプリケーション、ならびに／あるいは処理回路構成ＱＱ１２０によって実行することができる他の命令を格納するように動作可能であってもよい。デバイス可読媒体ＱＱ１３０としては、コンピュータメモリ（例えば、ＲＡＭもしくはＲＯＭ）、大容量記憶媒体（例えば、ハードディスク）、リムーバブル記憶媒体（例えば、ＣＤもしくはＤＶＤ）、ならびに／あるいは、処理回路構成ＱＱ１２０によって使用されてもよい情報、データ、および／または命令を格納する、他の任意の揮発性もしくは不揮発性非一時的デバイス可読および／またはコンピュータ実行可能メモリデバイスを挙げることができる。いくつかの実施形態では、処理回路構成ＱＱ１２０およびデバイス可読媒体ＱＱ１３０は、統合されたものと見なされてもよい。
【０１２５】
ユーザインターフェース機器ＱＱ１３２は、人間のユーザがＷＤ  ＱＱ１１０と相互作用することを可能にする構成要素を提供してもよい。かかる相互作用は、視覚、聴覚、触覚など、多くの形態のものであってもよい。ユーザインターフェース機器ＱＱ１３２は、ユーザに対する出力を生成し、ユーザがＷＤ  ＱＱ１１０への入力を提供できるように動作可能であってもよい。相互作用のタイプは、ＷＤ  ＱＱ１１０にインストールされるユーザインターフェース機器ＱＱ１３２のタイプに応じて変わってもよい。例えば、ＷＤ  ＱＱ１１０がスマートフォンの場合、相互作用はタッチスクリーンを介してもよく、ＷＤ  ＱＱ１１０がスマートメータの場合、相互作用は、使用（例えば、使用したガロン数）を提供する画面、または（例えば、煙が検出された場合に）可聴警告音を提供するスピーカーを通すものであってもよい。ユーザインターフェース機器ＱＱ１３２は、入力インターフェース、デバイス、および回路、ならびに出力インターフェース、デバイス、および回路を含んでもよい。ユーザインターフェース機器ＱＱ１３２は、ＷＤ  ＱＱ１１０への情報の入力を可能にするように構成され、処理回路構成ＱＱ１２０に接続されて、処理回路構成ＱＱ１２０が入力情報を処理するのを可能にする。ユーザインターフェース機器ＱＱ１３２は、例えば、マイクロフォン、近接センサもしくは他のセンサ、キー／ボタン、タッチディスプレイ、１つもしくは複数のカメラ、ユニバーサルシリアルバス（ＵＳＢ）ポート、または他の入力回路構成を含んでもよい。ユーザインターフェース機器ＱＱ１３２はまた、ＷＤ  ＱＱ１１０からの情報の出力を可能にし、処理回路構成ＱＱ１２０が情報をＷＤ  ＱＱ１１０から出力するのを可能にするように構成される。ユーザインターフェース機器ＱＱ１３２は、例えば、スピーカー、ディスプレイ、振動回路構成、ＵＳＢポート、ヘッドフォンインターフェース、または他の出力回路構成を含んでもよい。ユーザインターフェース機器ＱＱ１３２の１つまたは複数の入力および出力インターフェース、デバイス、ならびに回路を使用して、ＷＤ  ＱＱ１１０は、エンドユーザおよび／または無線ネットワークと通信し、それらが本明細書に記載する機能性から利益を得ることを可能にしてもよい。
【０１２６】
補助機器ＱＱ１３４は、一般にはＷＤによって実施されないことがある、より具体的な機能性を提供するように動作可能である。これは、様々な目的の測定を行う専用センサ、有線通信などの追加のタイプの通信のためのインターフェースなどを含んでもよい。補助機器ＱＱ１３４を含むこと、またその構成要素のタイプは、実施形態および／またはシナリオに応じて異なってもよい。
【０１２７】
電源ＱＱ１３６は、いくつかの実施形態では、電池または電池パックの形態のものであってもよい。外部電源（例えば、電気コンセント）、光起電デバイス、またはパワーセルなど、他のタイプの電源も使用されてもよい。ＷＤ  ＱＱ１１０は、本明細書に記載または示される任意の機能性を実施するのに電源ＱＱ１３６からの電力を必要とするＷＤ  ＱＱ１１０の様々な部分に、電源ＱＱ１３６から電力を送達する、電力回路構成ＱＱ１３７を更に備えてもよい。電力回路構成ＱＱ１３７は、特定の実施形態では、電力管理回路構成を含んでもよい。電力回路構成ＱＱ１３７は、それに加えてまたはその代わりに、外部電源から電力を受信するように動作可能であってもよく、その場合、ＷＤ  ＱＱ１１０は、入力回路構成、または電力ケーブルなどのインターフェースを介して、外部電源（電気コンセントなど）に接続可能であってもよい。電力回路構成ＱＱ１３７はまた、特定の実施形態では、外部電源から電源ＱＱ１３６に電力を送達するように動作可能であってもよい。これは、例えば、電源ＱＱ１３６を充電するものであってもよい。電力回路構成ＱＱ１３７は、電源ＱＱ１３６からの電力に対して任意のフォーマット化、変換、または他の修正を実施して、電力が供給されるＷＤ  ＱＱ１１０のそれぞれの構成要素に適した電力にしてもよい。
【０１２８】
図ＱＱ２は、本明細書に記載する様々な態様による、ＵＥの一実施形態を示している。本明細書で使用するとき、ユーザ機器、即ちＵＥは、関連デバイスを所有および／または操作する人間のユーザという意味では、必ずしもユーザを有さなくてもよい。代わりに、ＵＥは、人間のユーザに販売するか人間のユーザによって操作されることが意図されるが、特定の人間のユーザと関連付けられないことがある、または最初は関連付けられないことがあるデバイスを表してもよい（例えば、スマートスプリンクラーコントローラ）。あるいは、ＵＥは、エンドユーザに販売するかエンドユーザによって操作されることは意図されないが、ユーザと関連付けられるかまたはユーザの利益のために操作されてもよいデバイスを表してもよい（例えば、スマート電力計）。ＵＥ  ＱＱ２００は、ＮＢ−ＩｏＴ  ＵＥ、ＭＴＣ  ＵＥ、および／または拡張型ＭＴＣ（ｅＭＴＣ）ＵＥを含む、第３世代パートナーシッププロジェクト（３ＧＰＰ）によって特定される任意のＵＥであってもよい。図ＱＱ２に示されるようなＵＥ  ＱＱ２００は、３ＧＰＰのＧＳＭ、ＵＭＴＳ、ＬＴＥ、および／または５Ｇ規格など、３ＧＰＰによって普及される１つまたは複数の通信規格にしたがった通信向けに構成されたＷＤの一例である。上述したように、ＷＤおよびＵＥという用語は交換可能に使用されてもよい。したがって、図ＱＱ２はＵＥであるが、本明細書で考察する構成要素はＷＤに等しく適用可能であり、その逆もまた真である。
【０１２９】
図ＱＱ２では、ＵＥ  ＱＱ２００は、入出力インターフェースＱＱ２０５、ＲＦインターフェースＱＱ２０９、ネットワーク接続インターフェースＱＱ２１１、メモリＱＱ２１５（ＲＡＭ  ＱＱ２１７、ＲＯＭ  ＱＱ２１９、および記憶媒体ＱＱ２２１などを含む）、通信サブシステムＱＱ２３１、電源ＱＱ２３３、および／または他の任意の構成要素、あるいはそれらの任意の組み合わせに動作可能に連結された、処理回路構成ＱＱ２０１を含む。記憶媒体ＱＱ２２１は、オペレーティングシステムＱＱ２２３、アプリケーションプログラムＱＱ２２５、およびデータＱＱ２２７を含む。他の実施形態では、記憶媒体ＱＱ２２１は他の類似のタイプの情報を含んでもよい。特定のＵＥは、図ＱＱ２に示される構成要素の全て、または構成要素のサブセットのみを利用してもよい。構成要素間の統合レベルはＵＥごとに異なってもよい。更に、特定のＵＥは、複数のプロセッサ、メモリ、送受信機、送信機、受信機など、構成要素の複数の例を含んでもよい。
【０１３０】
図ＱＱ２では、処理回路構成ＱＱ２０１は、コンピュータ命令およびデータを処理するように構成されてもよい。処理回路構成ＱＱ２０１は、１つもしくは複数のハードウェア実装状態機械（例えば、離散的な論理、ＦＰＧＡ、ＡＳＩＣなど）、適切なファームウェアを伴うプログラマブル論理、１つもしくは複数の格納されたプログラム、適切なソフトウェアを伴うマイクロプロセッサもしくはＤＳＰなどの汎用プロセッサ、または上記のものの任意の組み合わせなど、機械可読コンピュータプログラムとしてメモリに格納された機械命令を実行するように動作可能な、任意の連続状態機械を実現するように構成されてもよい。例えば、処理回路構成ＱＱ２０１は２つのＣＰＵを含んでもよい。データは、コンピュータが使用するのに適した形態の情報であってもよい。
【０１３１】
図示される実施形態では、入出力インターフェースＱＱ２０５は、入力デバイス、出力デバイス、または入出力デバイスに対する通信インターフェースを提供するように構成されてもよい。ＵＥ  ＱＱ２００は、入出力インターフェースＱＱ２０５を介して出力デバイスを使用するように構成されてもよい。出力デバイスは、入力デバイスと同じタイプのインターフェースポートを使用してもよい。例えば、ＵＥ  ＱＱ２００に対する入出力を提供するのに、ＵＳＢポートが使用されてもよい。出力デバイスは、スピーカー、サウンドカード、ビデオカード、ディスプレイ、モニタ、プリンタ、アクチュエータ、エミッタ、スマートカード、別の出力デバイス、またはそれらの任意の組み合わせであってもよい。ＵＥ  ＱＱ２００は、入出力インターフェースＱＱ２０５を介して入力デバイスを使用して、ユーザがＵＥ  ＱＱ２００への情報を捕捉することを可能にするように構成されてもよい。入力デバイスは、タッチセンサ式または存在センサ式ディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、スマートカードなどを含んでもよい。存在センサ式ディスプレイは、ユーザからの入力を感知する、容量性または抵抗性タッチセンサを含んでもよい。センサは、例えば、加速度計、ジャイロスコープ、傾きセンサ、力センサ、磁力計、光学センサ、近接センサ、別の同様のセンサ、またはそれらの任意の組み合わせであってもよい。例えば、入力デバイスは、加速度計、磁力計、デジタルカメラ、マイクロフォン、および光学センサであってもよい。
【０１３２】
図ＱＱ２では、ＲＦインターフェースＱＱ２０９は、通信インターフェースを、送信機、受信機、およびアンテナなどのＲＦ構成要素に提供するように構成されてもよい。ネットワーク接続インターフェースＱＱ２１１は、通信インターフェースをネットワークＱＱ２４３ａに提供するように構成されてもよい。ネットワークＱＱ２４３ａは、ＬＡＮ、ＷＡＮ、コンピュータネットワーク、無線ネットワーク、電気通信ネットワーク、別の類似のネットワーク、またはそれらの任意の組み合わせなど、有線および／または無線ネットワークを包含してもよい。例えば、ネットワークＱＱ２４３ａはＷｉＦｉネットワークを含んでもよい。ネットワーク接続インターフェースＱＱ２１１は、イーサネット、伝送制御プロトコル（ＴＣＰ）／ＩＰ、同期光通信ネットワーク（ＳＯＮＥＴ）、非同期転送モード（ＡＴＭ）など、１つまたは複数の通信プロトコルにしたがって、通信ネットワークを通じて１つもしくは複数の他のデバイスと通信するのに使用される、受信機および送信機インターフェースを含むように構成されてもよい。ネットワーク接続インターフェースＱＱ２１１は、通信ネットワークリンク（例えば、光学、電気など）に適切な受信機および送信機の機能性を実現してもよい。送信機および受信機機能は、回路構成要素、ソフトウェア、もしくはファームウェアを共有してもよく、あるいは別個に実現されてもよい。
【０１３３】
ＲＡＭ  ＱＱ２１７は、バスＱＱ２０２を介して処理回路構成ＱＱ２０１にインターフェース接続して、オペレーティングシステム、アプリケーションプログラム、およびデバイスドライバなどのソフトウェアプログラムを実行する間、データまたはコンピュータ命令を格納もしくはキャッシングするように構成されてもよい。ＲＯＭ  ＱＱ２１９は、コンピュータ命令またはデータを処理回路構成ＱＱ２０１に提供するように構成されてもよい。例えば、ＲＯＭ  ＱＱ２１９は、基本的入出力（Ｉ／Ｏ）、起動、または不揮発性メモリに格納されたキーボードからのキーストロークの受信など、基本的なシステム機能に対する不変の低レベルシステムコードまたはデータを格納するように構成されてもよい。記憶媒体ＱＱ２２１は、ＲＡＭ、ＲＯＭ、プログラマブルＲＯＭ（ＰＲＯＭ）、消去可能ＰＲＯＭ（ＥＰＲＯＭ）、電気的ＥＰＲＯＭ（ＥＥＰＲＯＭ）、磁気ディスク、光学ディスク、フロッピーディスク、ハードディスク、取外し可能カートリッジ、またはフラッシュドライブなどのメモリを含むように構成されてもよい。一例では、記憶媒体ＱＱ２２１は、オペレーティングシステムＱＱ２２３、ウェブブラウザアプリケーションなどのアプリケーションプログラムＱＱ２２５、ウィジェットもしくはガジェットエンジンまたは別のアプリケーション、およびデータファイルＱＱ２２７を含むように構成されてもよい。記憶媒体ＱＱ２２１は、ＵＥ  ＱＱ２００が使用するため、多種多様の様々なオペレーティングシステムまたはオペレーティングシステムの組み合わせのいずれかを格納してもよい。
【０１３４】
記憶媒体ＱＱ２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光学ディスクドライブ、内部ハードディスクドライブ、ブルーレイ光学ディスクドライブ、ホログラフィックデジタルデータ記録（ＨＤＤＳ）光学ディスクドライブ、外部ミニデュアルインラインメモリモジュール（ＤＩＭＭ）、同期式動的ＲＡＭ（ＳＤＲＡＭ）、外部マイクロＤＩＭＭ  ＳＤＲＡＭ、スマートカードメモリ（加入者識別モジュール（ＳＩＭ）もしくはリムーバブルユーザ識別モジュール（ＲＵＩＭ））、他のメモリ、またはそれらの任意の組み合わせなど、多数の物理的ドライブユニットを含むように構成されてもよい。記憶媒体ＱＱ２２１によって、ＵＥ  ＱＱ２００が、一時的もしくは非一時的メモリ媒体に格納された、コンピュータ実行可能命令、アプリケーションプログラムなどにアクセスするか、データをオフロードするか、またはデータをアップロードすることが可能になってもよい。通信システムを利用するものなどの製品は、デバイス可読媒体を含んでもよい、記憶媒体ＱＱ２２１の形で有形的に具体化されてもよい。
【０１３５】
図ＱＱ２では、処理回路構成ＱＱ２０１は、通信サブシステムＱＱ２３１を使用してネットワークＱＱ２４３ｂと通信するように構成されてもよい。ネットワークＱＱ２４３ａおよびネットワークＱＱ２４３ｂは、同じネットワークまたは異なるネットワークであってもよい。通信サブシステムＱＱ２３１は、ネットワークＱＱ２４３ｂと通信するのに使用される１つまたは複数の送受信機を含むように構成されてもよい。例えば、通信サブシステムＱＱ２３１は、ＩＥＥＥ  ８０２．ＱＱ２、符号分割多重アクセス（ＣＤＭＡ）、ＷＣＤＭＡ、ＧＳＭ、ＬＴＥ、ユニバーサル地上無線アクセスネットワーク（ＵＴＲＡＮ）、ＷｉＭａｘなどの１つまたは複数の通信プロトコルにしたがって、別のＷＤ、ＵＥ、またはＲＡＮの基地局など、無線通信することができる別のデバイスの１つまたは複数のリモート送受信機と通信するのに使用される、１つまたは複数の送受信機を含むように構成されてもよい。各送受信機は、ＲＡＮリンクに適した送信機または受信機の機能性（例えば、周波数割当てなど）をそれぞれ実現する、送信機ＱＱ２３３および／または受信機ＱＱ２３５を含んでもよい。更に、各送受信機の送信機ＱＱ２３３および受信機ＱＱ２３５は、回路構成要素、ソフトウェア、もしくはファームウェアを共有してもよく、あるいは別個に実現されてもよい。
【０１３６】
図示される実施形態では、通信サブシステムＱＱ２３１の通信機能は、データ通信、音声通信、マルチメディア通信、ブルートゥースなどの近距離通信、近距離無線通信、位置を決定するのに全地球測位システム（ＧＰＳ）を使用するものなどの位置依存型通信、別の類似の通信機能、またはそれらの任意の組み合わせを含んでもよい。例えば、通信サブシステムＱＱ２３１は、セルラー通信、ＷｉＦｉ通信、ブルートゥース通信、およびＧＰＳ通信を含んでもよい。ネットワークＱＱ２４３ｂは、ＬＡＮ、ＷＡＮ、コンピュータネットワーク、無線ネットワーク、電気通信ネットワーク、別の類似のネットワーク、またはそれらの任意の組み合わせなど、有線および／または無線ネットワークを包含してもよい。例えば、ネットワークＱＱ２４３ｂは、セルラーネットワーク、ＷｉＦｉネットワーク、および／または近距離ネットワークであってもよい。電源ＱＱ２１３は、交流（ＡＣ）または直流（ＤＣ）電力をＵＥ  ＱＱ２００の構成要素に提供するように構成されてもよい。
【０１３７】
本明細書に記載する特徴、利益、および／または機能は、ＵＥ  ＱＱ２００の構成要素の１つで実現されてもよく、またはＵＥ  ＱＱ２００の複数の構成要素にわたって分割されてもよい。更に、本明細書に記載する特徴、利益、および／または機能は、ハードウェア、ソフトウェア、またはファームウェアの任意の組み合わせで実現されてもよい。一例では、通信サブシステムＱＱ２３１は、本明細書に記載する構成要素のいずれかを含むように構成されてもよい。更に、処理回路構成ＱＱ２０１は、バスＱＱ２０２を通じてかかる構成要素のいずれかと通信するように構成されてもよい。別の例では、かかる構成要素のいずれかは、処理回路構成ＱＱ２０１によって実行されると、本明細書に記載される対応する機能を実施する、メモリに格納されたプログラム命令によって表されてもよい。別の例では、かかる構成要素のいずれかの機能性は、処理回路構成ＱＱ２０１と通信サブシステムＱＱ２３１との間で分割されてもよい。別の例では、かかる構成要素のいずれかの非コンピュータ集約的機能は、ソフトウェアまたはファームウェアの形で実現されてもよく、コンピュータ集約的機能はハードウェアの形で実現されてもよい。
【０１３８】
図ＱＱ３は、いくつかの実施形態によって実現される機能が仮想化されてもよい、仮想化環境ＱＱ３００を示す概略ブロック図である。この文脈では、仮想化とは、ハードウェアプラットフォーム、記憶デバイス、およびネットワーキングリソースを仮想化することを含んでもよい、装置またはデバイスを仮想化したものを作成することを意味する。本明細書で使用するとき、仮想化は、ノード（例えば、仮想化基地局もしくは仮想化無線アクセスノード）、あるいはデバイス（例えば、ＵＥ、無線デバイス、もしくは他の任意のタイプの通信デバイス）またはその構成要素に適用することができ、機能性の少なくとも一部分が（例えば、１つまたは複数のネットワークにおいて１つまたは複数の物理的処理ノードで実行する、１つもしくは複数のアプリケーション、構成要素、機能、仮想機械、またはコンテナを介して）１つまたは複数の仮想構成要素として実現される実現例に関する。
【０１３９】
いくつかの実施形態では、本明細書に記載する機能の一部または全ては、１つまたは複数のハードウェアノードＱＱ３３０がホストする１つまたは複数の仮想環境ＱＱ３００において実現される、１つまたは複数の仮想機械によって実行される仮想構成要素として実現されてもよい。更に、仮想ノードが無線アクセスノードではない、または無線接続性（例えば、コアネットワークノード）を要しない実施形態では、ネットワークノードは全体的に仮想化されてもよい。
【０１４０】
機能は、本明細書に開示する実施形態のうちいくつかの特徴、機能、および／または利益の一部を実現するように動作する、１つまたは複数のアプリケーションＱＱ３２０（あるいは、ソフトウェアインスタンス、仮想アプライアンス、ネットワーク機能、仮想ノード、仮想ネットワーク機能などと呼ばれることがある）によって実現されてもよい。アプリケーションＱＱ３２０は、処理回路構成ＱＱ３６０およびメモリＱＱ３９０を備えるハードウェアＱＱ３３０を提供する仮想化環境ＱＱ３００で稼働する。メモリＱＱ３９０は、処理回路構成ＱＱ３６０によって実行可能な命令ＱＱ３９５を含み、それによってアプリケーションＱＱ３２０は、本明細書に開示する特徴、利益、および／または機能の１つもしくは複数を提供するように動作する。
【０１４１】
仮想化環境ＱＱ３００は、商用オフザシェルフ（ＣＯＴＳ）プロセッサ、専用ＡＳＩＣ、あるいはデジタルもしくはアナログハードウェア構成要素または専用プロセッサを含む他の任意のタイプの処理回路構成であってもよい、１つもしくは複数のプロセッサまたは処理回路構成ＱＱ３６０のセットを備える、汎用または専用ネットワークハードウェアデバイスＱＱ３３０を備える。各ハードウェアデバイスは、処理回路構成ＱＱ３６０によって実行される命令ＱＱ３９５またはソフトウェアを一時的に格納する非永続的メモリであってもよい、メモリＱＱ３９０−１を備えてもよい。各ハードウェアデバイスは、物理ネットワークインターフェースＱＱ３８０を含む、ネットワークインターフェースカードとしても知られる、１つまたは複数のネットワークインターフェースコントローラ（ＮＩＣ）ＱＱ３７０を備えてもよい。各ハードウェアデバイスはまた、処理回路構成ＱＱ３６０によって実行可能なソフトウェアＱＱ３９５および／または命令が格納された、非一時的な永続的機械可読記憶媒体ＱＱ３９０−２を含んでもよい。ソフトウェアＱＱ３９５は、１つまたは複数の仮想化レイヤＱＱ３５０（ハイパーバイザーとも呼ばれる）の実例となるソフトウェア、仮想機械ＱＱ３４０を実行するソフトウェア、ならびに本明細書に記載するいくつかの実施形態に関連して記載される機能、特徴、および／または利益を実行することを可能にするソフトウェアを含む、任意のタイプのソフトウェアを含んでもよい。
【０１４２】
仮想機械ＱＱ３４０は、仮想処理、仮想メモリ、仮想ネットワーキングまたはインターフェース、および仮想記憶装置を含み、対応する仮想化レイヤＱＱ３５０またはハイパーバイザーによって稼働してもよい。仮想アプライアンスＱＱ３２０のインスタンスの異なる実施形態は、仮想機械ＱＱ３４０の１つまたは複数で実現されてもよく、実現は異なる形で行われてもよい。
【０１４３】
動作中、処理回路構成ＱＱ３６０は、場合によっては仮想機械モニタ（ＶＭＭ）と呼ばれることがある、ハイパーバイザーまたは仮想化レイヤＱＱ３５０の実例となるソフトウェアＱＱ３９５を実行する。仮想化レイヤＱＱ３５０は、仮想機械ＱＱ３４０に対するネットワーキングハードウェアのように見える、仮想オペレーティングプラットフォームを表してもよい。
【０１４４】
図ＱＱ３に示されるように、ハードウェアＱＱ３３０は、一般または特定構成要素を備えた独立型ネットワークノードであってもよい。ハードウェアＱＱ３３０は、アンテナＱＱ３２２５を備えてもよく、仮想化によって一部の機能を実現してもよい。あるいは、ハードウェアＱＱ３３０は、多くのハードウェアノードが共に働き、中でも特にアプリケーションＱ３２０のライフサイクル管理を監督する、管理およびオーケストレーション（ＭＡＮＯ）ＱＱ３１００を介して管理される、ハードウェアの（例えば、データセンタもしくはＣＰＥにおける）より大きいクラスタの一部であってもよい。
【０１４５】
ハードウェアの仮想化は、文脈によっては、ネットワーク機能仮想化（ＮＦＶ）と呼ばれる。ＮＦＶは、多くのネットワーク機器タイプを、業界標準の大容量サーバハードウェア、物理的スイッチ、およびデータセンタに位置することができる物理的記憶装置、およびＣＰＥ上へと統合するのに使用されてもよい。
【０１４６】
ＮＦＶの文脈では、仮想機械ＱＱ３４０は、物理的な非仮想化機械で実行しているかのようにプログラムを走らせる、物理的機械のソフトウェア実現例であってもよい。各仮想機械ＱＱ３４０、およびその仮想機械を実行するハードウェアＱＱ３３０の部分は、その仮想機械専用のハードウェアであり、ならびに／あるいはその仮想機械と他の仮想機械ＱＱ３４０とで共有されるハードウェアは、別個の仮想ネットワーク要素（ＶＮＥ）を形成する。
【０１４７】
やはりＮＦＶの文脈では、仮想ネットワーク機能（ＶＮＦ）は、ハードウェアネットワーキングインフラストラクチャＱＱ３３０の最上位にある１つまたは複数の仮想機械ＱＱ３４０で稼働する特定のネットワーク機能の取り扱いに関与し、図ＱＱ３のアプリケーションＱＱ３２０に相当する。
【０１４８】
いくつかの実施形態では、１つまたは複数の送信機ＱＱ３２２０および１つまたは複数の受信機ＱＱ３２１０をそれぞれ含む、１つまたは複数の無線ユニットＱＱ３２００は、１つまたは複数のアンテナＱＱ３２２５に結合されてもよい。無線ユニットＱＱ３２００は、１つまたは複数の適切なネットワークインターフェースを介してハードウェアノードＱＱ３３０と直接通信してもよく、仮想ノードに無線アクセスノードまたは基地局などの無線能力を提供する、仮想構成要素との組み合わせで使用されてもよい。
【０１４９】
いくつかの実施形態では、一部のシグナリングは、ハードウェアノードＱＱ３３０と無線ユニットＱＱ３２００との間の通信に代わりに使用されてもよい、制御システムＱＱ３２３０を使用することによって実施することができる。
【０１５０】
図ＱＱ４は、いくつかの実施形態による、中間ネットワークを介してホストコンピュータに接続される電気通信ネットワークを示している。特に、図ＱＱ４を参照すると、一実施形態によれば、通信システムは、ＲＡＮなどのアクセスネットワークＱＱ４１１とコアネットワークＱＱ４１４とを含む、３ＧＰＰタイプのセルラーネットワークなどの電気通信ネットワークＱＱ４１０を含む。アクセスネットワークＱＱ４１１は、対応するカバレッジエリアＱＱ４１３ａ、ＱＱ４１３ｂ、ＱＱ４１３ｃをそれぞれ規定する、ノードＢ、ｅＮＢ、ｇＮＢ、または他のタイプの無線アクセスポイントなど、複数の基地局ＱＱ４１２ａ、ＱＱ４１２ｂ、ＱＱ４１２ｃを備える。各基地局ＱＱ４１２ａ、ＱＱ４１２ｂ、ＱＱ４１２ｃは、有線または無線接続ＱＱ４１５を通じてコアネットワークＱＱ４１４に接続可能である。カバレッジエリアＱＱ４１３ｃに位置する第１のＵＥ  ＱＱ４９１は、対応する基地局ＱＱ４１２ｃに無線接続するように、またはそれによってページングするように構成される。カバレッジエリアＱＱ４１３ａの第２のＵＥ  ＱＱ４９２は、対応する基地局ＱＱ４１２ａに無線接続可能である。この例では複数のＵＥ  ＱＱ４９１、ＱＱ４９２が示されているが、開示される実施形態は、単一のＵＥがカバレッジエリアにあるか、または単一のＵＥが対応する基地局ＱＱ４１２に接続している状況に等しく適用可能である。
【０１５１】
電気通信ネットワークＱＱ４１０自体は、スタンドアロンサーバ、クラウド実装サーバ、分散サーバのハードウェアおよび／またはソフトウェアの形で、あるいはサーバファームの処理リソースとして具体化されてもよい、ホストコンピュータＱＱ４３０に接続される。ホストコンピュータＱＱ４３０は、サービスプロバイダの所有もしくは制御下にあってもよく、またはサービスプロバイダによって、もしくはサービスプロバイダに代わって操作されてもよい。電気通信ネットワークＱＱ４１０とホストコンピュータＱＱ４３０との間の接続ＱＱ４２１およびＱＱ４２２は、コアネットワークＱＱ４１４からホストコンピュータＱＱ４３０まで直接延在してもよく、または任意の中間ネットワークＱＱ４２０を介して通ってもよい。中間ネットワークＱＱ４２０は、公衆、私設、もしくはホストされたネットワークの１つ、または１つを超えるものの組み合わせであってもよく、中間ネットワークＱＱ４２０がある場合、バックボーンネットワークまたはインターネットであってもよく、特に中間ネットワークＱＱ４２０は、２つ以上のサブネットワーク（図示なし）を含んでもよい。
【０１５２】
図ＱＱ４の通信システム全体は、接続されたＵＥ  ＱＱ４９１、ＱＱ４９２とホストコンピュータＱＱ４３０との間の接続性を可能にする。接続性は、オーバーザトップ（ＯＴＴ）接続ＱＱ４５０として説明されてもよい。ホストコンピュータＱＱ４３０および接続されたＵＥ  ＱＱ４９１、ＱＱ４９２は、アクセスネットワークＱＱ４１１、コアネットワークＱＱ４１４、任意の中間ネットワークＱＱ４２０、および場合によっては仲介物としての更なるインフラストラクチャ（図示なし）を使用して、ＯＴＴ接続ＱＱ４５０を介してデータおよび／またはシグナリングを通信するように構成される。ＯＴＴ接続ＱＱ４５０は、ＯＴＴ接続ＱＱ４５０が通っている関与する通信デバイスが、アップリンクおよびダウンリンク通信の経路指定を意識していないという意味で透明である。例えば、基地局ＱＱ４１２は、ホストコンピュータＱＱ４３０からのデータが接続されたＵＥ  ＱＱ４９１に転送される（例えば、ハンドオーバーされる）、入ってくるダウンリンク通信の過去の経路指定に関して通知されなくてもよいか、または通知される必要がない。同様に、基地局ＱＱ４１２は、ＵＥ  ＱＱ４９１からホストコンピュータＱＱ４３０に向かう、出て行くアップリンク通信の今後の経路指定を意識する必要はない。
【０１５３】
次に、一実施形態によるＵＥ基地局の例示の実現例、および上述のパラグラフで考察したホストコンピュータについて、図ＱＱ５を参照して記載する。図ＱＱ５は、いくつかの実施形態による、部分無線接続を通じて基地局を介してユーザ機器と通信しているホストコンピュータを示している。通信システムＱＱ５００では、ホストコンピュータＱＱ５１０は、通信システムＱＱ５００の異なる通信デバイスのインターフェースとの有線または無線接続を設定し維持するように構成された、通信インターフェースＱＱ５１６を含むハードウェアＱＱ５１５を備える。ホストコンピュータＱＱ５１０は、記憶および／または処理能力を有してもよい、処理回路構成ＱＱ５１８を更に備える。特に、処理回路構成ＱＱ５１８は、１つもしくは複数のプログラマブルプロセッサ、特定用途向け集積回路、フィールドプログラマブルゲートアレイ、または命令を実行するように適合されたこれらの組み合わせ（図示なし）を含んでもよい。ホストコンピュータＱＱ５１０は、ホストコンピュータＱＱ５１０に格納されるかそれによってアクセス可能であり、処理回路構成ＱＱ５１８によって実行可能である、ソフトウェアＱＱ５１１を更に備える。ソフトウェアＱＱ５１１はホストアプリケーションＱＱ５１２を含む。ホストアプリケーションＱＱ５１２は、ＵＥ  ＱＱ５３０およびホストコンピュータＱＱ５１０で終端するＯＴＴ接続ＱＱ５５０を介して接続するＵＥ  ＱＱ５３０などのリモートユーザに、サービスを提供するように動作可能であってもよい。サービスをリモートユーザに提供する際、ホストアプリケーションＱＱ５１２は、ＯＴＴ接続ＱＱ５５０を使用して送信されるユーザデータを提供してもよい。
【０１５４】
通信システムＱＱ５００は、電気通信システムに提供され、ホストコンピュータＱＱ５１０およびＵＥ  ＱＱ５３０と通信できるようにするハードウェアＱＱ５２５を備える、基地局ＱＱ５２０を更に含む。ハードウェアＱＱ５２５は、通信システムＱＱ５００の異なる通信デバイスのインターフェースとの有線または無線接続を設定し維持する通信インターフェースＱＱ５２６、ならびに基地局ＱＱ５２０がサーブするカバレッジエリア（図ＱＱ５には図示なし）に位置するＵＥ  ＱＱ５３０との少なくとも無線接続ＱＱ５７０を設定し維持する無線インターフェースＱＱ５２７を含んでもよい。通信インターフェースＱＱ５２６は、ホストコンピュータＱＱ５１０への接続ＱＱ５６０を容易にするように構成されてもよい。接続ＱＱ５６０は、直接であってもよく、または電気通信システムのコアネットワーク（図ＱＱ５には図示なし）、および／または電気通信システム外の１つもしくは複数の中間ネットワークを通過してもよい。図示される実施形態では、基地局ＱＱ５２０のハードウェアＱＱ５２５は、１つもしくは複数のプログラマブルプロセッサ、ＡＳＩＣ、ＦＰＧＡ、または命令を実行するように適合されたこれらの組み合わせ（図示なし）を含んでもよい、処理回路構成ＱＱ５２８を更に含む。基地局ＱＱ５２０は、内部に格納されるか、または外部接続を介してアクセス可能な、ソフトウェアＱＱ５２１を更に有する。
【０１５５】
通信システムＱＱ５００は、既に言及したＵＥ  ＱＱ５３０を更に含む。そのハードウェアＱＱ５３５は、ＵＥ  ＱＱ５３０が現在位置しているカバレッジエリアにサーブする基地局との無線接続ＱＱ５７０を設定し維持するように構成された、無線インターフェースＱＱ５３７を含んでもよい。ＵＥ  ＱＱ５３０のハードウェアＱＱ５３５は、１つもしくは複数のプログラマブルプロセッサ、ＡＳＩＣ、ＦＰＧＡ、または命令を実行するように適合されたこれらの組み合わせ（図示なし）を含んでもよい、処理回路構成ＱＱ５３８を更に含む。ＵＥ  ＱＱ５３０は、ＵＥ  ＱＱ５３０に格納されるかそれによってアクセス可能であり、処理回路構成ＱＱ５３８によって実行可能である、ソフトウェアＱＱ５３１を更に備える。ソフトウェアＱＱ５３１はクライアントアプリケーションＱＱ５３２を含む。クライアントアプリケーションＱＱ５３２は、ホストコンピュータＱＱ５１０が対応しているＵＥ  ＱＱ５３０を介して人間または人間以外のユーザにサービスを提供するように動作可能であってもよい。ホストコンピュータＱＱ５１０では、実行中のホストアプリケーションＱＱ５１２は、ＵＥ  ＱＱ５３０およびホストコンピュータＱＱ５１０で終端するＯＴＴ接続ＱＱ５５０を介して、実行中のクライアントアプリケーションＱＱ５３２と通信してもよい。サービスをユーザに提供する際、クライアントアプリケーションＱＱ５３２は、要求データをホストアプリケーションＱＱ５１２から受信し、要求データに応答してユーザデータを提供してもよい。ＯＴＴ接続ＱＱ５５０は、要求データおよびユーザデータの両方を転送してもよい。クライアントアプリケーションＱＱ５３２は、ユーザと相互作用して、提供するユーザデータを生成してもよい。
【０１５６】
図ＱＱ５に示されるホストコンピュータＱＱ５１０、基地局ＱＱ５２０、およびＵＥ  ＱＱ５３０はそれぞれ、図ＱＱ４のホストコンピュータＱＱ４３０、基地局ＱＱ４１２ａ、ＱＱ４１２ｂ、ＱＱ４１２ｃの１つ、およびＵＥ  ＱＱ４９１、ＱＱ４９２の１つと同様または同一であってもよいことが注目される。つまり、これらのエンティティの内部仕事は図ＱＱ５に示されるようなものであってもよく、また独立して、周囲のネットワークトポロジーは図ＱＱ４のものであってもよい。
【０１５７】
図ＱＱ５では、ＯＴＴ接続ＱＱ５５０は、仲介デバイスおよびそれらのデバイスを介したメッセージの正確な経路指定に明示的に言及することなく、基地局ＱＱ５２０を介したホストコンピュータＱＱ５１０とＵＥ  ＱＱ５３０との間の通信を示すため、抽象的に描かれている。ネットワークインフラストラクチャは、ＵＥ  ＱＱ５３０から、またはホストコンピュータＱＱ５１０を動作させるサービスプロバイダから、または両方から隠れるように構成されてもよい、経路指定を決定してもよい。ＯＴＴ接続ＱＱ５５０がアクティブである間、ネットワークインフラストラクチャは更に、（例えば、ネットワークのロードバランシングの考慮または再構成に基づいて）経路指定を大幅に変更する決定を行ってもよい。
【０１５８】
ＵＥ  ＱＱ５３０と基地局ＱＱ５２０との間の無線接続ＱＱ５７０は、本開示を通して記載される実施形態の教示にしたがっている。様々な実施形態の１つまたは複数は、無線接続ＱＱ５７０が最後のセグメントを形成するＯＴＴ接続ＱＱ５５０を使用してＵＥ  ＱＱ５３０に提供される、ＯＴＴサービスの性能を改善する。より正確には、これらの実施形態の教示は、代替例よりもセキュリティを改善し、ならびに／あるいはネットワークの複雑性を低減することができる。
【０１５９】
測定手順は、データ転送率、レイテンシ、および１つまたは複数の実施形態を改善する際の他の因子を監視する目的のために提供されてもよい。更に、測定結果の変動に応答して、ホストコンピュータＱＱ５１０とＵＥ  ＱＱ５３０との間でＯＴＴ接続ＱＱ５５０を再構成する任意のネットワーク機能性があってもよい。測定手順、および／またはＯＴＴ接続ＱＱ５５０を再構成するネットワーク機能性は、ホストコンピュータＱＱ５１０のソフトウェアＱＱ５１１およびハードウェアＱＱ５１５の形、またはＵＥ  ＱＱ５３０のソフトウェアＱＱ５３１およびハードウェアＱＱ５３５の形で、または両方で実現されてもよい。実施形態では、センサ（図示なし）は、ＯＴＴ接続ＱＱ５５０が通過する通信デバイスにおいて、またはそれと関連して展開されてもよく、センサは、上記に例示した監視量の値を供給することによって、または監視量を計算もしくは推定するのにソフトウェアＱＱ５１１、ＱＱ５３１が用いる他の物理的量の値を供給することによって、測定手順に関与してもよい。ＯＴＴ接続ＱＱ５５０の再構成は、メッセージ形式、再送信設定、好ましい経路指定などを含んでもよく、再構成は、基地局ＱＱ５２０に必ずしも影響を及ぼさなくてもよく、基地局ＱＱ５２０にとって未知または認識不能であってもよい。かかる手順および機能性は、当該分野において知られており実践されていることがある。特定の実施形態では、測定には、ホストコンピュータＱＱ５１０がスループット、伝播時間、レイテンシなどを測定するのを容易にする、所有ＵＥシグナリングが関与してもよい。測定は、伝播時間、エラーなどを監視している状態のＯＴＴ接続ＱＱ５５０を使用して、ソフトウェアＱＱ５１１およびＱＱ５３１によってメッセージが、特に空または「ダミー」メッセージが送信されるという点で実現されてもよい。
【０１６０】
図ＱＱ６は、一実施形態による、通信システムにおいて実現される方法を示すフローチャートである。通信システムは、図ＱＱ４およびＱＱ５を参照して記載したものであってもよい、ホストコンピュータ、基地局、およびＵＥを含む。本開示を簡潔にするため、図ＱＱ６に対する参照のみを本セクションに含める。ステップＱＱ６１０で、ホストコンピュータはユーザデータを提供する。ステップＱＱ６１０のサブステップＱＱ６１１（任意であってもよい）で、ホストコンピュータは、ホストアプリケーションを実行することによってユーザデータを提供する。ステップＱＱ６２０で、ホストコンピュータは、ユーザデータをＵＥに伝達する送信を開始する。ステップＱＱ６３０（任意であってもよい）で、基地局は、本開示全体を通して記載する実施形態の教示にしたがって、ホストコンピュータが開始した送信によって伝達されたユーザデータをＵＥに送信する。ステップＱＱ６４０（やはり任意であってもよい）で、ＵＥは、ホストコンピュータが実行したホストアプリケーションと関連付けられたクライアントアプリケーションを実行する。
【０１６１】
図ＱＱ７は、一実施形態による、通信システムにおいて実現される方法を示すフローチャートである。通信システムは、図ＱＱ４およびＱＱ５を参照して記載したものであってもよい、ホストコンピュータ、基地局、およびＵＥを含む。本開示を簡潔にするため、図ＱＱ７に対する参照のみを本セクションに含める。方法のステップＱＱ７１０で、ホストコンピュータはユーザデータを提供する。任意のサブステップ（図示なし）で、ホストコンピュータは、ホストアプリケーションを実行することによってユーザデータを提供する。ステップＱＱ７２０で、ホストコンピュータは、ユーザデータをＵＥに伝達する送信を開始する。本開示を通して記載される実施形態の教示にしたがって、送信は基地局を介してもよい。ステップＱＱ７３０（任意であってもよい）で、ＵＥは送信で伝達されるユーザデータを受信する。
【０１６２】
図ＱＱ８は、一実施形態による、通信システムにおいて実現される方法を示すフローチャートである。通信システムは、図ＱＱ４およびＱＱ５を参照して記載したものであってもよい、ホストコンピュータ、基地局、およびＵＥを含む。本開示を簡潔にするため、図ＱＱ８に対する参照のみを本セクションに含める。ステップＱＱ８１０（任意であってもよい）で、ＵＥはホストコンピュータによって提供される入力データを受信する。それに加えて、またはその代わりに、ステップＱＱ８２０で、ＵＥはユーザデータを提供する。ステップＱＱ８２０のサブステップＱＱ８２１（任意であってもよい）で、ＵＥは、クライアントアプリケーションを実行することによってユーザデータを提供する。ステップＱＱ８１０のサブステップＱＱ８１１（任意であってもよい）で、ＵＥは、ホストコンピュータが提供した受信入力データに反応してユーザデータを提供する、クライアントアプリケーションを実行する。ユーザデータを提供する際、実行されたクライアントアプリケーションは、ユーザから受信するユーザ入力を更に考慮してもよい。ユーザデータが提供された特定の方式にかかわらず、ＵＥは、サブステップＱＱ８３０（任意であってもよい）で、ホストコンピュータへのユーザデータの送信を開始する。方法のステップＱＱ８４０で、ホストコンピュータは、本開示を通して記載される実施形態の教示にしたがって、ＵＥから送信されたユーザデータを受信する。
【０１６３】
図ＱＱ９は、一実施形態による、通信システムにおいて実現される方法を示すフローチャートである。通信システムは、図ＱＱ４およびＱＱ５を参照して記載したものであってもよい、ホストコンピュータ、基地局、およびＵＥを含む。本開示を簡潔にするため、図ＱＱ９に対する参照のみを本セクションに含める。ステップＱＱ９１０（任意であってもよい）で、本開示を通して記載される実施形態の教示にしたがって、基地局はユーザデータをＵＥから受信する。ステップＱＱ９２０（任意であってもよい）で、基地局は、ホストコンピュータに対する受信したユーザデータの送信を開始する。ステップＱＱ９３０（任意であってもよい）で、ホストコンピュータは、基地局が開始した送信で伝達されるユーザデータを受信する。
【０１６４】
本明細書に開示する任意の適切なステップ、方法、特徴、機能、または利益は、１つまたは複数の仮想装置の１つもしくは複数の機能的ユニットまたはモジュールによって実施されてもよい。各仮想装置は多数のこれらの機能的ユニットを備えてもよい。これらの機能的ユニットは、１つもしくは複数のマイクロプロセッサまたはマイクロコントローラを含んでもよい処理回路構成、ならびにＤＳＰ、専用デジタル論理などを含んでもよい、他のデジタルハードウェアによって実現されてもよい。処理回路構成は、ＲＯＭ、ＲＡＭ、キャッシュメモリ、フラッシュメモリデバイス、光学記憶デバイスなどの１つまたは複数のタイプのメモリを含んでもよい、メモリに格納されたプログラムコードを実行するように構成されてもよい。メモリに格納されたプログラムコードとしては、１つもしくは複数の電気通信および／またはデータ通信プロトコルを実行するプログラム命令、ならびに本明細書に記載される技術の１つもしくは複数を実施する命令が挙げられる。いくつかの実現例では、処理回路構成は、本開示の１つまたは複数の実施形態による対応する機能をそれぞれの機能的ユニットに実施させるのに使用されてもよい。
【０１６５】
一般に、本明細書で使用する全ての用語は、異なる意味が明確に与えられない限り、ならびに／あるいは異なる意味がその用語を使用している文脈から示唆されない限り、関連技術分野におけるそれらの本来の意味にしたがって解釈されるべきものである。要素、装置、構成要素、手段、ステップなどに対する全ての参照は、別の形で明示的に定義されない限り、要素、装置、構成要素、手段、ステップなどの少なくとも一例を指すものと広く解釈されるべきである。本明細書に開示するいずれかの方法のステップは、あるステップが別のステップの後または前に行われると明示的に記載されない限り、ならびに／あるいはあるステップが別のステップの後または前に行われなければならないと示唆されない限り、開示する順序で正確に実施されなければならないものではない。本明細書に開示する実施形態のいずれかにおけるあらゆる特徴は、適切であれば、他のいずれかの実施形態に適用されてもよい。同様に、実施形態のいずれかにおけるあらゆる利点は、他のいずれかの実施形態に当てはまることがあり、その逆もまた真である。含まれる実施形態の他の目的、特徴、および利点は説明から明白になるであろう。
【０１６６】
ユニットという用語は、エレクトロニクス、電気デバイス、および／または電子デバイスの分野における従来の意味を有してもよく、例えば、本明細書に記載されるような、それぞれのタスク、手順、計算、出力、および／または表示機能などを実施する、電気および／または電子回路構成、デバイス、モジュール、プロセッサ、メモリ、論理固体および／または離散的デバイス、コンピュータプログラムまたは命令を含んでもよい。
【０１６７】
本明細書において想到される実施形態のいくつかについて、添付図面を参照してさらに十分に記載する。しかしながら、他の実施形態が、本明細書に開示する主題の範囲内に含まれる。開示する主題は、本明細書で説明する実施形態のみに限定されるものと解釈されるべきではなく、それよりもむしろ、これらの実施形態は、主題の範囲を当業者に伝えるために例として提供されるものである。追加の情報が、付表において提供される文献に見出されることもある。
【０１６８】
本明細書に開示するいくつかの例示の実施形態としては、次のものが挙げられる。
【０１６９】
グループＡの実施形態
実施形態１：無線デバイスによって実施される無線リソース制御（ＲＲＣ）シグナリングの方法であって、
ＲＲＣ再開要求を基地局に送信することと、
送信に応答してＲＲＣ中断メッセージを基地局から受信することとを含む、方法。
【０１７０】
実施形態２：ＲＲＣ中断メッセージに含まれる１つまたは複数のパラメータを格納することを更に含む、実施形態１の方法であって、パラメータが、
アクセス層（ＡＳ）セキュリティコンテキスト情報、
非アクティブ無線ネットワーク一時識別子（Ｉ−ＲＮＴＩ）、
ｎｅｘｔＨｏｐＣｈａｉｎｉｎｇＣｏｕｎｔ（ＮＣＣ）、
無線アクセスネットワーク（ＲＡＮ）ページング構成（ｒａｎ−ＰａｇｉｎｇＣｙｃｌｅ）、または、
ＲＡＮ通知領域構成（ｒａｎ−ＮｏｔｉｆｉｃａｔｉｏｎＡｒｅａＩｎｆｏ）の１つもしくは複数を含む、方法。
【０１７１】
実施形態３：パラメータを格納することが、以前に格納されたＡＳセキュリティコンテキスト情報を、ＲＲＣ中断メッセージのＡＳセキュリティコンテキスト情報と交換することを含む、実施形態２の方法。
【０１７２】
実施形態４：１つまたは複数のパラメータを格納することが、以前に格納されたＮＣＣをＲＣＣ中断メッセージのＮＣＣと交換することを含む、実施形態２〜３のいずれかの方法。
【０１７３】
実施形態５：１つまたは複数のパラメータを格納することが、以前に格納されたｒａｎ−ＰａｇｉｎｇＣｙｃｌｅをＲＣＣ中断メッセージのｒａｎ−ＰａｇｉｎｇＣｙｃｌｅと交換することを含む、実施形態２〜４のいずれかの方法。
【０１７４】
実施形態６：１つまたは複数のパラメータを格納することが、以前に格納されたｒａｎ−ＮｏｔｉｆｉｃａｔｉｏｎＡｒｅａＩｎｆｏｒをＲＲＣ中断メッセージのｒａｎ−ＮｏｔｉｆｉｃａｔｉｏｎＡｒｅａＩｎｆｏと交換することを含む、実施形態２〜５のいずれかの方法。
【０１７５】
実施形態７：ＲＲＣ中断メッセージに含まれる１つまたは複数のパラメータを格納するため、命令を基地局から受信することを更に含む、実施形態２〜６のいずれかの方法。
【０１７６】
実施形態８：ＲＲＣ中断メッセージの受信に応答して、１つまたは複数の位置ベースのパラメータを更新することを更に含む、先行する実施形態のいずれかの方法。
【０１７７】
実施形態９：位置ベースのパラメータが、物理セル識別情報（ＰＣＩ）、セル識別情報（セルＩＤ）、および／またはセル無線ネットワーク一時識別子（Ｃ−ＲＮＴＩ）を含む、実施形態８の方法。
【０１７８】
実施形態１０：基地局がサーブするセルと関連付けられた同期信号を検出することによって、ＰＣＩを取得することを更に含む、実施形態９の方法。
【０１７９】
実施形態１１：基地局から受信され、基地局がサーブするセルと関連付けられたセルＩＤを、システム情報から取得することを更に含む、実施形態９〜１０のいずれかの方法。
【０１８０】
実施形態１２：Ｃ−ＲＮＴＩを取得するため、基地局がサーブするセルへのランダムアクセスを実施することを更に含む、実施形態９〜１１のいずれかの方法。
【０１８１】
実施形態１３：ＲＲＣ再開要求の送信が、Ｃ−ＲＮＴＩを取得することに応答する、実施形態１２の方法。
【０１８２】
実施形態１４：更新を実施するため、命令を基地局から受信することを更に含む、実施形態８〜１３のいずれかの方法。
【０１８３】
実施形態１５：ＲＲＣ中断メッセージを受信することが、中断の指示を含むＲＲＣ解除メッセージを受信することを含む、先行する実施形態のいずれかの方法。
【０１８４】
実施形態ＡＡ：先行する実施形態のいずれかの方法であって、
ユーザデータを提供することと、
基地局への送信によって、ユーザデータをホストコンピュータに転送することとを更に含む、方法。
【０１８５】
グループＢの実施形態
実施形態１６：基地局によって実施される無線リソース制御（ＲＲＣ）シグナリングの方法であって、
ＲＲＣ再開要求を無線デバイスから受信することと、
受信に応答してＲＲＣ中断メッセージを無線デバイスに送信することとを含む、方法。
【０１８６】
実施形態１７：ＲＲＣ中断メッセージを送信することが、中断の指示を含むＲＲＣ解除メッセージを送信することを含む、実施形態１６の方法。
【０１８７】
実施形態１８：ＲＲＣ中断メッセージが１つまたは複数のパラメータを含む、実施形態１６〜１７の方法であって、パラメータが、
アクセス層（ＡＳ）セキュリティコンテキスト情報、
非アクティブ無線ネットワーク一時識別子（Ｉ−ＲＮＴＩ）、
ｎｅｘｔＨｏｐＣｈａｉｎｉｎｇＣｏｕｎｔ（ＮＣＣ）、
無線アクセスネットワーク（ＲＡＮ）ページング構成（ｒａｎ−ＰａｇｉｎｇＣｙｃｌｅ）、または、
ＲＡＮ通知領域構成（ｒａｎ−ＮｏｔｉｆｉｃａｔｉｏｎＡｒｅａＩｎｆｏ）の１つもしくは複数を含む、方法。
【０１８８】
実施形態１９：ＲＲＣ中断メッセージに含まれる１つまたは複数のパラメータを格納するため、無線デバイスに命令を送信することを更に含む、実施形態１７〜１８のいずれかの方法。
【０１８９】
実施形態２０：１つまたは複数の位置ベースのパラメータを更新するため、ＲＲＣ再開要求の受信に応答して、無線デバイスに命令を送信することを更に含む、実施形態１６〜１９のいずれかの方法。
【０１９０】
実施形態２１：位置ベースのパラメータが、物理セル識別情報（ＰＣＩ）、セル識別情報（セルＩＤ）、および／またはセル無線ネットワーク一時識別子（Ｃ−ＲＮＴＩ）を含む、実施形態２０の方法。
【０１９１】
実施形態２２：ＰＣＩを含み、基地局がサーブするセルと関連付けられた、同期信号を送信することを更に含む、実施形態２１の方法。
【０１９２】
実施形態２３：基地局がサーブしセルＩＤを含むセルと関連付けられた、システム情報を送信することを更に含む、実施形態２１〜２２のいずれかの方法。
【０１９３】
実施形態ＢＢ：先行する実施形態のいずれかの方法であって、
ユーザデータを取得することと、
ユーザデータをホストコンピュータまたは無線デバイスに転送することとを更に含む、方法。
【０１９４】
グループＣの実施形態
実施形態Ｃ１：グループＡの実施形態いずれかのステップのいずれかを実施するように構成された無線デバイス。
【０１９５】
実施形態Ｃ２：無線デバイスであって、
グループＡの実施形態いずれかのステップのいずれかを実施するように構成された処理回路構成と、
電力を無線デバイスに供給するように構成された電源供給回路構成とを備える、無線デバイス。
【０１９６】
実施形態Ｃ３：処理回路構成とメモリとを備える無線デバイスであって、メモリが、処理回路構成によって実行可能な命令を含み、それによって無線デバイスが、グループＡの実施形態いずれかのステップのいずれかを実施するように構成された、無線デバイス。
【０１９７】
実施形態Ｃ４：ユーザ機器（ＵＥ）であって、
無線信号を送受信するように構成されたアンテナと、
アンテナおよび処理回路構成に接続され、アンテナと処理回路構成との間で通信される信号を調整するように構成された、無線フロントエンド回路構成とを備え、
処理回路構成が、グループＡの実施形態いずれかのステップのいずれかを実施するように構成され、
処理回路構成に接続され、ＵＥへの情報の入力を処理回路構成によって処理することを可能にするように構成された、入力インターフェースと、
処理回路構成に接続され、処理回路構成によって処理されたＵＥからの情報を出力するように構成された、出力インターフェースと、
処理回路構成に接続され、電力をＵＥに供給するように構成された、電池とを備える、ＵＥ。
【０１９８】
実施形態Ｃ５：無線デバイスの少なくとも１つのプロセッサによって実行されると、グループＡの実施形態いずれかのステップを無線デバイスに実施させる命令を含む、コンピュータプログラム。
【０１９９】
実施形態Ｃ６：実施形態Ｃ５のコンピュータプログラムを収容し、電子信号、光信号、無線信号、またはコンピュータ可読記憶媒体のうち１つである、キャリア。
【０２００】
実施形態Ｃ７：グループＢの実施形態いずれかのステップのいずれかを実施するように構成された、基地局。
【０２０１】
実施形態Ｃ８：基地局であって、
グループＢの実施形態いずれかのステップのいずれかを実施するように構成された処理回路構成と、
電力を基地局に供給するように構成された電源供給回路構成とを備える、基地局。
【０２０２】
実施形態Ｃ９：処理回路構成とメモリとを備える基地局であって、メモリが、処理回路構成によって実行可能な命令を含み、それによって基地局が、グループＢの実施形態いずれかのステップのいずれかを実施するように構成された、基地局。
【０２０３】
実施形態Ｃ１０：基地局の少なくとも１つのプロセッサによって実行されると、グループＢの実施形態いずれかのステップを基地局に実施させる命令を含む、コンピュータプログラム。
【０２０４】
実施形態Ｃ１１：実施形態Ｃ１０のコンピュータプログラムを収容し、電子信号、光信号、無線信号、またはコンピュータ可読記憶媒体のうち１つである、キャリア。
【０２０５】
グループＤの実施形態
実施形態Ｄ１：ホストコンピュータを含む通信システムであって、
ユーザデータを提供するように構成された処理回路構成と、
ユーザデータをユーザ機器（ＵＥ）に送信するためにセルラーネットワークに転送するように構成された通信インターフェースとを備え、
セルラーネットワークが、無線インターフェースと処理回路構成とを有する基地局を備え、基地局の処理回路構成がグループＢの実施形態いずれかのステップのいずれかを実施するように構成された、通信システム。
【０２０６】
実施形態Ｄ２：基地局を更に含む、先行する実施形態の通信システム。
【０２０７】
実施形態Ｄ３：ＵＥを更に含み、ＵＥが基地局と通信するように構成された、先行する２つの実施形態の通信システム。
【０２０８】
実施形態Ｄ４：先行する３つの実施形態の通信システムであって、
ホストコンピュータの処理回路構成がホストアプリケーションを実行し、それによってユーザデータを提供するように構成され、
ＵＥが、ホストアプリケーションと関連付けられたクライアントアプリケーションを実行するように構成された処理回路構成を備える、通信システム。
【０２０９】
実施形態Ｄ５：ホストコンピュータ、基地局、およびユーザ機器（ＵＥ）を含む通信システムで実現される方法であって、
ホストコンピュータ側でユーザデータを提供することと、
ホストコンピュータ側で、基地局を含むセルラーネットワークを介してユーザデータをＵＥに伝送する送信を開始することとであって、基地局がグループＢの実施形態いずれかのステップのいずれかを実施することとを含む、方法。
【０２１０】
実施形態Ｄ６：基地局でユーザデータを送信することを更に含む、先行する実施形態の方法。
【０２１１】
実施形態Ｄ７：ユーザデータが、ホストアプリケーションを実行することによってホストコンピュータにおいて提供され、ＵＥ側で、ホストアプリケーションと関連付けられたクライアントアプリケーションを実行することを更に含む、先行する２つの実施形態の方法。
【０２１２】
実施形態Ｄ８：基地局と通信するように構成され、先行する３つの実施形態のいずれかを実施するように構成された無線インターフェースと処理回路構成とを備える、ユーザ機器（ＵＥ）。
【０２１３】
実施形態Ｄ９：ホストコンピュータを含む通信システムであって、
ユーザデータを提供するように構成された処理回路構成と、
ユーザデータをユーザ機器（ＵＥ）に送信するためにセルラーネットワークに転送するように構成された通信インターフェースとを備え、
ＵＥが、無線インターフェースと処理回路構成とを備え、ＵＥの構成要素がグループＡの実施形態いずれかのステップのいずれかを実施するように構成された、通信システム。
【０２１４】
実施形態Ｄ１０：セルラーネットワークが、ＵＥと通信するように構成された基地局を更に含む、先行する実施形態の通信システム。
【０２１５】
実施形態Ｄ１１：先行する２つの実施形態の通信システムであって、
ホストコンピュータの処理回路構成がホストアプリケーションを実行し、それによってユーザデータを提供するように構成され、
ＵＥの処理回路構成が、ホストアプリケーションと関連付けられたクライアントアプリケーションを実行するように構成された、通信システム。
【０２１６】
実施形態Ｄ１２：ホストコンピュータ、基地局、およびユーザ機器（ＵＥ）を含む通信システムで実現される方法であって、
ホストコンピュータ側でユーザデータを提供することと、
ホストコンピュータ側で、基地局を含むセルラーネットワークを介してユーザデータをＵＥに伝送する送信を開始することとであって、ＵＥがグループＡの実施形態いずれかのステップのいずれかを実施することとを含む、方法。
【０２１７】
実施形態Ｄ１３：ＵＥ側でユーザデータを基地局から受信することを更に含む、先行する実施形態の方法。
【０２１８】
実施形態Ｄ１４：ホストコンピュータを含む通信システムであって、
ユーザ機器（ＵＥ）から基地局への送信から生じるユーザデータを受信するように構成された通信インターフェースを備え、
ＵＥが、無線インターフェースと処理回路構成とを備え、ＵＥの処理回路構成がグループＡの実施形態いずれかのステップのいずれかを実施するように構成された、通信システム。
【０２１９】
実施形態Ｄ１５：ＵＥを更に含む、先行する実施形態の通信システム。
【０２２０】
実施形態Ｄ１６：基地局を更に含み、基地局が、ＵＥと通信するように構成された無線インターフェースと、ＵＥから基地局への送信によって伝送されるユーザデータをホストコンピュータに転送するように構成された通信インターフェースとを備える、先行する２つの実施形態の通信システム。
【０２２１】
実施形態Ｄ１７：先行する３つの実施形態の通信システムであって、
ホストコンピュータの処理回路構成がホストアプリケーションを実行するように構成され、
ＵＥの処理回路構成が、ホストアプリケーションと関連付けられたクライアントアプリケーションを実行し、それによってユーザデータを提供するように構成された、通信システム。
【０２２２】
実施形態Ｄ１８：先行する４つの実施形態の通信システムであって、
ホストコンピュータの処理回路構成がホストアプリケーションを実行し、それによって要求データを提供するように構成され、
ＵＥの処理回路構成が、ホストアプリケーションと関連付けられたクライアントアプリケーションを実行し、それによって要求データに応答してユーザデータを提供するように構成された、通信システム。
【０２２３】
実施形態Ｄ１９：ホストコンピュータ、基地局、およびユーザ機器（ＵＥ）を含む通信システムで実現される方法であって、
ホストコンピュータ側で、ＵＥから基地局に送信されるユーザデータを受信することであって、ＵＥがグループＡの実施形態いずれかのステップのいずれかを実施することを含む、方法。
【０２２４】
実施形態Ｄ２０：ＵＥ側でユーザデータを基地局に提供することを更に含む、先行する実施形態の方法。
【０２２５】
実施形態Ｄ２１：先行する２つの実施形態の方法であって、
ＵＥ側でクライアントアプリケーションを実行し、それによって送信されるユーザデータを提供することと、
ホストコンピュータ側で、クライアントアプリケーションと関連付けられたホストアプリケーションを実行することとを更に含む、方法。
【０２２６】
実施形態Ｄ２２：先行する３つの実施形態の方法であって、
ＵＥ側でクライアントアプリケーションを実行することと、
ＵＥ側でクライアントアプリケーションへの入力データを受信することであって、入力データが、クライアントアプリケーションと関連付けられたホストアプリケーションを実行することによって、ホストコンピュータ側で提供されることとを更に含み、
送信されるユーザデータが、入力データに応答してクライアントアプリケーションによって提供される、方法。
【０２２７】
実施形態Ｄ２３：ユーザ機器（ＵＥ）から基地局への送信から生じるユーザデータを受信するように構成された、通信インターフェースを備えるホストコンピュータを含み、基地局が、無線インターフェースと処理回路構成とを備え、基地局の処理回路構成が、グループＢの実施形態いずれかのステップのいずれかを実施するように構成された、通信システム。
【０２２８】
実施形態Ｄ２４：基地局を更に含む、先行する実施形態の通信システム。
【０２２９】
実施形態Ｄ２５：ＵＥを更に含み、ＵＥが基地局と通信するように構成された、先行する２つの実施形態の通信システム。
【０２３０】
実施形態Ｄ２６：先行する３つの実施形態の通信システムであって、
ホストコンピュータの理回路構成がホストアプリケーションを実行するように構成され、
ＵＥが、ホストアプリケーションと関連付けられたクライアントアプリケーションを実行し、それによってホストコンピュータによって受信されるユーザデータを提供するように構成された、通信システム。
【０２３１】
実施形態Ｄ２７：ホストコンピュータ、基地局、およびユーザ機器（ＵＥ）を含む通信システムで実現される方法であって、
ホストコンピュータ側で、基地局がＵＥから受信している送信から生じるユーザデータを基地局から受信することであって、ＵＥがグループＡの実施形態いずれかのステップのいずれかを実施することを含む、方法。
【０２３２】
実施形態Ｄ２８：基地局側でユーザデータをＵＥから受信することを更に含む、先行する実施形態の方法。
【０２３３】
実施形態Ｄ２９：基地局側で、受信したユーザデータのホストコンピュータへの送信を開始することを更に含む、先行する２つの実施形態の方法。
【０２３４】
以下の略語の少なくとも一部が本開示で使用されることがある。略語の間に不一致がある場合、上記でどのように使用されているかを優先するものとする。以下で複数回列挙されている場合、最初の列挙をその後の列挙よりも優先するものとする。
２Ｇ  第２世代
３Ｇ  第３世代
３ＧＰＰ  第３世代パートナーシッププロジェクト
４Ｇ  第４世代
５Ｇ  第５世代
５Ｇ−Ｓ−ＴＭＳＩ  第５世代システムアーキテクチャエボリューション一時的移動体加入者識別子
ＡＣ  交流
ＡＣＫ  肯定応答
ＡＰ  アクセスポイント
ＡＳ  アクセス層
ＡＳＩＣ  特定用途向け集積回路
ＡＴＭ  非同期転送モード
ＢＳ  基地局
ＢＳＣ  基地局コントローラ
ＢＴＳ  ベーストランシーバ基地局
ＣＡ  キャリアアグリゲーション
ＣＤ  コンパクトディスク
ＣＤＭＡ  符号分割多重化アクセス
ＣＮ  コアネットワーク
ＣＯＴＳ  商用オフザシェルフ
ＣＰＥ  カスタマー構内設備
ＣＰＵ  中央処理装置
ＣＲＣ  巡回冗長検査
Ｃ−ＲＮＴＩ  セル無線ネットワーク一時識別子
ＣＳＩ  チャネル状態情報
Ｄ２Ｄ  デバイス間
ＤＡＳ  分散アンテナシステム
ＤＣ  デュアルコネクティビティ
ＤＣＩ  ダウンリンク制御情報
ＤＦＴ  離散フーリエ変換
ＤＩＭＭ  デュアルインラインメモリモジュール
ＤＬ  ダウンリンク
ＤＲＸ  間欠受信
ＤＳＰ  デジタル信号プロセッサ
ＤＶＤ  デジタルビデオディスク
ＥＥＰＲＯＭ  電気消去可能プログラマブル読出し専用メモリ
ｅＭＴＣ  拡張型マシンタイプ通信
ｅＮＢ  エボルブドノードＢ
ＥＰＲＯＭ  消去可能プログラマブル読出し専用メモリ
Ｅ−ＳＭＬＣ  エボルブドサービングモバイルロケーションセンタ
Ｅ−ＵＴＲＡＮ  エボルブドユニバーサル移動通信サービス地上無線アクセスネットワーク
ＦＰＧＡ  フィールドプログラマブルゲートアレイ
ＧＨｚ  ギガヘルツ
ｇＮＢ  第５世代ノードＢ
ＧＰＳ  全地球測位システム
ＧＳＭ  モバイル通信用グローバルシステム
ＨＡＲＱ  ハイブリッド自動再送要求
ＨＤＤＳ  ホログラフィックデジタルデータ記録
ＨＤ−ＤＶＤ  高密度デジタル多用途ディスク
ＩＤ  識別情報
Ｉ／Ｏ  入力および出力
ＩｏＴ  物のインターネット
ＩＰ  インターネットプロトコル
Ｉ−ＲＮＴＩ  非アクティブ無線ネットワーク一時識別子
ｋＨｚ  キロヘルツ
ＬＡＮ  ローカルエリアネットワーク
ＬＥＥ  ラップトップ内蔵機器
ＬＭＥ  ラップトップ搭載機器
ＬＴＥ  ロングタームエボリューション
Ｍ２Ｍ  マシンツーマシン
ＭＡＣ−Ｉ  整合性のためのメッセージ認証コード
ＭＡＮＯ  管理およびオーケストレーション
ＭＣＥ  マルチセル／マルチキャスト調整エンティティ
ＭＣＧ  マスターセルグループ
ＭＤＴ  ドライブ試験の最小化
ＭＩＭＯ  複数入力複数出力
ＭＭＥ  モビリティ管理エンティティ
ｍｓ  ミリ秒
ＭＳＣ  移動交換局
ＭＳＲ  マルチスタンダード無線
ＭＴＣ  マシンタイプ通信
ＮＡＣＫ  否定応答
ＮＡＳ  非アクセス層
ＮＢ−ＩｏＴ  狭帯域の物のインターネット
ＮＣＣ  ｎｅｘｔＨｏｐＣｈａｉｎｉｎｇＣｏｕｎｔ
ＮＦＶ  ネットワーク機能仮想化
ＮＧ  次世代
ＮＩＣ  ネットワークインターフェースコントローラ
ＮＲ  新無線
Ｏ＆Ｍ  動作およびメンテナンス
ＯＦＤＭ  直交周波数分割多重
ＯＳＳ  動作サポートシステム
ＯＴＴ  オーバーザトップ
ＰＢＣＨ  物理ブロードキャストチャネル
ＰＣｅｌｌ  プライマリセル
ＰＣＩ  物理セル識別情報
ＰＤＡ  個人情報端末
ＰＤＣＣＨ  物理ダウンリンク制御チャネル
ＰＤＣＰ  パケットデータコンバージェンスプロトコル
ＰＤＳＣＨ  物理ダウンリンク共有チャネル
ＰＬＭＮ  公衆地上移動体ネットワーク
ＰＲＢ  物理リソースブロック
ＰＲＯＭ  プログラマブル読出し専用メモリ
ＰＳＴＮ  公衆交換電話網
ＰＵＣＣＨ  物理アップリンク制御チャネル
ＰＵＳＣＨ  物理アップリンク共有チャネル
ＱｏＳ  サービス品質
ＲＡＩＤ  独立ディスクの冗長アレイ
ＲＡＭ  ランダムアクセスメモリ
ＲＡＮ  無線アクセスネットワーク
ＲＡＴ  無線アクセス技術
ＲＢ  リソースブロック
ＲＦ  無線周波数
ＲＮＣ  無線ネットワークコントローラ
ＲＯＨＣ  ロバストヘッダ圧縮
ＲＯＭ  読出し専用メモリ
ＲＲＣ  無線リソース制御
ＲＲＨ  リモート無線ヘッド
ＲＲＭ  無線リソース管理
ＲＲＵ  リモート無線ユニット
ＲＵＩＭ  リムーバブルユーザ識別モジュール
ＳＡＥ  システムアーキテクチャエボリューション
ＳＣｅｌｌ  セカンダリセル
ＳＣＧ  セカンダリセルグループ
ＳＤＲＡＭ  同期式動的ランダムアクセスメモリ
ＳＩＭ  加入者識別モジュール
ＳＯＣ  システムオンチップ
ＳＯＮ  自己最適化ネットワーク
ＳＯＮＥＴ  同期光通信ネットワーク
ＳｐＣｅｌｌ  スペシャルセル
ＳＰＳ  半永続スケジューリング
ＳＳ  同期信号
ＴＣＰ  送信制御プロトコル
ＴＭＳＩ  一時的移動体加入者識別子
ＵＣＩ  アップリンク制御情報
ＵＥ  ユーザ機器
ＵＬ  アップリンク
ＵＭＴＳ  ユニバーサル移動体通信サービス
ＵＳＢ  ユニバーサルシリアルバス
ＵＴＲＡＮ  ユニバーサル地上無線アクセスネットワーク
Ｖ２Ｉ  路車間
Ｖ２Ｖ  車車間
Ｖ２Ｘ  車車間・路車間
ＶＭＭ  仮想マシンモニタ
ＶＮＥ  仮想ネットワーク要素
ＶＮF  仮想ネットワーク機能
ＶｏＩＰ  ボイスオーバーインターネットプロトコル
ＷＡＮ  広域ネットワーク
ＷＣＤＭＡ  広帯域符号分割多重アクセス
ＷＤ  無線デバイス
ＷｉＭａｘ  ワールドワイド・インターオペラビリティ・フォー・マイクロウェーブ・アクセス
ＷＬＡＮ  無線ローカルエリアネットワーク
【０２３５】
当業者であれば、本開示の実施形態に対する改善および修正を認識するであろう。かかる改善および修正は全て、本明細書に開示する概念の範囲内と見なされる。
【０２３６】
付表Ａ
３ＧＰＰ規格の選択部分の抜粋
抜粋１
５．３．８．３  ＵＥによるＲＲＣＣｏｎｎｅｃｔｉｏｎＲｅｌｅａｓｅの受信
ＵＥは、
１＞  ＮＢ−ＩｏＴ、ＢＬ  ＵＥ、またはＣＥのＵＥを除いて、この下位条項において定義される以下の動作を、ＲＲＣＣｏｎｎｅｃｔｉｏｎＲｅｌｅａｓｅメッセージが受信された瞬間、または任意に、ＲＲＣＣｏｎｎｅｃｔｉｏｎＲｅｌｅａｓｅメッセージの受信が成功裏に承認されていることを下位レイヤが示したときの、どちらか早い方から６０ｍｓ遅延させ、
１＞  ＢＬ  ＵＥまたはＣＥのＵＥの場合、この下位条項において定義される以下の動作を、ＲＲＣＣｏｎｎｅｃｔｉｏｎＲｅｌｅａｓｅメッセージが受信された瞬間、または任意に、ＲＲＣＣｏｎｎｅｃｔｉｏｎＲｅｌｅａｓｅメッセージの受信が成功裏に承認されていることを下位レイヤが示したときの、どちらか早い方から１．２５秒遅延させ、
１＞  ＮＢ−ＩｏＴの場合、この下位条項において定義される以下の動作を、ＲＲＣＣｏｎｎｅｃｔｉｏｎＲｅｌｅａｓｅメッセージが受信された瞬間、または任意に、ＲＲＣＣｏｎｎｅｃｔｉｏｎＲｅｌｅａｓｅメッセージの受信が成功裏に承認されていることを下位レイヤが示したときの、どちらか早い方から１０秒遅延させるものとする。
１．注：ＮＢ−ＩｏＴの場合、ＴＳ  ３６．３２２［７］に定義されるように、ＳＴＡＴＵＳ報告が始動されておらず、ＴＳ  ３６．３２１［６］に定義されるように、ＵＥが正のＨＡＲＱフィードバック（ＡＣＫ）を送出すると、下位レイヤは、ＲＲＣＣｏｎｎｅｃｔｉｏｎＲｅｌｅａｓｅメッセージの受信が成功裏に承認されていることを示していると見なすことができる。
１＞  ＲＲＣＣｏｎｎｅｃｔｉｏｎＲｅｌｅａｓｅメッセージがｇｅｒａｎへのリダイレクトを示すｒｅｄｉｒｅｃｔｅｄＣａｒｒｉｅｒＩｎｆｏを含む場合、
１＞  ＲＲＣＣｏｎｎｅｃｔｉｏｎＲｅｌｅａｓｅメッセージがｆｒｅｑＰｒｉｏｒｉｔｙＬｉｓｔＧＥＲＡＮを示すｉｄｌｅＭｏｄｅＭｏｂｉｌｉｔｙＣｏｎｔｒｏｌＩｎｆｏを含む場合、
２＞  ＡＳセキュリティがアクティブ化されていない場合、また、
２＞  上位レイヤが、ＡＳセキュリティなしのＧＥＲＡＮへのリダイレクトが可能でないことを示した場合、
３＞  ＲＲＣＣｏｎｎｅｃｔｉｏｎＲｅｌｅａｓｅの内容を無視し、
３＞  ５．３．１２に規定されるようなＲＲＣ＿ＣＯＮＮＥＣＴＥＤを離脱する際に、手順がそこで終了する解除要因「その他」を含む、動作を実施し、
１＞  ＲＲＣＣｏｎｎｅｃｔｉｏｎＲｅｌｅａｓｅメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されるセル再選択優先度情報を格納し、
２＞  ｔ３２０が含まれる場合、
３＞  ｔ３２０の値にしたがったタイマー値セットでタイマーＴ３２０を開始し、
１＞  その他は、
２＞  セル再選択優先度情報のブロードキャストをシステム情報に適用し、
１＞  ＮＢ−ＩｏＴの場合、ＲＲＣＣｏｎｎｅｃｔｉｏｎＲｅｌｅａｓｅメッセージがｒｅｄｉｒｅｃｔｅｄＣａｒｒｉｅｒＩｎｆｏを含む場合、
２＞  ｒｅｄｉｒｅｃｔｅｄＣａｒｒｉｅｒＯｆｆｓｅｔＤｅｄｉｃａｔｅｄがｒｅｄｉｒｅｃｔｅｄＣＡｒｒｉｅｒＩｎｆｏに含まれる場合、
３＞  周波数の専用オフセットをｒｅｄｉｒｅｃｔｅｄＣａｒｒｉｅｒＩｎｆｏに格納し、
３＞  ｒｅｄｉｒｅｃｔｅｄＣａｒｒｉｅｒＩｎｆｏのＴ３２２の値にしたがったタイマー値セットでタイマーＴ３２２を開始し、
１＞  ＲＲＣＣｏｎｎｅｃｔｉｏｎＲｅｌｅａｓｅメッセージで受信されたｒｅｌｅａｓｅＣａｕｓｅがｌｏａｄＢａｌａｎｃｉｎｇＴＡＵＲｅｑｕｉｒｅｄを示す場合、
２＞  ５．３．１２に規定されるようなＲＲＣ＿ＣＯＮＮＥＣＴＥＤを離脱する際に、解除要因「必要なロードバランシングＴＡＵ」を含む、動作を実施し、
１＞  あるいは、ＲＲＣＣｏｎｎｅｃｔｉｏｎＲｅｌｅａｓｅメッセージで受信されたｒｅｌｅａｓｅＣａｕｓｅがｃｓ−ＦａｌｌｂａｃｋＨｉｇｈＰｒｉｏｒｉｔｙを示す場合、
２＞  ５．３．１２に規定されるようなＲＲＣ＿ＣＯＮＮＥＣＴＥＤを離脱する際に、解除要因「ＣＳ  Ｆａｌｌｂａｃｋ  Ｈｉｇｈ  Ｐｒｉｏｒｉｔｙ」を含む、動作を実施し、
１＞  あるいは、
２＞  ｅｘｔｅｎｄｅｄＷａｉｔＴｉｍｅが存在する場合、および、
２＞  ＵＥが遅延耐性アクセスに対応しているか、またはＵＥがＮＢ−ＩｏＴ  ＵＥである場合、
３＞  ｅｘｔｅｎｄｅｄＷａｉｔＴｉｍｅを上位レイヤに転送し、
２＞  ｅｘｔｅｎｄｅｄＷａｉｔＴｉｍｅ−ＣＰｄａｔａが存在し、ＮＢ−ＩｏＴ  ＵＥが制御プレーンＣＩｏＴ  ＥＰＳ最適化のみに対応している場合、
３＞  ｅｘｔｅｎｄｅｄＷａｉｔＴｉｍｅ−ＣＰｄａｔａを上位レイヤに転送し、
２＞  ＲＲＣＣｏｎｎｅｃｔｉｏｎＲｅｌｅａｓｅメッセージで受信されたｒｅｌｅａｓｅＣａｕｓｅがｒｒｃ−Ｓｕｓｐｅｎｄを示す場合、
３＞  ５．３．１２に規定されるようなＲＲＣ＿ＣＯＮＮＥＣＴＥＤを離脱する際に、解除要因「ＲＲＣ中断」を含む、動作を実施し、
２＞  あるいは、
３＞  ５．３．１２に規定されるようなＲＲＣ＿ＣＯＮＮＥＣＥＴＤを離脱する際に、解除要因「その他」を含む、動作を実施するものとする。
【０２３７】
抜粋２
５．３．１２  ＲＲＣ＿ＣＯＮＮＥＣＴＥＤを離脱する際のＵＥの動作
ＲＲＣ＿ＣＯＮＮＥＣＴＥＤを離脱する際、ＵＥは、
１＞  ＭＡＣをリセットし、
１＞  Ｔ３２０、Ｔ３２２、Ｔ３２５、Ｔ３３０を除いて稼働している全てのタイマーを停止し、
１＞  ＲＲＣ＿ＣＯＮＮＥＣＴＥＤの離脱がＲＲＣの中断によって始動される場合、
２＞  ＮＲ  ＰＤＣＰと共に構成されたＲＢを含む、全てのＳＲＢおよびＤＲＢに対してＲＬＣエンティティを再確立し、
２＞  現在のＲＲＣ構成、現在のセキュリティコンテキスト、ＲＯＨＣ状態を含むＰＤＣＰ状態、ソースＰＣｅｌｌで使用されるＣ−ＲＮＴＩ、ｃｅｌｌＩｄｅｎｔｉｔｙ、およびソースＰＣｅｌｌの物理セル識別情報を含む、ＵＥ  ＡＳコンテキストを格納し、
２＞  Ｅ−ＵＴＲＡＮによって提供される以下の情報を格納し、
３＞  ｒｅｓｕｍｅＩｄｅｎｔｉｔｙ、
２＞  ＳＲＢ０を除いて、ＮＲ  ＰＤＣＰと共に構成されたＲＢを含む、全てのＳＲＢおよびＤＲＢを中断し、
２＞  上位レイヤへのＲＲＣ接続の中断を示し、
２＞  整合性保護および暗号化を中断するように下位レイヤを構成し、
２．注１：暗号化は、接続を再開するのに使用される、後に続くＲＲＣＣｏｎｎｅｃｔｉｏｎＲｅｓｕｍｅメッセージには適用されない。整合性チェックは、下位レイヤによって、ただしＲＲＣから要求があった場合のみ実施される。
１＞  あるいは、
２＞  全ての確立されたＲＢに対するＲＬＣエンティティ、ＭＡＣ構成、および関連するＰＤＣＰエンティティの解除を含む、全ての無線リソースを解除し、
２＞  解除要因と併せて、上位レイヤへのＲＲＣ接続の解除を示し、
１＞  ＲＲＣ＿ＣＯＮＮＥＣＥＴＥＤの離脱が、ＭｏｂｉｌｉｔｙＦｒｏｍＥＵＴＲＡＣｏｍｍａｎｄメッセージの受信、またはＴ３１１が稼働している間にインターＲＡＴセルを選択することのどちらによっても始動されない場合、
２＞  タイマーＴ３５０が構成された場合、
３＞  タイマーＴ３５０を開始し、
３＞  ｒｃｌｗｉ−Ｃｏｎｆｉｇｕｒａｔｉｏｎが構成されている場合はそれを適用し、そうでなければ、ＳｙｓｔｅｍＩｎｆｏｒｍａｔｉｏｎＢｌｏｃｋＴｙｐｅ１７に含まれるＲＰＬＭＮに対応するｗｌａｎ−Ｉｄ−Ｌｉｓｔを適用し、
２＞  あるいは、
３＞  ｗｌａｎ−ＯｆｆｌｏａｄＣｏｎｆｉｇＤｅｄｉｃａｔｅｄが受信されている場合はそれを解除し、
３＞  ＲＰＬＭＮに対応するｗｌａｎ−ＯｆｆｌｏａｄＣｏｎｆｉｇＣｏｍｍｏｎがセルによってブロードキャストされた場合、
４＞  ＳｙｓｔｅｍＩｎｆｏｒｍａｔｉｏｎＢｌｏｃｋＴｙｐｅ１７に含まれるＲＰＬＭＮに対応するｗｌａｎ−ＯｆｆｌｏａｄＣｏｎｆｉｇＣｏｍｍｏｎを適用し、
４＞  ｓｔｅｅｒＴｏＷＬＡＮが構成されている場合はそれを適用し、そうでなければ、ＳｙｓｔｅｍＩｎｆｏｒｍａｔｉｏｎＢｌｏｃｋＴｙｐｅ１７に含まれるＲＰＬＭＮに対応するｗｌａｎ−Ｉｄ−Ｌｉｓｔを適用し、
２＞  ＲＲＣ＿ＩＤＬＥを入力し、ＴＳ  ３６．３０４［４．５．２．７］に規定されるような手順を実施し、
１＞  あるいは、
２＞  ｗｌａｎ−ＯｆｆｌｏａｄＣｏｎｆｉｇＤｅｄｉｃａｔｅｄが受信されている場合はそれを解除し、
３．注２：ＢＬ  ＵＥまたはＣＥのＵＥは、解除されてＲＲＣ＿ＩＤＬＥとなったときのＳＩの妥当性を検証する。
１＞  ５．６．１４．３に記載されているように、ＬＷＡ構成が構成されている場合はそれを解除する。
１＞  ５．６．１７．３に記載されているように、ＬＷＩＰ構成が構成されている場合はそれを解除するものとする。
【０２３８】
付表Ｂ
３ＧＰＰ規格の更なる選択部分の抜粋
抜粋３
５．３．３．３ａ  ＲＲＣＣｏｎｎｅｃｔｉｏｎＲｅｓｕｍｅＲｅｑｕｅｓｔメッセージの送信に関する動作
ＵＥは、ＲＲＣＣｏｎｎｅｃｔｉｏｎＲｅｓｕｍｅＲｅｑｕｅｓｔメッセージの内容を次のように設定するものとする。
１＞  ＵＥがＮＢ−ＩｏＴ  ＵＥの場合、または、
１＞  フィールドｕｓｅＦｕｌｌＲｅｓｕｍｅＩＤが、ＳｙｓｔｅｍＩｎｆｏｒｍａｔｉｏｎＢｌｏｃｋＴｙｐｅ２でシグナリングされた場合、
２＞  格納されたｒｅｓｕｍｅＩｄｅｎｔｉｔｙに対してｒｅｓｕｍｅＩＤを設定し、
１＞  あるいは、
２＞  格納されたｒｅｓｕｍｅＩｄｅｎｔｉｔｙの左側から９〜２０および２９〜４０のビット位置のビットを含むように、ｔｒｕｎｃａｔｅＲｅｓｕｍｅＩＤを設定し、
１＞  ＵＥがｍｏ−ＶｏｉｃｅＣａｌｌ確立要因に対応し、ＵＥが移動体から生じるＭＭＴＥＬ音声のためのＲＲＣ接続を再開しており、ＳｙｓｔｅｍＩｎｆｏｒｍａｔｉｏｎＢｌｏｃｋＴｙｐｅ２がｖｏｉｃｅＳｅｒｖｉｃｅＣａｕｓｅＩｎｄｉｃａｔｉｏｎを含み、上位レイヤから受信される確立要因がｈｉｇｈＰｒｉｏｒｉｔｙＡｃｃｅｓｓに設定されていない場合、
２＞  ｒｅｓｕｍｅＣａｕｓｅをｍｏ−ＶｏｉｃｅＣａｌｌに対して設定し、
１＞  あるいは、ＵＥが移動体から生じるＭＭＴＥＬ映像に対するｍｏ−ＶｏｉｃｅＣａｌｌ確立要因に対応し、ＵＥが移動体から生じるＭＭＴＥＬ映像のためのＲＲＣ接続を再開しており、ＳｙｓｔｅｍＩｎｆｏｒｍａｔｉｏｎＢｌｏｃｋＴｙｐｅ２がｖｉｄｅｏＳｅｒｖｉｃｅＣａｕｓｅＩｎｄｉｃａｔｉｏｎを含み、上位レイヤから受信される確立要因がｈｉｇｈＰｒｉｏｒｉｔｙＡｃｃｅｓｓに設定されていない場合、
２＞  ｒｅｓｕｍｅＣａｕｓｅをｍｏ−ＶｏｉｃｅＣａｌｌに対して設定し、
１＞  あるいは、
２＞  上位レイヤから受信された情報にしたがってｒｅｓｕｍｅＣａｕｓｅを設定し、
１＞  ｓｈｏｒｔＲｅｓｕｍｅＭＡＣ−Ｉを、計算されたＭＡＣ−Ｉの最下位１６ビットに対して設定し、
２＞  セクション８の通りに符号化されたＡＳＮ．１（即ち、８ビットの倍数）のＶａｒＳｈｏｒｔＲｅｓｕｍｅＭＡＣ−Ｉｎｐｕｔ（もしくはＮＢ−ＩｏＴのＶａｒＳｈｏｒｔＲｅｓｕｍｅＭＡＣ−Ｉｎｐｕｔ−ＮＢ）にわたり、
２＞  ＫＲＲＣｉｎｔキー、および以前に構成された整合性保護アルゴリズムを含み、ならびに、
２＞  ＣＯＵＮＴ、ＢＥＡＲＥＲ、およびＤＩＲＥＣＴＩＯＮの全ての入力ビットがバイナリ１に設定され、
１＞  格納されたＵＥ  ＡＳコンテキストからＲＲＣ構成およびセキュリティコンテキストを回復し、
１＞  ＳＲＢ１がＮＲ  ＰＤＣＰで構成された場合、
２＞  ＳＲＢ１の場合、ＮＲ  ＰＤＣＰエンティティを解除し、現在の（ＭＣＧ）セキュリティ構成を含むＥ−ＵＴＲＡ  ＰＤＣＰエンティティを確立し、
４．注１：ＵＥは、以前に構成されたＮＲセキュリティアルゴリズムと等価の、ＬＴＥ暗号化および整合性保護アルゴリズムを適用する。
１＞  あるいは、
２＞  ＳＲＢ１の場合、ＰＤＣＰ状態を回復し、ＰＤＣＰエンティティを再確立し、
１＞  ＳＲＢ１を再開するものとする。
５．注２：接続再開が成功するまで、デフォルトの物理レイヤ構成およびデフォルトのＭＡＣメイン構成が、ＳＲＢ０およびＳＲＢ１の送信に適用され、ＳＲＢ１は、ＲＲＣＣｏｎｎｅｃｔｉｏｎＲｅｓｕｍｅメッセージの転送のみに使用される。
ＵＥは、ＲＲＣＣｏｎｎｅｃｔｉｏｎＲｅｓｕｍｅＲｅｑｕｅｓｔメッセージを送信のために下位レイヤに対して提示するものとする。
ＵＥは、セル再選択に関連する測定、ならびに再選択評価を継続するものとする。セル再選択の条件が満たされた場合、ＵＥは、５．３．３．５に規定されるようなセル再選択を実施するものとする。
【０２３９】
抜粋４
ＶａｒＳｈｏｒｔＲｅｓｕｍｅＭＡＣ−Ｉｎｐｕｔ
ＵＥの変数ＶａｒＳｈｏｒｔＲｅｓｕｍｅＭＡＣ−Ｉｎｐｕｔは、ＲＲＣ接続再開手順の間、ｓｈｏｒｔＲｅｓｕｍｅＭＡＣ−Ｉを生成するのに使用される入力を規定する。
ＶａｒＳｈｏｒｔＲｅｓｕｍｅＭＡＣ−ＩｎｐｕｔのＵＥ変数
0006754016.tif 000002
【０２４０】
ＶａｒＳｈｏｒｔＲｅｓｕｍｅＭＡＣ−Ｉｎｐｕｔフィールドの説明
ｃｅｌｌＩｄｅｎｔｉｔｙ
現在のセルのＣｅｌｌＩｄｅｎｔｉｔｙに対して設定される。
ｃ−ＲＮＴＩ
ＲＲＣ接続の中断前に接続されていたＰＣｅｌｌにおいて、ＵＥが有していたＣ−ＲＮＴＩに対して設定される。
ｐｈｙｓＣｅｌｌＩｄ
ＲＲＣ接続の中断前にＵＥが接続されていたＰｃｅｌｌの物理セル識別情報に対して設定される。
ｒｅｓｕｍｅＤｉｓｃｒｉｍｉｎａｔｏｒ
ｓｈｏｒｔＲｅｓｕｍｅＭＡＣ−ＩのＭＡＣ−Ｉの計算における微分を可能にする定数。
ｒｅｓｕｍｅＤｉｓｃｒｉｍｉｎａｔｏｒは「１」に設定される。
【０２４１】
付表Ｃ
３ＧＰＰ規格の更に別の選択部分の抜粋
抜粋５
５．３．１４．３  ＵＥによるＲＲＣＳｕｓｐｅｎｄの受信
編者による注記：ＦＦＳ  ＲＲＣＲｅｌｅａｓｅ（例えば、中断インジケータを含む）を代わりに使用するか否か。
ＵＥは、
１＞  この下位条項において定義される以下の動作を、ＲＲＣＳｕｓｐｅｎｄメッセージが受信された瞬間、または任意に、ＲＲＣＳｕｓｐｅｎｄメッセージの受信が成功裏に承認されていることを下位レイヤが示したときの、どちらか早い方からＸｍｓ遅延させ、
編者による注記：Ｘの値をどのように設定するか（構成可能か、またはＬＴＥの場合のように６０ｍｓに固定するかなど）。
１＞  ＲＲＣＳｕｓｐｅｎｄメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されるセル再選択優先度情報を格納し、
２＞  ｔ３２０が含まれる場合、
３＞  ｔ３２０の値にしたがったタイマー値セットでタイマーＴ３２０を開始し、
１＞  あるいは、
２＞  セル再選択優先度情報のブロードキャストをシステム情報に適用し、
１＞  ネットワークによって提供される、ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏの情報を格納し、
１＞  全てのＳＲＢおよびＤＲＢに対してＲＬＣエンティティを再確立し、
１＞  ＭＡＣをリセットし、
１＞  ＲＲＣＲｅｓｕｍｅＲｅｑｕｅｓｔに応答して、ＲＲＣＳｕｓｐｅｎｄメッセージが受信された場合を除いて、
２＞  現在のＲＲＣ構成、現在のセキュリティコンテキスト、ＲＯＨＣ状態を含むＰＤＣＰ状態、ソースＰＣｅｌｌで使用されるＣ−ＲＮＴＩ、ｃｅｌｌＩｄｅｎｔｉｔｙ、およびソースＰＣｅｌｌの物理セル識別情報を含む、ＵＥ  ＡＳコンテキストを格納し、
１＞  ＳＲＢ０を除いて、全てのＳＲＢおよびＤＲＢを中断し、
１＞  ｐｅｒｉｏｄｉｃ−ＲＮＡＵ−ｔｉｍｅｒに対して設定されたタイマー値でタイマーＴ３８０を開始し、
１＞  上位レイヤへのＲＲＣ接続の中断を示し、
１＞  整合性保護および暗号化を中断するように下位レイヤを構成し、
１＞  ＲＲＣ＿ＩＮＡＣＴＩＶＥを入力し、ＴＳ  ３８．３０４［２１］に規定されるような手順を実施するものとする。
【０２４２】
付表Ｄ
３ＧＰＰ規格の更なる選択部分の抜粋
抜粋６
５．３．１３．２  開始
ＵＥは、上位レイヤがＲＲＣ接続の再開を要求したとき、ＮＧ−ＲＡＮページングに応答するとき、またはＵＥがＲＲＣ＿ＩＮＡＣＴＩＶＥのときにＲＮＡ更新を始動すると、手順を開始する。
手順の開始時、ＵＥは、
編者による注記：ＦＦＳ  ＳＣＧ構成が解除されるべきか否か、または他の任意の構成（即ち、デルタシグナリングを含む）として扱うべきか否か。
１＞  ９．２．４に規定されるようなデフォルトの物理チャネル構成を適用し、
１＞  ９．２．３に規定されるようなデフォルトの半永続スケジューリング構成を適用し、
１＞  ９．２．２．に規定されるようなデフォルトのＭＡＣメイン構成を適用し、
１＞  ９．１．１．２に規定されるようなＣＣＣＨ構成を適用し、
編者による注記：ＤＤＳ  ＮＳがｔｉｍｅＡｌｉｇｎｍｅｎｔＴｉｍｅｒＣｏｍｍｏｎに対応しているか否か、関連するＳＩＢ２およびＵＥの挙動で送信されるか否か。
１＞  タイマーＴ３００Ｘを開始し、
１＞  タイマーＴ３８０を停止し、
１＞  ５．３．１３．２にしたがってＲＲＣＲｅｓｕｍｅＲｅｑｕｅｓｔメッセージの送信を開始するものとする。
編者による注記：ＦＦＳ  接続再開前のデータシステム情報獲得までの要件。
５．３．１３．３  ＲＲＣＲｅｓｕｍｅＲｅｑｕｅｓｔメッセージの送信に関する動作
ＵＥは、ＲＲＣＲｅｓｕｍｅＲｅｑｕｅｓｔメッセージの内容を次のように設定するものとする。
１＞  中断時に提供される格納されたＩ−ＲＮＴＩ値に対してｒｅｓｕｍｅＩｄｅｎｔｉｔｙを設定し、
１＞  上位レイヤまたはＡＳレイヤから受信された情報にしたがってｒｅｓｕｍｅＣａｕｓｅを設定し、
編者による注記：ＦＦＳ  ｒｅｓｕｍｅＣａｕｓｅに関するより多くの態様を捕捉する必要があるか否か（例えば、モビリティによるＲＮＡ更新、ＲＮＡの周期的更新など）。
１＞  格納されたＵＥ  ＡＳコンテキストからＲＲＣ構成およびセキュリティコンテキストを回復し、
１＞  ＴＳ  ３３．５０１［１１］に規定されるような、格納されたｎｅｘｔＨｏｐＣｈａｉｎｉｎｇＣｏｕｎｔ値を使用して、現在のＫｇＮＢまたはＮＨに基づいてＫｇＮＢキーを更新し、
編者による注記：ＦＦＳ  拒絶の場合をどのように扱うか
１＞  ＫＲＲＣｅｎｃキー、ＫＲＲＣｉｎｔキー、ＫＵＰｉｎｔキー、およびＫＵＰｅｎｃキーを導き出し、
編者による注記：ＦＦＳ  作業仮説ＴＢＣ（中断におけるＮＣＣ、およびＲＲＣ再開要求における新しいキー）。
１＞  再開ＭＡＣ−Ｉを、計算されたＭＡＣ−Ｉの最下位Ｘビットに対して設定し、
２＞  セクション８の通りに符号化されたＡＳＮ．１（即ち、８ビットの倍数）のＶａｒＲｅｓｕｍｅＭＡＣ−Ｉｎｐｕｔにわたり、
２＞  ＫＲＲＣｉｎｔキー、および以前に構成された整合性保護アルゴリズムを含み、ならびに、
２＞  ＣＯＵＮＴ、ＢＥＡＲＥＲ、およびＤＩＲＥＣＴＩＯＮの全ての入力ビットがバイナリ１に設定され、
編者による注記：ＦＦＳ  ｒｅｓｕｍｅＭＡＣ−Ｉの長さＸ。
編者による注記：ＦＦＳ  ＶａｒＲｅｓｕｍｅＭＡＣ−Ｉｎｐｕｔに対する追加入力（リプレイアタックの軽減）。
１＞  ＰＤＣＰ状態を回復し、ＳＲＢ１に対してＰＤＣＰエンティティを再確立し、
１＞  ＳＲＢ１を再開し、
１＞  ＲＲＣＲｅｓｕｍｅＲｅｑｕｅｓｔメッセージを送信のために下位レイヤに対して提示し、
１＞  以前に構成されたアルゴリズムとＫＲＲＣｉｎｔキーおよびＫＵＰｉｎｔキーを即時に使用して、ＳＲＢ０を除く全ての無線ベアラに対する整合性保護を再開するように、下位レイヤを構成し、即ち、整合性保護が、ＵＥによって送受信される全ての後に続くメッセージに適用されるものとし、
注１：以前に構成されたＵＰ整合性保護を含むＤＲＢのみが整合性保護を再開するものとする。
１＞  ＳＲＢ０を除く全ての無線ベアラに対して暗号化を再開し、以前に構成された暗号化アルゴリズム、ＫＲＲＣｅｎｃキー、およびＫＵＰｅｎｃキーを適用するように、下位レイヤを構成し、即ち、暗号化構成が、ＵＥによって送受信される全ての後に続くメッセージに適用されるものとし、
Ｔ３００Ｘが稼働している間に下位レイヤが整合性検査の失敗を示した場合、５．３．１３．５に規定される動作を実施する。
ＵＥは、セル再選択に関連する測定、ならびに再選択評価を継続するものとする。セル再選択の条件が満たされた場合、ＵＥは、５．３．３．５に規定されるようなセル再選択を実施するものとする。
【０２４３】
付表Ｅ
異なる実施形態に対する３８．３３１  ＮＲ  ＲＲＣ仕様書における解決策の可能な実現例
５．３．１４．３  ＵＥによるＲＲＣＳｕｓｐｅｎｄの受信
ＵＥは、
１＞  この下位条項において定義される以下の動作を、ＲＲＣＳｕｓｐｅｎｄメッセージが受信された瞬間、または任意に、ＲＲＣＳｕｓｐｅｎｄメッセージの受信が成功裏に承認されていることを下位レイヤが示したときの、どちらか早い方からＸｍｓ遅延させ、
編者による注記：Ｘの値をどのように設定するか（構成可能か、またはＬＴＥの場合のように６０ｍｓに固定するかなど）。
１＞  ＲＲＣＳｕｓｐｅｎｄメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されるセル再選択優先度情報を格納し、
２＞  ｔ３２０が含まれる場合、
３＞  ｔ３２０の値にしたがったタイマー値セットでタイマーＴ３２０を開始し、
１＞  あるいは、
２＞  セル再選択優先度情報のブロードキャストをシステム情報に適用し、
１＞  任意の以前に格納されたｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏを、ＲＲＣＳｕｓｐｅｎｄメッセージの新しく受信された値に交換し（即ち、オーバーライドし）、
１＞  ネットワークによって提供される、ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏの情報を格納し、
１＞  全てのＳＲＢおよびＤＲＢに対してＲＬＣエンティティを再確立し、
１＞  ＲＲＣＲｅｓｕｍｅＲｅｑｕｅｓｔに応答して、ＲＲＣＳｕｓｐｅｎｄメッセージが受信されなかった場合、
２＞  現在のＲＲＣ構成、現在のセキュリティコンテキスト、ＲＯＨＣ状態を含むＰＤＣＰ状態、ソースＰＣｅｌｌで使用されるＣ−ＲＮＴＩ、ｃｅｌｌＩｄｅｎｔｉｔｙ、およびソースＰＣｅｌｌの物理セル識別情報を含む、ＵＥ  ＡＳコンテキストを格納し、
１＞  あるいは、ＲＲＣＲｅｓｕｍｅＲｅｑｕｅｓｔに応答して、ＲＲＣＳｕｓｐｅｎｄメッセージが受信された場合、
２＞  任意の以前に格納されたセキュリティコンテキストを、Ｓｕｓｐｅｎｄメッセージの新しく受信されたセキュリティコンテキストに交換し（即ち、オーバーライドし）、
２＞  以前に格納されたＣ−ＲＮＴＩを、ＵＥがＲＲＣ接続要求を送出したセルの新しく取得された一時的Ｃ−ＲＮＴＩに交換し（即ち、オーバーライドし）、
２＞  以前に格納されたｃｅｌｌＩｄｅｎｔｉｔｙを、ＵＥがＲＲＣ接続要求を送出したセルの新しく取得されたｃｅｌｌＩｄｅｎｔｉｔｙに交換し（即ち、オーバーライドし）、
２＞  以前に格納された物理セル識別情報を、ＵＥがＲＲＣ接続要求を送出したセルの新しく取得された物理セル識別情報に交換し（即ち、オーバーライドし）、
１＞  ＳＲＢ０を除いて、全てのＳＲＢおよびＤＲＢを中断し、
１＞  ｐｅｒｉｏｄｉｃ−ＲＮＡＵ−ｔｉｍｅｒに対して設定されたタイマー値でタイマーＴ３８０を開始し、
１＞  上位レイヤへのＲＲＣ接続の中断を示し、
１＞  整合性保護および暗号化を中断するように下位レイヤを構成し、
１＞  ＲＲＣ＿ＩＮＡＣＴＩＶＥを入力し、ＴＳ  ３８．３０４［２１］に規定されるような手順を実施するものとする。
【０２４４】
異なる実施形態に対する３８．３３１  ＮＲ  ＲＲＣ仕様書における解決策の別の可能な実現例
５．３．１４．３  ＵＥによるＲＲＣＳｕｓｐｅｎｄの受信
ＵＥは、
１＞  この下位条項において定義される以下の動作を、ＲＲＣＳｕｓｐｅｎｄメッセージが受信された瞬間、または任意に、ＲＲＣＳｕｓｐｅｎｄメッセージの受信が成功裏に承認されていることを下位レイヤが示したときの、どちらか早い方からＸｍｓ遅延させ、
編者による注記：Ｘの値をどのように設定するか（構成可能か、またはＬＴＥの場合のように６０ｍｓに固定するかなど）。
１＞  ＲＲＣＳｕｓｐｅｎｄメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されるセル再選択優先度情報を格納し、
２＞  ｔ３２０が含まれる場合、
３＞  ｔ３２０の値にしたがったタイマー値セットでタイマーＴ３２０を開始し、
１＞  あるいは、
２＞  セル再選択優先度情報のブロードキャストをシステム情報に適用し、
１＞  任意の以前に格納されたｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏを、ＲＲＣＳｕｓｐｅｎｄメッセージの新しく受信された値に交換し（即ち、オーバーライドし）、
１＞  ネットワークによって提供される、ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏの情報を格納し、
１＞  全てのＳＲＢおよびＤＲＢに対してＲＬＣエンティティを再確立し、
１＞  ＲＲＣＲｅｓｕｍｅＲｅｑｕｅｓｔに応答して、ＲＲＣＳｕｓｐｅｎｄメッセージが受信されなかった場合、
２＞  現在のＲＲＣ構成を含むＵＥ  ＡＳコンテキストを格納し、
１＞  現在のセキュリティコンテキスト、ＲＯＨＣ状態を含むＰＤＣＰ状態、ソースＰＣｅｌｌで使用されるＣ−ＲＮＴＩ、ｃｅｌｌＩｄｅｎｔｉｔｙ、およびソースＰＣｅｌｌの物理セル識別情報を格納し（また、その任意の格納されたコンテキストを交換し）、
１＞  ＳＲＢ０を除いて、全てのＳＲＢおよびＤＲＢを中断し、
１＞  ｐｅｒｉｏｄｉｃ−ＲＮＡＵ−ｔｉｍｅｒに対して設定されたタイマー値でタイマーＴ３８０を開始し、
１＞  上位レイヤへのＲＲＣ接続の中断を示し、
１＞  整合性保護および暗号化を中断するように下位レイヤを構成し、
１＞  ＲＲＣ＿ＩＮＡＣＴＩＶＥを入力し、ＴＳ  ３８．３０４［２１］に規定されるような手順を実施するものとする。
【要約】
ＵＥからの再開要求に応答して、ＵＥの再中断時における格納されたユーザ機器（ＵＥ）コンテキスト情報を更新する、システムおよび方法が本明細書に開示される。いくつかの実施形態では、ＵＥにおける方法は、無線リソース制御（ＲＲＣ）再開要求メッセージを送信することと、ＲＲＣ再開要求メッセージに応答して、中断の指示を含むＲＲＣ接続解除メッセージを受信することとを含む。方法は、中断の指示を含むＲＲＣ接続解除メッセージの受信に応答して、ＵＥの格納されたアクセス層（ＡＳ）コンテキストにおける情報を新しい情報と交換することを更に含む。
【選択図】図ＷＴ１【図１】
0006754016.tif 000003
【図２】
0006754016.tif 000004
【図３】
0006754016.tif 000005
【図４】
0006754016.tif 000006
【図５】
0006754016.tif 000007
【図６】
0006754016.tif 000008
【図ＱＱ１】
0006754016.tif 000009
【図ＱＱ２】
0006754016.tif 000010
【図ＱＱ３】
0006754016.tif 000011
【図ＱＱ４】
0006754016.tif 000012
【図ＱＱ５】
0006754016.tif 000013
【図ＱＱ６】
0006754016.tif 000014
【図ＱＱ７】
0006754016.tif 000015
【図ＱＱ８】
0006754016.tif 000016
【図ＱＱ９】
0006754016.tif 000017
【図ＷＴ１】
0006754016.tif 000018
【図ＷＷ１】
0006754016.tif 000019
【図ＷＷ２】
0006754016.tif 000020
【図ＹＹ１】
0006754016.tif 000021
【図ＹＹ２】
0006754016.tif 000022
【図ＹＹ３】
0006754016.tif 000023
【図ＹＹ４】
0006754016.tif 000024